(57)【要約】この出願の実施形態は、ネットワークスライス管理方法及び装置を提供する。方法は、ＮＳＭＦによって、ネットワークスライスインスタンス化要求を受信するステップであって、ネットワークスライスインスタンス化要求は、ネットワークスライス要件情報を含む、ステップと、ＮＳＭＦによって、ネットワークスライステンプレート識別子又はネットワークスライスタイフ゜に基づいてネットワークスライステンプレートを取得するステップと、ＮＳＭＦによって、ネットワークスライステンプレートに基づいて、ネットワークスライス要件情報を、ネットワークスライスサブネット要件情報と、トランスポートネットワーク要件情報とに分解するステップと、ＮＳＭＦによって、ネットワークスライスサブネットインスタンス化要求をＮＳＳＭＦに送信するステップであって、ネットワークスライスサブネットインスタンス化要求は、ネットワークスライスサブネット要件情報を含む、ステップと、ＮＳＭＦによって、ネットワークスライスサブネット管理機能エンティティによって送信されたネットワークスライスサブネットインスタンス化応答を受信するステップと、ＮＳＭＦによって、トランスポートネットワークインスタンス化要求をＴＮマネージャに送信するステップとを含む。この出願の実施形態によれば、ネットワークスライスのための自動管理を実施するために、ネットワークスライス要件情報は、ネットワークスライステンプレートを利用することによって分解される。
2020536434.tif 000002
【特許請求の範囲】
【請求項１】
ネットワークスライス管理機能エンティティによって、ネットワークスライスインスタンス化要求を受信するステップであって、前記ネットワークスライスインスタンス化要求は、ネットワークスライス要件情報を含み、前記ネットワークスライス要件情報は、ネットワークスライステンプレート識別子又はネットワークスライスタイフ゜と、ネットワークスライス展開要件情報とを含む、ステップと、
前記ネットワークスライス管理機能エンティティによって、前記ネットワークスライステンプレート識別子又は前記ネットワークスライスタイフ゜に基づいて、ネットワークスライステンプレートを取得するステップと、
前記ネットワークスライス管理機能エンティティによって、前記ネットワークスライステンプレートに基づいて、前記ネットワークスライス要件情報を、前記ネットワークスライステンプレートに含まれるネットワークスライスサブネットのネットワークスライスサブネット要件情報と、前記ネットワークスライスにおけるトランスポートネットワーク要件情報とに分解するステップと、
前記ネットワークスライスに含まれる各ネットワークスライスサブネットについて、前記ネットワークスライス管理機能エンティティによって、ネットワークスライスサブネットインスタンス化要求をネットワークスライスサブネット管理機能エンティティに送信するステップであって、前記ネットワークスライスサブネットインスタンス化要求は、前記ネットワークスライスサブネット要件情報を含む、ステップと、
前記ネットワークスライスサブネット管理機能エンティティによって送信されたネットワークスライスサブネットインスタンス化応答を、前記ネットワークスライス管理機能エンティティによって受信するステップであって、前記ネットワークスライスサブネットインスタンス化応答は、ネットワークスライスサブネットインスタンス化情報を含み、前記ネットワークスライスサブネットインスタンス化情報は、ネットワークスライスサブネットインスタンス識別子と、ネットワークスライスサブネットインスタンスのサービスアクセスポイントインスタンス化情報と、前記ネットワークスライスサブネットインスタンスのネットワーク接続ポイントインスタンス化情報とを含む、ステップと、
前記ネットワークスライス管理機能エンティティによって、トランスポートネットワークインスタンス化要求をトランスポートネットワークマネージャに送信するステップであって、前記トランスポートネットワークインスタンス化要求は、前記ネットワークスライスにおける前記トランスポートネットワーク要件情報と、全てのネットワークスライスサブネットインスタンスのネットワーク接続ポイント情報とを含む、ステップと、
前記ネットワークスライス管理機能エンティティによって、各ネットワークスライスサブネットのインスタンス化後に取得されるサービスアクセスポイント情報に基づいて、各ネットワークスライスサブネットインスタンスのサービス接続の確立をトリガするステップと、
を含む、ネットワークスライス管理方法。
【請求項２】
前記ネットワークスライステンプレートは、ネットワークスライスサブネットテンプレート識別子を含み、
前記ノードは、ネットワークスライスサブネットノードであり、
前記ノード記述情報は、ネットワークスライスサブネットインスタンス化のために要求されるコンポーネント情報と、前記ネットワークスライスサブネットノードのネットワーク接続ポイント記述子と、前記ネットワークスライスサブネットノードのサービスアクセスポイント記述子とを含み、
前記接続記述子情報は、前記ネットワークスライスサブネットノード間のネットワーク接続記述子と、前記ネットワークスライスサブネットノード間のサービス接続記述子とを含み、
前記ネットワークスライスサブネットノードの前記ネットワーク接続ポイント記述子は、前記ネットワークスライスサブネットノードのネットワーク接続ポイント情報を記述するために利用され、
前記ネットワークスライスサブネットノードの前記サービスアクセスポイント記述子は、前記ネットワークスライスサブネットノードのサービスアクセスポイント情報を記述するために利用され、
前記ネットワークスライスサブネットノードの前記ネットワーク接続ポイント記述子は、前記ネットワークスライスサブネットノードのネットワーク接続ポイント情報を記述するために利用され、
前記ネットワークスライスサブネットノード間の前記ネットワーク接続記述子は、前記ネットワークスライスサブネットノード間のネットワーク接続情報を記述するために利用され、
前記ネットワークスライスサブネットノード間の前記サービス接続記述子は、前記ネットワークスライスサブネットノード間のサービス接続情報を記述するために利用される、
請求項１に記載の方法。
【請求項３】
前記ネットワークスライスサブネットテンプレート識別子に対応するネットワークスライスサブネットテンプレートは、前記ネットワークスライスサブネットにおけるネットワーク機能ノードのノード記述子と、前記ネットワーク機能ノードのネットワーク接続ポイント記述子と、前記ネットワーク機能ノードのサービスアクセスポイント記述子と、前記ネットワーク機能ノード間のネットワーク接続記述子と、前記ネットワーク機能ノード間のサービス接続記述子とを含む、
請求項２に記載の方法。
【請求項４】
前記ネットワークスライステンプレートは、ネットワーク機能サブネットインスタンス化のために要求される情報と、前記ネットワーク機能ノードのネットワーク接続ポイント記述子と、前記ネットワーク機能ノードのサービスアクセスポイント記述子とを含み、
前記接続記述情報は、前記ネットワーク機能ノード間のネットワーク接続記述子と、前記ネットワーク機能ノード間のサービス接続記述子とを含む、
請求項１に記載の方法。
【請求項５】
前記ネットワークスライステンプレートを利用することによって実行されるネットワークスライスインスタンス化のために要求されるコンポーネント情報は、前記ネットワークスライスに含まれる仮想化されたネットワーク機能に対応するネットワークサービス記述子インデックスファイルをさらに含み、
前記ネットワークサービス記述子インデックスファイルは、前記仮想化されたネットワーク機能の仮想リソース展開をインスタンス化するために利用される、
請求項１〜３のいずれか１項に記載の方法。
【請求項６】
前記ネットワークスライステンプレートは、サービス構成ファイルをさらに含み、前記サービス構成ファイルは、ネットワーク機能のサービス構成のために利用される、
請求項４に記載の方法。
【請求項７】
前記ネットワークスライスサブネットインスタンス化要求は、前記ネットワークスライスサブネットインスタンスの展開エリアをさらに含み、前記ネットワークスライスサブネットインスタンスは、前記ネットワークスライスサブネットに対応するインスタンスであり、
前記ネットワークスライス管理機能エンティティによって、ネットワークスライスサブネットインスタンス化要求をネットワークスライスサブネット管理機能エンティティに送信する前記ステップの前に、前記方法は、
前記ネットワークスライス管理機能エンティティによって、前記ネットワークスライス要件情報に基づいて、前記ネットワークスライスサブネットインスタンスの前記展開エリアを決定するステップをさらに含む、
請求項１〜３のいずれか１項に記載の方法。
【請求項８】
前記ネットワークスライスサブネットインスタンス化要求は、前記ネットワークスライスに対応するネットワークスライスインスタンス識別子をさらに含む、
請求項７に記載の方法。
【請求項９】
前記ネットワークスライスサブネット要件情報は、前記ネットワークスライスサブネットテンプレート識別子又は前記ネットワークスライスタイフ゜をさらに含む、
請求項７に記載の方法。
【請求項１０】
前記ネットワークスライス管理機能エンティティによって、トランスポートネットワークインスタンス化要求をトランスポートネットワークマネージャに送信する前記ステップは、
前記ネットワークスライス管理機能エンティティによって、各ネットワークスライスサブネット管理機能エンティティによって送信されたインスタンス化応答に基づいて、前記トランスポートネットワークインスタンス化要求を構築するステップと、前記トランスポートネットワークインスタンス化要求を前記トランスポートネットワークマネージャに送信するステップとを含む、
請求項１に記載の方法。
【請求項１１】
前記ネットワークスライス管理機能エンティティによって、各ネットワークスライスサブネットのインスタンス化後に取得されるサービスアクセスポイント情報に基づいて、各ネットワークスライスサブネットインスタンスのサービス接続の確立をトリガする前記ステップは、
前記ネットワークスライス管理機能エンティティによって、各ネットワークスライスサブネットのインスタンス化後に取得される前記サービスアクセスポイント情報に基づいて、サービスアクセス要求を、対応するネットワークスライスサブネット管理機能エンティティに送信するステップであって、前記サービスアクセス要求は、ネットワークスライスインスタンス識別子と、対応するネットワークスライスサブネットテンプレート識別子と、対応するサービスアクセスポイント情報とを含み、前記サービスアクセス要求は、対応するネットワークスライスサブネット関連機能エンティティがサービス接続を確立することをトリガするために利用される、ステップを含む、
請求項１に記載の方法。
【請求項１２】
ネットワークスライスサブネット管理機能エンティティによって、ネットワークスライスサブネットインスタンス化要求を受信するステップであって、前記ネットワークスライスサブネットインスタンス化要求は、ネットワークスライスサブネット要件情報を含む、ステップと、
前記ネットワークスライスサブネット管理機能エンティティによって、ネットワークスライスサブネットテンプレートを取得するステップと、
前記ネットワークスライスサブネット管理機能エンティティによって、前記ネットワークスライスサブネットテンプレートに基づいて、前記ネットワークスライスサブネット要件情報を、前記ネットワークスライスサブネットテンプレートに含まれるネットワーク機能のネットワークサービス要件情報と、サービス構成要件情報と、前記ネットワークスライスサブネットにおけるトランスポートネットワーク要件情報とに分解するステップと、
前記ネットワークスライスサブネット管理機能エンティティによって、ネットワークスライスサブネットインスタンス化応答をネットワークスライス管理機能エンティティに送信するステップであって、前記ネットワークスライスサブネットインスタンス化応答は、ネットワークスライスサブネットインスタンス化情報を含み、前記ネットワークスライスサブネットインスタンス化情報は、ネットワークスライスサブネットインスタンス化識別子と、ネットワークスライスサブネットインスタンスのサービスアクセスポイントインスタンス化情報と、前記ネットワークスライスサブネットインスタンスのネットワーク接続ポイントインスタンス化情報とを含む、ステップと、
前記ネットワークスライスサブネット管理機能エンティティによって、ネットワークサービスインスタンス化要求を管理及びオーケストレーションに送信するステップであって、前記ネットワークサービスインスタンス化要求は、前記ネットワークサービス要件情報を含む、ステップと、
前記ネットワークスライスサブネット管理機能エンティティによって、サービス構成要求を、前記ネットワークスライスサブネット管理機能エンティティに対応するエレメント管理システムに送信するステップであって、前記サービス構成要求は、前記サービス構成要件情報を含む、ステップと、
前記ネットワークスライスサブネット管理機能エンティティによって、トランスポートネットワークインスタンス化要求をトランスポートネットワークマネージャに送信するステップであって、前記トランスポートネットワークインスタンス化要求は、前記ネットワークスライスサブネットにおける前記トランスポートネットワーク要件情報を含む、ステップと、
を含む、ネットワークスライス管理方法。
【請求項１３】
前記ネットワークスライスサブネットテンプレートは、前記ネットワークスライスサブネットに含まれるネットワーク機能ノードのノード記述子と、前記ネットワーク機能ノードのネットワーク接続ポイント記述子と、前記ネットワーク機能ノードのサービスアクセスポイント記述子とを含み、
前記ネットワーク機能ノード間の接続記述情報は、前記ネットワーク機能ノード間のネットワーク接続記述子と、前記ネットワーク機能ノード間のサービス接続記述子とを含み、
前記ネットワーク機能ノードの前記ノード記述子は、ネットワーク機能サブネットインスタンス化のために要求される情報を記述するために利用され、
前記ネットワーク機能ノードの前記ネットワーク接続ポイント記述子は、前記ネットワーク機能ノードのネットワーク接続ポイント情報を記述するために利用され、
前記ネットワーク機能ノードの前記サービスアクセスポイント記述子は、前記ネットワーク機能ノードのサービスアクセスポイント情報を記述するために利用され、
前記ネットワーク機能ノード間の前記ネットワーク接続記述子は、前記ネットワーク機能ノード間のネットワーク接続情報を記述するために利用され、
前記ネットワーク機能ノード間の前記サービス接続記述子は、前記ネットワーク機能ノード間のサービス接続情報を記述するために利用される、
請求項１２に記載の方法。
【請求項１４】
前記ネットワークスライスサブネットテンプレートは、前記ネットワークスライスサブネットに含まれる仮想化されたネットワーク機能に対応するネットワークサービス記述子インデックスファイルをさらに含み、前記ネットワークサービス記述子インデックスファイルは、前記仮想化されたネットワーク機能の仮想リソース展開をインスタンス化するために利用される、
請求項１２又は１３に記載の方法。
【請求項１５】
前記ネットワークスライスサブネットテンプレートは、第１のネットワーク機能構成パラメータ情報サービス構成ファイルをさらに含み、前記第１のサービス構成ファイルは、前記ネットワーク機能のサービス展開のために利用され、前記第１のサービス構成ファイルは、前記ネットワークスライスサブネットインスタンスの非サービスアクセスポイント構成ファイルである、
請求項１２又は１３に記載の方法。
【請求項１６】
前記ネットワークサービス要件情報は、ネットワークサービス記述子のインスタンス化入力パラメータである、
請求項１４に記載の方法。
【請求項１７】
前記ネットワークサービス要件情報は、前記ネットワークスライスサブネットインスタンスに含まれる仮想化されたネットワーク機能に対応するネットワークサービス記述子ファイルである、
請求項１２又は１３に記載の方法。
【請求項１８】
前記サービス構成要件情報は、前記第１のサービス構成ファイルの入力パラメータであり、前記第１のサービス構成ファイルは、前記ネットワークスライスサブネットインスタンスの非サービスアクセスポイント構成ファイルである、
請求項１５に記載の方法。
【請求項１９】
前記サービス構成要件情報は、第１のサービス構成ファイルであり、前記第１のサービス構成ファイルは、前記ネットワーク機能のサービス展開のために利用され、前記第１のサービス構成ファイルは、前記ネットワークスライスサブネットインスタンスの非サービスアクセスポイント構成ファイルである、
請求項１２又は１３に記載の方法。
【請求項２０】
前記ネットワークスライスサブネット管理機能エンティティによって、前記ネットワークスライスサブネットテンプレートに基づいて、前記ネットワークスライスサブネット要件情報を、サービス構成要件情報と、ネットワークサービス要件情報と、トランスポートネットワーク要件情報とに分解する前記ステップの後に、前記方法は、
前記ネットワークスライスサブネット管理機能エンティティによって、前記ネットワークスライスサブネットテンプレートに基づいて、前記ネットワークスライスサブネットインスタンス及び他のネットワークスライスサブネットインスタンスのネットワーク接続ポイント情報と、前記ネットワークスライスサブネットインスタンス及び前記他のネットワークスライスサブネットインスタンスのサービスアクセスポイント情報とを取得するステップをさらに含む、
請求項１８又は１９に記載の方法。
【請求項２１】
前記ネットワークスライスサブネット管理機能エンティティによって、ネットワークスライスサブネットインスタンス化応答をネットワークスライス管理機能エンティティに送信する前記ステップの後に、前記方法は、
前記ネットワークスライスサブネット管理機能エンティティによって、サービスアクセス要求を前記ネットワークスライス管理機能エンティティから受信するステップであって、前記サービスアクセス要求は、ネットワークスライスサブネットテンプレート識別子と、ネットワークスライスインスタンス識別子と、サービスアクセスポイントインスタンス化情報とを含み、前記サービスアクセスポイントインスタンス化情報は、前記ネットワークスライスサブネットインスタンスと前記他のネットワークスライスサブネットインスタンスとの間の相互接続のためのサービスアクセスポイントのローカルアドレス情報及びピアアドレス情報と、ゲートウェイルータのアドレス情報とを含む、ステップと、
前記ネットワークスライスサブネット管理機能エンティティによって、前記ネットワークスライスサブネットテンプレート及び前記サービスアクセスポイントインスタンス化情報に基づいて、第２のサービス構成ファイルを生成するステップであって、前記第２のサービス構成ファイルは、前記ネットワークスライスサブネットインスタンスと前記他のネットワークスライスサブネットインスタンスとの間の相互接続のために利用されるサービス構成ファイルである、ステップとをさらに含む、
請求項２０に記載の方法。
【請求項２２】
前記ネットワークスライスサブネットインスタンス化要求は、前記ネットワークスライスサブネットインスタンスの展開エリアをさらに含み、前記ネットワークサービスインスタンス化要求は、前記ネットワークスライスサブネットインスタンスの前記展開エリアをさらに含む、
請求項１２に記載の方法。
【請求項２３】
前記ネットワークスライスサブネット要件情報は、ネットワークスライスサブネットテンプレート識別子又はネットワークスライスタイフ゜を含み、
前記ネットワークスライスサブネット管理機能エンティティによって、ネットワークスライスサブネットテンプレートを取得する前記ステップは、
前記ネットワークスライスサブネット管理機能エンティティによって、前記ネットワークスライスサブネットテンプレート識別子又は前記ネットワークスライスタイフ゜に基づいて、前記ネットワークスライスサブネットテンプレートを取得するステップを含む、
請求項１２に記載の方法。
【請求項２４】
管理及びオーケストレーションによって、トランスポートネットワークインスタンス化要求を受信するステップであって、前記トランスポートネットワークインスタンス化要求は、トランスポートネットワーク要件情報を含む、ステップと、
前記管理及びオーケストレーションによって、前記トランスポートネットワーク要件情報に基づいて、トランスポートネットワークインスタンス化を実行するステップと、
前記管理及びオーケストレーションによって、トランスポートネットワークインスタンス化応答を送信するステップと
を含む、ネットワークスライス管理方法。
【請求項２５】
プロセッサと、トランシーバと、メモリとを備えるネットワークスライス管理機能エンティティであって、前記メモリは、プログラムコードのセットを格納し、前記プロセッサは、前記メモリに格納された前記プログラムコードを読み出して、以下の動作、即ち、
ネットワークスライスインスタンス化要求を受信することであって、前記ネットワークスライスインスタンス化要求は、ネットワークスライス要件情報を含み、前記ネットワークスライス要件情報は、ネットワークスライステンプレート識別子又はネットワークスライスタイフ゜と、ネットワークスライス展開要件情報とを含む、ことと、
前記ネットワークスライステンプレート識別子又は前記ネットワークスライスタイフ゜に基づいて、ネットワークスライステンプレートを取得することと、
前記ネットワークスライス管理機能エンティティによって、前記ネットワークスライステンプレートに基づいて、前記ネットワークスライス要件情報を、前記ネットワークスライステンプレートに含まれるネットワークスライスサブネットのネットワークスライスサブネット要件情報と、前記ネットワークスライスにおけるトランスポートネットワーク要件情報とに分解することと、
前記ネットワークスライスに含まれる各ネットワークスライスサブネットについて、ネットワークスライスサブネットインスタンス化要求をネットワークスライスサブネット管理機能エンティティに送信することであって、前記ネットワークスライスサブネットインスタンス化要求は、前記ネットワークスライスサブネット要件情報を含む、ことと、
前記ネットワークスライスサブネット管理機能エンティティによって送信されたネットワークスライスサブネットインスタンス化応答を受信することであって、前記ネットワークスライスサブネットインスタンス化応答は、ネットワークスライスサブネットインスタンス化情報を含み、前記ネットワークスライスサブネットインスタンス化情報は、ネットワークスライスサブネットインスタンス識別子と、ネットワークスライスサブネットインスタンスのサービスアクセスポイントインスタンス化情報と、前記ネットワークスライスサブネットインスタンスのネットワーク接続ポイントインスタンス化情報とを含む、ことと、
トランスポートネットワークインスタンス化要求をトランスポートネットワークマネージャに送信することであって、前記トランスポートネットワークインスタンス化要求は、前記ネットワークスライスにおける前記トランスポートネットワーク要件情報と、全てのネットワークスライスサブネットインスタンスのネットワーク接続ポイント情報とを含む、ことと、
各ネットワークスライスサブネットのインスタンス化後に取得されるサービスアクセスポイント情報に基づいて、各ネットワークスライスサブネットインスタンスのサービス接続の確立をトリガすることと、
を実行するように構成されている、ネットワークスライス管理機能エンティティ。
【請求項２６】
プロセッサと、トランシーバと、メモリとを備えるネットワークスライスサブネット管理機能エンティティであって、前記メモリは、プログラムコードのセットを格納し、前記プロセッサは、前記メモリに格納された前記プログラムコードを読み出して、以下の動作、即ち、
ネットワークスライスサブネットインスタンス化要求を受信することであって、前記ネットワークスライスサブネットインスタンス化要求は、ネットワークスライスサブネット要件情報を含む、ことと、
ネットワークスライスサブネットテンプレートを取得することと、
前記ネットワークスライスサブネットテンプレートに基づいて、前記ネットワークスライスサブネット要件情報を、前記ネットワークスライスサブネットテンプレートに含まれるネットワーク機能のネットワークサービス要件情報と、サービス構成要件情報と、前記ネットワークスライスサブネットにおけるトランスポートネットワーク要件情報とに分解することと、
ネットワークスライスサブネットインスタンス化応答をネットワークスライス管理機能エンティティに送信することであって、前記ネットワークスライスサブネットインスタンス化応答は、ネットワークスライスサブネットインスタンス化情報を含み、前記ネットワークスライスサブネットインスタンス化情報は、ネットワークスライスサブネットインスタンス識別子と、ネットワークスライスサブネットインスタンスのサービスアクセスポイントインスタンス化情報と、前記ネットワークスライスサブネットインスタンスのネットワーク接続ポイントインスタンス化情報とを含む、ことと、
ネットワークサービスインスタンス化要求を管理及びオーケストレーションに送信することであって、前記ネットワークサービスインスタンス化要求は、前記ネットワークサービス要件情報を含む、ことと、
サービス構成要求を、前記ネットワークスライスサブネット管理機能エンティティに対応するエレメント管理システムに送信することであって、前記サービス構成要求は、前記サービス構成要件情報を含む、ことと、
トランスポートネットワークインスタンス化要求をトランスポートネットワークマネージャに送信することであって、前記トランスポートネットワークインスタンス化要求は、前記ネットワークスライスサブネットにおける前記トランスポートネットワーク要件情報を含む、ことと
を実行するように構成されている、ネットワークスライスサブネット管理機能エンティティ。
【請求項２７】
プロセッサと、トランシーバと、メモリとを備えるトランスポートネットワークマネージャであって、前記メモリは、プログラムコードのセットを格納し、前記プロセッサは、前記メモリに格納された前記プログラムコードを読み出して、以下の動作、即ち、
トランスポートネットワークインスタンス化要求を受信することであって、前記トランスポートネットワークインスタンス化要求は、トランスポートネットワーク要件情報を含む、ことと、
前記トランスポートネットワーク要件情報に基づいて、トランスポートネットワークインスタンス化を実行することと、
トランスポートネットワークインスタンス化応答を送信することと
を実行するように構成されている、トランスポートネットワークマネージャ。
【請求項２８】
請求項２５に記載の前記ネットワークスライス管理機能エンティティと、
請求項２６に記載の前記ネットワークスライスサブネット管理機能エンティティと、
請求項２７に記載の前記トランスポートネットワークマネージャとを含む、
ネットワークスライス管理システム。
【発明の詳細な説明】
【技術分野】
【０００１】
本出願の実施形態は、通信テクノロジの分野に関し、詳細には、ネットワークスライス管理方法及び装置に関する。
【背景技術】
【０００２】
本出願は、その全体が参照によって本明細書に組み込まれている、２０１７年９月３０日に中国国家知的財産局に出願された「ＮＥＴＷＯＲＫ  ＳＬＩＣＥ  ＭＡＮＡＧＥＭＥＮＴ  ＭＥＴＨＯＤ  ＡＮＤ  ＡＰＰＡＲＡＴＵＳ」と題されている中国特許出願第２０１７１０９２８２１２．Ｘ号に対する優先権を主張するものである。
【０００３】
種々の通信サービスが継続的に出現しているので、ネットワークパフォーマンスに対する様々な通信サービスの要件は大きく異なっている。ネットワークパフォーマンスに対する様々な通信サービスの異なる要件を満たすために、ネットワークスライス（ｎｅｔｗｏｒｋ  ｓｌｉｃｅ、ＮＳ）というコンセプトが、第５世代（ｔｈｅ  ５ｔｈ−ｇｅｎｅｒａｔｉｏｎ、５Ｇ）モバイル通信システムに導入されている。
【０００４】
ネットワークスライシングとは、異なるサービス要件に基づき物理的な又は仮想のネットワークインフラストラクチャ上で異なる論理ネットワークのカスタマイゼーションを行うことを指す。ネットワークスライスは、端末デバイスと、アクセスネットワークと、トランスポートネットワークと、コアネットワークと、アプリケーションサーバとを含む完全なエンドツーエンドネットワークであり得る。ネットワークスライスは、完全な通信サービスを提供することが可能であり、ネットワーク能力を有する。ネットワークスライスは、代替として、端末デバイス、アクセスネットワーク、トランスポートネットワーク、コアネットワーク、及びアプリケーションサーバの任意の組合せであり得る。
【０００５】
ネットワークスライスインスタンス（ｎｅｔｗｏｒｋ  ｓｌｉｃｅ  ｉｎｓｔａｎｃｅ、ＮＳＩ）は、動作する現実の論理ネットワークであり、ネットワーク特徴又はサービス要件を満たすことが可能である。ネットワークスライスインスタンスは、ネットワークスライステンプレート（ｎｅｔｗｏｒｋ  ｓｌｉｃｅ  ｔｅｍｐｌａｔｅ、ＮＳＴ）を利用することによるインスタンス化を通じて取得され得る。完全なネットワークスライスインスタンスは、完全なエンドツーエンドネットワークサービスを提供することが可能であり、ネットワークスライスインスタンスは、いくつかのネットワークスライスサブネットインスタンス（ｎｅｔｗｏｒｋ  ｓｌｉｃｅ  ｓｕｂｎｅｔ  ｉｎｓｔａｎｃｅ、ＮＳＳＩ）及び／又はいくつかのネットワーク機能（ｎｅｔｗｏｒｋ  ｆｕｎｃｔｉｏｎ、ＮＦ）を含み得る。ＮＳＳＩは、ネットワークスライスサブネットテンプレート（ｎｅｔｗｏｒｋ  ｓｌｉｃｅ  ｓｕｂｎｅｔ  ｔｅｍｐｌａｔｅ、ＮＳＳＴ）を利用することによるインスタンス化を通じて取得され得る。
【０００６】
ネットワークスライス管理プロセスは、次の通りである。通信サービス管理機能（ｃｏｍｍｕｎｉｃａｔｉｏｎ  ｓｅｒｖｉｃｅ  ｍａｎａｇｅｍｅｎｔ  ｆｕｎｃｔｉｏｎ、ＣＳＭＦ）が、顧客のサービス要件を受信し、サービス要件をネットワークスライス要件へと変換し、ネットワークスライス要件をネットワークスライス管理機能（ｎｅｔｗｏｒｋ  ｓｌｉｃｅ  ｍａｎａｇｅｍｅｎｔ  ｆｕｎｃｔｉｏｎ、ＮＳＭＦ）へ送信し、ＮＳＭＦは、受信されたネットワークスライス要件をネットワークスライスサブネット要件へと変換し、ネットワークスライスサブネット要件をネットワークスライスサブネット管理機能（ｎｅｔｗｏｒｋ  ｓｌｉｃｅ  ｓｕｂｎｅｔ  ｍａｎａｇｅｍｅｎｔ  ｆｕｎｃｔｉｏｎ、ＮＳＳＭＦ）へ送信し、ＮＳＳＭＦは、ネットワークスライスサブネット要件をネットワーク機能要件へと変換し、ネットワーク機能要件を管理及びオーケストレーション（ｍａｎａｇｅｍｅｎｔ  ａｎｄ  ｏｒｃｈｅｓｔｒａｔｉｏｎ、ＭＡＮＯ）へ送信し、ＭＡＮＯは、ネットワーク機能要件に基づいてネットワークサービスインスタンス化を実行する。この管理プロセスに基づくと、ネットワークスライスに関する自動的な管理をどのようにして実施するかが、解決されるべき差し迫った問題である。
【発明の概要】
【０００７】
本出願の実施形態において解決されるべき技術的な問題は、ネットワークスライスに関する自動的な管理を実施するために、ネットワークスライステンプレートを利用することによってネットワークスライス要件情報が分解されるようなネットワークスライス管理方法及び装置を提供することである。
【０００８】
本出願の実施形態の第１の態様は、
ネットワークスライス管理機能エンティティによって、ネットワークスライスインスタンス化要求を受信するステップであって、ネットワークスライスインスタンス化要求は、ネットワークスライス要件情報を含み、ネットワークスライス要件情報は、ネットワークスライステンプレート識別子又はネットワークスライスタイプ、及びネットワークスライス展開要件情報を含む、ステップと、
ネットワークスライス管理機能エンティティによって、ネットワークスライステンプレート識別子又はネットワークスライスタイプに基づいてネットワークスライステンプレートを取得するステップと、
ネットワークスライス管理機能エンティティによってネットワークスライステンプレートに基づいて、ネットワークスライス要件情報を、ネットワークスライステンプレートに含まれるネットワークスライスサブネットのネットワークスライスサブネット要件情報、及びネットワークスライスにおけるトランスポートネットワーク要件情報へと分解するステップと、
ネットワークスライスに含まれる各ネットワークスライスサブネットに関して、ネットワークスライス管理機能エンティティによって、ネットワークスライスサブネットインスタンス化要求をネットワークスライスサブネット管理機能エンティティへ送信するステップであって、ネットワークスライスサブネットインスタンス化要求は、ネットワークスライスサブネット要件情報を含む、ステップと、
ネットワークスライス管理機能エンティティによって、ネットワークスライスサブネット管理機能エンティティによって送信されたネットワークスライスサブネットインスタンス化応答を受信するステップであって、ネットワークスライスサブネットインスタンス化応答は、ネットワークスライスサブネットインスタンス化情報を含み、ネットワークスライスサブネットインスタンス化情報は、ネットワークスライスサブネットインスタンス識別子、ネットワークスライスサブネットインスタンスのサービスアクセスポイントインスタンス化情報、及びネットワークスライスサブネットインスタンスのネットワーク接続ポイントインスタンス化情報を含む、ステップと、
ネットワークスライス管理機能エンティティによって、トランスポートネットワークインスタンス化要求をトランスポートネットワークマネージャへ送信するステップであって、トランスポートネットワークインスタンス化要求は、ネットワークスライスにおけるトランスポートネットワーク要件情報、及び全てのネットワークスライスサブネットインスタンスのネットワーク接続ポイント情報を含む、ステップと、
ネットワークスライス管理機能エンティティによって、各ネットワークスライスサブネットのインスタンス化後に取得されたサービスアクセスポイント情報に基づいて、各ネットワークスライスサブネットインスタンスのサービス接続の確立をトリガするステップとを含むネットワークスライス管理方法を提供する。
【０００９】
第２の態様によれば、本出願の実施形態は、第１の態様におけるステップを実行するように構成されているユニット又は手段（ｍｅａｎｓ）を含むネットワークスライス管理機能エンティティを提供する。
【００１０】
第３の態様によれば、本出願の実施形態は、少なくとも１つの処理要素と少なくとも１つのストレージ要素とを含むネットワークスライス管理機能エンティティを提供し、少なくとも１つのストレージ要素は、プログラム及びデータを格納するように構成されており、少なくとも１つの処理要素は、本出願の第１の態様において提供されている方法を実行するように構成されている。
【００１１】
第４の態様によれば、本出願の実施形態は、第１の態様における方法を実行するように構成されている少なくとも１つの処理要素（又はチップ）を含むネットワークスライス管理機能エンティティを提供する。
【００１２】
第５の態様によれば、本出願の実施形態は、プログラムを提供し、このプログラムは、プロセッサによって実行されるときに第１の態様における方法を実行するために利用される。
【００１３】
第６の態様によれば、本出願の実施形態は、第５の態様におけるプログラムを含むプログラム製品、例えば、コンピュータ可読ストレージメディアを提供する。
【００１４】
第１の態様から第６の態様においては、ネットワークスライステンプレートを利用することによってネットワークスライス要件情報が分解され、それによってネットワークスライスに関する自動的な管理が実施可能であると理解されることが可能である。
【００１５】
可能な実装においては、ネットワークスライステンプレートは、ネットワークスライスサブネットテンプレート識別子と、ネットワークスライスサブネットノードのネットワーク接続ポイント記述子と、ネットワークスライスサブネットノードのサービスアクセスポイント記述子と、ネットワークスライスサブネットノード間におけるネットワーク接続記述子と、ネットワークスライスサブネットノード間におけるサービス接続記述子とを含む。
【００１６】
ネットワークスライスサブネットノードのネットワーク接続ポイント記述子は、ネットワークスライスサブネットノードのネットワーク接続ポイント情報を記述するために利用される。ネットワークスライスサブネットノードのサービスアクセスポイント記述子は、ネットワークスライスサブネットノードのサービスアクセスポイント情報を記述するために利用される。ネットワークスライスサブネットノード間におけるネットワーク接続記述子は、ネットワークスライスサブネットノード間におけるネットワーク接続情報を記述するために利用される。ネットワークスライスサブネットノード間におけるサービス接続記述子は、ネットワークスライスサブネットノード間におけるサービス接続情報を記述するために利用される。
【００１７】
ネットワークスライスインスタンスがネットワークスライスサブネットインスタンスを含む場合には、ネットワークスライステンプレートに含まれるコンテンツが記述され、それによってネットワークスライス管理機能エンティティは、ネットワークスライス要件情報に基づいて、各コンポーネントによって必要とされる入力パラメータを決定する。
【００１８】
可能な実装においては、ネットワークスライスサブネットテンプレート識別子に対応するネットワークスライスサブネットテンプレートは、ネットワークスライスサブネットに含まれるネットワーク機能ノードのノード記述子と、ネットワーク機能ノードのネットワーク接続ポイント記述子と、ネットワーク機能ノードのサービスアクセスポイント記述子と、ネットワーク機能ノード間におけるネットワーク接続記述子と、ネットワーク機能ノード間におけるサービス接続記述子とを含む。ネットワークスライスサブネットインスタンス化に必要とされるコンポーネント情報を定義することは、ネットワークスライスサブネットテンプレートに含まれるコンテンツを定義することを意味し、それによってネットワークスライスサブネット管理機能エンティティは、ネットワークスライスサブネット要件情報に基づいて、各コンポーネントによって必要とされる入力パラメータを決定する。
【００１９】
可能な実装においては、ネットワークスライステンプレートは、ネットワーク機能サブネットインスタンス化に必要とされる情報と、ネットワーク機能ノードのネットワーク接続ポイント記述子と、ネットワーク機能ノードのサービスアクセスポイント記述子と、ネットワーク機能ノード間におけるネットワーク接続記述子と、ネットワーク機能ノード間におけるサービス接続記述子とを含む。
【００２０】
ネットワークスライスインスタンスがネットワーク機能を含む場合には、ネットワークスライステンプレートに含まれるコンテンツが記述され、それによってネットワークスライス管理機能エンティティは、ネットワークスライス要件情報に基づいて、各コンポーネントによって必要とされる入力パラメータを決定する。
【００２１】
可能な実装においては、ネットワークスライスインスタンスがネットワーク機能を含む場合には、ネットワークスライステンプレートは、ネットワークスライスに含まれる仮想化ネットワーク機能に対応するネットワークサービス記述子インデックスファイルをさらに含み、ネットワークサービス記述子インデックスファイルは、仮想化ネットワーク機能の仮想リソースの展開をインスタンス化するために利用され、それによってネットワークスライス管理機能エンティティは、ネットワークサービス記述子のインスタンス化入力パラメータを生成する。
【００２２】
可能な実装においては、ネットワークスライスインスタンスがネットワーク機能を含む場合には、ネットワークスライステンプレートは、サービス構成ファイルをさらに含み、サービス構成ファイルは、１つのサービス機能又はいくつかのサービス機能を実施するためにネットワーク機能のサービス構成のために利用される。
【００２３】
可能な実装においては、ネットワークスライス管理機能エンティティがネットワークスライスサブネットインスタンス化要求をネットワークスライスサブネット管理機能エンティティへ送信する前に、ネットワークスライス管理機能エンティティは、ネットワークスライス要件情報に基づいてネットワークスライスサブネットインスタンスの展開エリアを決定する。ネットワークスライスサブネットインスタンス化要求は、ネットワークスライスサブネットインスタンスの展開エリアをさらに含み、それによって管理及びオーケストレーションは、正しいエリアにおけるデータセンタにおいて、ネットワークスライスサブネットインスタンスに対応するネットワーク機能を後で展開することが可能である。
【００２４】
可能な実装においては、ネットワークスライスサブネット要件情報は、ネットワークスライスサブネットテンプレート識別子又はネットワークスライスタイプをさらに含み、それによってネットワークスライスサブネット管理機能エンティティは、ネットワークスライスサブネットテンプレートを取得する。
【００２５】
可能な実装においては、ネットワークスライスサブネットインスタンス化要求は、ネットワークスライスに対応するネットワークスライスインスタンス識別子をさらに含む。
【００２６】
可能な実装においては、ネットワークスライス管理機能エンティティは、各ネットワークスライスサブネット管理機能エンティティによって送信されるインスタンス化応答に基づいてトランスポートネットワークインスタンス化要求を構築し、トランスポートネットワークインスタンス化要求をトランスポートネットワークマネージャへ送信する。
【００２７】
可能な実装においては、ネットワークスライス管理機能エンティティは、各ネットワークスライスサブネットのインスタンス化後に取得されたサービスアクセスポイント情報に基づいて、サービスアクセス要求を、対応するネットワークスライスサブネット管理機能エンティティへ送信し、サービスアクセス要求は、ネットワークスライスインスタンス識別子、対応するネットワークスライスサブネットテンプレート識別子、及び対応するサービスアクセスポイント情報を含み、サービスアクセス要求は、サービス接続を確立する目的で、対応するネットワークスライスサブネット関連付け機能エンティティをトリガするために利用される。
【００２８】
本出願の実施形態の第７の態様は、
ネットワークスライスサブネット管理機能エンティティによって、ネットワークスライスサブネットインスタンス化要求を受信するステップであって、ネットワークスライスサブネットインスタンス化要求は、ネットワークスライスサブネット要件情報を含む、ステップと、
ネットワークスライスサブネット管理機能エンティティによって、ネットワークスライスサブネットテンプレートを取得するステップと、
ネットワークスライスサブネット管理機能エンティティによってネットワークスライスサブネットテンプレートに基づいて、ネットワークスライスサブネット要件情報を、ネットワークスライスサブネットテンプレートに含まれるネットワーク機能のネットワークサービス要件情報、サービス構成要件情報、及びネットワークスライスサブネットにおけるトランスポートネットワーク要件情報へと分解するステップと、
ネットワークスライスサブネット管理機能エンティティによって、ネットワークスライスサブネットインスタンス化応答をネットワークスライス管理機能エンティティへ送信するステップであって、ネットワークスライスサブネットインスタンス化応答は、ネットワークスライスサブネットインスタンス化情報を含み、ネットワークスライスサブネットインスタンス化情報は、ネットワークスライスサブネットインスタンス識別子、ネットワークスライスサブネットインスタンスのサービスアクセスポイントインスタンス化情報、及びネットワークスライスサブネットインスタンスのネットワーク接続ポイントインスタンス化情報を含む、ステップと、
ネットワークスライスサブネット管理機能エンティティによって、ネットワークサービスインスタンス化要求を管理及びオーケストレーションへ送信するステップであって、ネットワークサービスインスタンス化要求は、ネットワークサービス要件情報を含む、ステップと、
ネットワークスライスサブネット管理機能エンティティによって、サービス構成要求を、ネットワークスライスサブネット管理機能エンティティに対応する要素管理システムへ送信するステップであって、サービス構成要求は、サービス構成要件情報を含む、ステップと、
ネットワークスライスサブネット管理機能エンティティによって、トランスポートネットワークインスタンス化要求をトランスポートネットワークマネージャへ送信するステップであって、トランスポートネットワークインスタンス化要求は、ネットワークスライスサブネットにおけるトランスポートネットワーク要件情報を含む、ステップとを含むネットワークスライス管理方法を提供する。
【００２９】
第８の態様によれば、本出願の実施形態は、第７の態様におけるステップを実行するように構成されているユニット又は手段（ｍｅａｎｓ）を含むネットワークスライスサブネット管理機能エンティティを提供する。
【００３０】
第９の態様によれば、本出願の実施形態は、少なくとも１つの処理要素と少なくとも１つのストレージ要素とを含むネットワークスライスサブネット管理機能エンティティを提供し、少なくとも１つのストレージ要素は、プログラム及びデータを格納するように構成されており、少なくとも１つの処理要素は、本出願の第７の態様において提供されている方法を実行するように構成されている。
【００３１】
第１０の態様によれば、本出願の実施形態は、第７の態様における方法を実行するように構成されている少なくとも１つの処理要素（又はチップ）を含むネットワークスライスサブネット管理機能エンティティを提供する。
【００３２】
第１１の態様によれば、本出願の実施形態は、プログラムを提供し、このプログラムは、プロセッサによって実行されているときに第７の態様における方法を実行するために利用される。
【００３３】
第１２の態様によれば、本出願の実施形態は、第１１の態様におけるプログラムを含むプログラム製品、例えば、コンピュータ可読ストレージメディアを提供する。
【００３４】
第７の態様から第１２の態様においては、ネットワークスライスサブネットテンプレートを利用することによってネットワークスライスサブネット要件情報が分解され、それによってネットワークスライスサブネットに関する自動的な管理が実施可能であると理解されることが可能である。
【００３５】
可能な実装においては、ネットワークスライスサブネットテンプレートは、ネットワークスライスサブネットに含まれるネットワーク機能ノードのノード記述子と、ネットワーク機能ノードのネットワーク接続ポイント記述子と、ネットワーク機能ノードのサービスアクセスポイント記述子と、ネットワーク機能ノード間におけるネットワーク接続記述子と、ネットワーク機能ノード間におけるサービス接続記述子とを含む。
【００３６】
ネットワーク機能ノードのノード記述子は、ネットワーク機能サブネットインスタンス化に必要とされる情報を記述するために利用される。ネットワーク機能ノードのネットワーク接続ポイント記述子は、ネットワーク機能ノードのネットワーク接続ポイント情報を記述するために利用される。ネットワーク機能ノードのサービスアクセスポイント記述子は、ネットワーク機能ノードのサービスアクセスポイント情報を記述するために利用される。ネットワーク機能ノード間におけるネットワーク接続記述子は、ネットワーク機能ノード間におけるネットワーク接続情報を記述するために利用される。ネットワーク機能ノード間におけるサービス接続記述子は、ネットワーク機能ノード間におけるサービス接続情報を記述するために利用される。
【００３７】
ネットワークスライスサブネットテンプレートに含まれるコンテンツが記述され、それによってネットワークスライスサブネット管理機能エンティティは、ネットワークスライスサブネット要件情報に基づいて、各コンポーネントによって必要とされる入力パラメータを決定する。
【００３８】
可能な実装においては、ネットワークスライスサブネットテンプレートは、ネットワークスライスサブネットに含まれる仮想化ネットワーク機能に対応するネットワークサービス記述子インデックスファイルをさらに含み、ネットワークサービス記述子インデックスファイルは、仮想化ネットワーク機能の仮想リソースの展開をインスタンス化するために利用される。
【００３９】
可能な実装においては、ネットワークスライスサブネットテンプレートは、第１のネットワーク機能構成パラメータ情報サービス構成ファイルをさらに含み、第１のサービス構成ファイルは、ネットワーク機能のサービス展開のために利用され、第１のサービス構成ファイルは、ネットワークスライスサブネットインスタンスの非サービスアクセスポイント構成ファイルである。
【００４０】
可能な実装においては、ネットワークスライスサブネットテンプレートが、ネットワークスライスサブネットに含まれる仮想化ネットワーク機能に対応するネットワークサービス記述子インデックスファイルを含む場合には、ネットワークスライスサブネット管理機能エンティティは、ネットワークスライスサブネットテンプレートに含まれる全てのコンポーネントの入力パラメータに基づいてネットワークサービス記述子のインスタンス化入力パラメータを生成する。
【００４１】
可能な実装においては、ネットワークスライスサブネットテンプレートが、ネットワークスライスサブネットに含まれる仮想化ネットワーク機能に対応するネットワークサービス記述子インデックスファイルを含まない場合には、ネットワークスライスサブネット管理機能エンティティは、ネットワークスライスサブネットテンプレートに含まれるコンポーネントの入力パラメータに基づいて、ネットワークスライスサブネットインスタンスに含まれる仮想化ネットワーク機能に対応するネットワークサービス記述子ファイルを生成する。
【００４２】
可能な実装においては、ネットワークスライスサブネットテンプレートが第１のネットワーク機能構成パラメータ情報サービス構成ファイルを含む場合には、ネットワークスライスサブネット管理機能エンティティは、ネットワークスライスサブネットテンプレートに含まれるコンポーネントの入力パラメータに基づいて第１のサービス構成ファイルの入力パラメータを生成し、第１のサービス構成ファイルは、ネットワークスライスサブネットインスタンスの非サービスアクセスポイント構成ファイルである。
【００４３】
可能な実装においては、ネットワークスライスサブネットテンプレートが第１のネットワーク機能構成パラメータ情報サービス構成ファイルを含まない場合には、ネットワークスライスサブネット管理機能エンティティは、ネットワークスライスサブネットテンプレートに含まれるコンポーネントの入力パラメータに基づいて第１のサービス構成ファイルを生成し、第１のサービス構成ファイルは、ネットワーク機能のサービス展開のために利用され、第１のサービス構成ファイルは、ネットワークスライスサブネットインスタンスの非サービスアクセスポイント構成ファイルである。
【００４４】
可能な実装においては、ネットワークスライスサブネット管理機能エンティティは、ネットワークスライスサブネットテンプレートに基づいて、ネットワークスライスサブネットインスタンス及び別のネットワークスライスサブネットインスタンスのネットワーク接続ポイント情報、並びにネットワークスライスサブネットインスタンス及び別のネットワークスライスサブネットインスタンスのサービスアクセスポイント情報を取得する。
【００４５】
可能な実装においては、ネットワークスライスサブネットインスタンス化応答をネットワークスライス管理機能エンティティへ送信した後に、ネットワークスライスサブネット管理機能エンティティは、ネットワークスライス管理機能エンティティからサービスアクセス要求を受信する。サービスアクセス要求は、ネットワークスライスサブネットテンプレート識別子、ネットワークスライスインスタンス識別子、及びサービスアクセスポイントインスタンス化情報を含む。サービスアクセスポイントインスタンス化情報は、ネットワークスライスサブネットインスタンスと別のネットワークスライスサブネットインスタンスとの間における相互接続のためのサービスアクセスポイントのローカルアドレス情報及びピアアドレス情報と、ゲートウェイルータのアドレス情報とを含む。ネットワークスライスサブネット管理機能エンティティは、ネットワークスライスサブネットテンプレート及びサービスアクセスポイントインスタンス化情報に基づいて第２のサービス構成ファイルを生成し、第２のサービス構成ファイルは、ネットワークスライスサブネットインスタンスと別のネットワークスライスサブネットインスタンスとの間における相互接続のために利用されるサービス構成ファイルである。
【００４６】
可能な実装においては、ネットワークスライスサブネットインスタンス化要求は、ネットワークスライスサブネットインスタンスの展開エリアをさらに含み、ネットワークサービスインスタンス化要求は、ネットワークスライスサブネットインスタンスの展開エリアをさらに含む。
【００４７】
可能な実装においては、ネットワークスライスサブネット要件情報は、ネットワークスライスサブネットテンプレート識別子又はネットワークスライスタイプを含み、それによってネットワークスライスサブネット管理機能エンティティは、ネットワークスライスサブネットテンプレート識別子又はネットワークスライスタイプに基づいてネットワークスライスサブネットテンプレートを取得する。
【００４８】
本出願の実施形態の第１３の態様は、
管理及びオーケストレーションによって、トランスポートネットワークインスタンス化要求を受信するステップであって、トランスポートネットワークインスタンス化要求は、トランスポートネットワーク要件情報を含む、ステップと、
管理及びオーケストレーションによって、トランスポートネットワーク要件情報に基づいてトランスポートネットワークインスタンス化を実行するステップと、
管理及びオーケストレーションによって、トランスポートネットワークインスタンス化応答を送信するステップとを含むネットワークスライス管理方法を提供する。
【００４９】
第１４の態様によれば、本出願の実施形態は、第１３の態様におけるステップを実行するように構成されているユニット又は手段（ｍｅａｎｓ）を含む管理及びオーケストレーションを提供する。
【００５０】
第１５の態様によれば、本出願の実施形態は、少なくとも１つの処理要素と少なくとも１つのストレージ要素とを含む管理及びオーケストレーションを提供し、少なくとも１つのストレージ要素は、プログラム及びデータを格納するように構成されており、少なくとも１つの処理要素は、本出願の第１３の態様において提供されている方法を実行するように構成されている。
【００５１】
第１６の態様によれば、本出願の実施形態は、第１３の態様における方法を実行するように構成されている少なくとも１つの処理要素（又はチップ）を含む管理及びオーケストレーションを提供する。
【００５２】
第１７の態様によれば、本出願の実施形態は、プログラムを提供し、このプログラムは、プロセッサによって実行されているときに第１３の態様における方法を実行するために利用される。
【００５３】
第１８の態様によれば、本出願の実施形態は、第１７の態様におけるプログラムを含むプログラム製品、例えば、コンピュータ可読ストレージメディアを提供する。
【００５４】
第１３の態様から第１８の態様においては、管理及びオーケストレーションは、受信されたトランスポートネットワーク要件情報に基づいてトランスポートネットワークインスタンス化を実行し得るし、それによって、ネットワークスライスインスタンスに含まれるネットワークスライスサブネットインスタンスを含むトランスポートネットワークのインスタンス化と、ネットワークスライスサブネットインスタンスに含まれるネットワーク機能を含むトランスポートネットワークのインスタンス化との両方が実施可能であると理解されることが可能である。
【００５５】
本出願の実施形態は、ネットワークスライス管理機能エンティティと、ネットワークスライスサブネット管理機能エンティティと、トランスポートネットワークマネージャとを含むネットワークスライス管理システムをさらに提供する。
【図面の簡単な説明】
【００５６】
本出願の実施形態における、又は背景技術における技術的なソリューションをより明確に記述するために、以降では、本出願の実施形態又は背景技術を記述するのに必要とされる添付の図面を簡単に記述する。
【００５７】
【図１】本出願の実施形態が適用されるネットワークアーキテクチャの概略図である。
【図２Ａ】本出願の実施形態によるネットワークスライス管理方法のフローチャートである。
【図２Ｂ】本出願の実施形態によるネットワークスライス管理方法のフローチャートである。
【図３】本出願の実施形態によるネットワークスライステンプレートの概略構成図である。
【図４】本出願の実施形態によるネットワーク接続及びサービス接続の概略図である。
【図５Ａ】本出願の実施形態によるネットワークスライスサブネットインスタンス化の概略フローチャートである。
【図５Ｂ】本出願の実施形態によるネットワークスライスサブネットインスタンス化の概略フローチャートである。
【図６】本出願の実施形態によるネットワークスライスサブネットテンプレートの概略構成図である。
【図７】本出願の実施形態によるサービス接続インスタンス化の概略フローチャートである。
【図８】本出願の実施形態によるデバイスの論理構造の概略図である。
【図９】本出願の実施形態によるデバイスのエンティティ構造の簡略化された概略図である。
【発明を実施するための形態】
【００５８】
５Ｇにおいては、多様なサービス要件が、ネットワークの速度、パフォーマンス、セキュリティ、信頼性、及び待ち時間に関する異なる要件を有する。例えば、拡張モバイルブロードバンド（ｅｎｈａｎｃｅｄ  ｍｏｂｉｌｅ  ｂｒｏａｄｂａｎｄ、ｅＭＢＢ）のシナリオ（例えば、仮想現実のシナリオ又は拡張現実のシナリオ）においては、バンド幅要件が比較的高く、ｘＧｂｐｓレベルのバンド幅が必要とされる。別の例に関しては、マッシブマシンタイプ通信（ｍａｓｓｉｖｅ  ｍａｃｈｉｎｅ  ｔｙｐｅ  ｃｏｍｍｕｎｉｃａｔｉｏｎ、ｍＭＴＣ）のシナリオ（例えば、ウエアラブルのシナリオ又はスマートグリッドのシナリオ）においては、大量のデバイスのアクセスがサポートされる必要があり、例えば、数億個のデバイスによるアクセス、又は数十億個のデバイスによるアクセスがサポートされる必要がある。別の例に関しては、超高信頼低遅延（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ、ＵＲＬＬＣ）のシナリオ（例えば、自動運転のシナリオ、遠隔手術のシナリオ、又は産業制御のシナリオ）においては、１ｍｓの超低遅延がサポートされる必要がある。様々なシナリオの要件、様々な要件、及び究極の経験を満たすためにネットワークスライシングが出現している。５Ｇのシナリオ及び要件に基づいて、様々な特徴を有するネットワークがフレキシブルに構築されることが可能である。
【００５９】
ネットワークスライシングテクノロジは、ネットワークを、互いに分離されている１つ又は複数のネットワークスライスとして論理的に抽象化することになり、各ネットワークスライスは、様々なサービスタイプの分化した要件を適切に満たすために一連の論理ネットワーク機能を含む。
【００６０】
ネットワークスライシングテクノロジは、シナリオ要件に基づいて、５Ｇネットワークの物理的なインフラストラクチャリソースを、互いに独立した複数の並列なネットワークスライスインスタンスとして抽象化することになる。各ネットワークスライスインスタンスにおいては、サービスシナリオ要件及びサービスモデルに基づいて、ネットワーク機能がカスタマイズ及び調整され、対応するネットワーク機能が結集及び管理される。１つのネットワークスライスインスタンスは、１つのインスタンス化された５Ｇネットワークとみなされ得る。そのようなネットワーク構造によれば、オペレータは、ネットワークをユーザのためのサービスとして提供することを可能にされ、様々なユーザの要件を満たすために、速度、キャパシティ、カバレッジ、待ち時間、信頼性、セキュリティ、及び可用性などのインジケータに基づいてエンティティネットワークを自由に組み合わせることが可能である。
【００６１】
異なるネットワークスライスは、異なるネットワーク機能を提供することが可能である。例えば、モバイルインテリジェント端末（例えば、モバイル電話）が通信を実行するシナリオに関しては、独立したネットワークスライスが利用され得る。別の例に関しては、インターネットオブビークルのシナリオにおいては、主として自動運転サービスに関する超低遅延の要件があり、ネットワーク処理の待ち時間及び信頼性上の比較的高い要件があるので、独立したネットワークスライスも利用され得る。別の例に関しては、ｍＭＴＣのシナリオにおいては、比較的多量のアクセスデバイスがあるが、アクセスデバイスによって送信されるパケットは比較的小さく、ネットワーク待ち時間上の要件は比較的低いので、独立したネットワークスライスも利用され得る。異なるネットワークスライスは、異なる機能及び異なるサービス品質要件を提供する必要があるので、異なるネットワーク機能は、異なるネットワークスライス上で展開され得る。
【００６２】
本出願の実施形態において利用されている用語又は名称が、以降に記述されている。
【００６３】
ネットワークスライスは、論理的に分離されているネットワークであり、物理的な又は仮想のインフラストラクチャ上で展開され、特定のネットワーク能力及び特定のネットワーク特徴をサポートするために利用される。ネットワークスライスは、アクセスネットワークと、トランスポートネットワークと、コアネットワークと、アプリケーションサーバとを含む完全なエンドツーエンド（ｅｎｄ  ｔｏ  ｅｎｄ、Ｅ２Ｅ）ネットワークを含み得る。いくつかのネットワーク機能はまた、複数のネットワークスライスによって共有され得る。ネットワークスライスは、第３世代パートナーシッププロジェクト（３ｒｄ  ｇｅｎｅｒａｔｉｏｎ  ｐａｒｔｎｅｒｓｈｉｐ  ｐｒｏｊｅｃｔ、３ＧＰＰ）によって提案されている第５世代（５ｔｈ  ｇｅｎｅｒａｔｉｏｎ、５Ｇ）モバイル通信テクノロジの分化したネットワーク要件を満たすキーテクノロジである。通常、異なるネットワークスライスは、異なるネットワーク特徴を有し、ネットワークスライスは、互いに分離されること、及び互いにインパクトをもたらさないことを必要とされる。例えば、拡張現実（ａｕｇｍｅｎｔｅｄ  ｒｅａｌｉｔｙ、ＡＲ）サービス又は仮想現実（ｖｉｒｔｕａｌ  ｒｅａｌｉｔｙ、ＶＲ）サービスに関するネットワークスライスは、高いバンド幅及び低い待ち時間を必要とする。インターネットオブシングス（ｉｎｔｅｒｎｅｔ  ｏｆ  ｔｈｉｎｇｓ、ＩｏＴ）サービスに関するネットワークスライスは、大量の端末によるアクセスのサポートを必要とするが、低いバンド幅を必要とし、待ち時間上の要件を有さない。ネットワークスライスは、代替として、端末デバイス、アクセスネットワーク、トランスポートネットワーク、コアネットワーク、及びアプリケーションサーバの任意の組合せであり得る。
【００６４】
ネットワークスライスインスタンスは、動作する現実の論理ネットワークであり、ネットワーク特徴又はサービス要件を満たすことが可能である。ネットワークスライスインスタンスは、１つ又は複数のネットワークサービスを提供し得る。ネットワークスライスインスタンスは、ネットワークスライス管理システムによって作成され得る。１つのネットワークスライス管理システムは、複数のネットワークスライスインスタンスを作成し得るし、それらのネットワークスライスインスタンスを中央で管理し得る。ネットワークスライスインスタンスは、ネットワークスライステンプレートを利用することによって作成され得る。
【００６５】
ネットワークスライスインスタンスを作成するために、ネットワークスライステンプレート（ｎｅｔｗｏｒｋ  ｓｌｉｃｅ  ｔｅｍｐｌａｔｅ、ＮＳＴ）が利用される。
【００６６】
完全なネットワークスライスインスタンスは、完全なエンドツーエンドネットワークサービスを提供することが可能であり、ネットワークスライスインスタンスは、ネットワークスライスサブネットインスタンス及び／又はネットワーク機能を含み得る。ネットワークスライスサブネットインスタンスは、完全なエンドツーエンドネットワークサービスを提供する必要はないことがある。ネットワークスライスサブネットインスタンスは、ネットワークスライスインスタンスにおける同じ機器ベンダーのネットワーク機能のセットであり得るし、又はドメイン、例えば、コアネットワークのネットワークスライスサブネットインスタンス、及びアクセスネットワークのネットワークスライスサブネットインスタンスに基づいて分類されたネットワーク機能のセットであり得る。ネットワークスライスサブネットインスタンスは、複数のネットワークスライスインスタンスによって共有され得る。１つのネットワークスライスインスタンスは、複数のネットワークスライスサブネットインスタンスを含み得るし、各ネットワークスライスサブネットインスタンスは、複数のネットワーク機能及び／又はその他のネットワークスライスサブネットインスタンスを含む。１つのネットワークスライスインスタンスは、いくつかのネットワークスライスサブネットインスタンス、及びネットワークスライスサブネットインスタンスへと分類されないネットワーク機能を直接含み得る。１つのネットワークスライスインスタンスは、代替として、いくつかのネットワーク機能のみを含み得る。
【００６７】
ネットワークスライスサブネットインスタンスを作成するために、ネットワークスライスサブネットテンプレート（ｎｅｔｗｏｒｋ  ｓｌｉｃｅ  ｓｕｂｎｅｔ  ｔｅｍｐｌａｔｅ、ＮＳＳＴ）が利用される。
【００６８】
ネットワーク機能は、提供されるネットワークサービスを意味し、機能的挙動及びインターフェースを定義する。例えば、５Ｇネットワークにおいては、ネットワーク機能は、セッション管理機能（ｓｅｓｓｉｏｎ  ｍａｎａｇｅｍｅｎｔ  ｆｕｎｃｔｉｏｎ、ＳＭＦ）、ポリシー制御機能（ｐｏｌｉｃｙ  ｃｏｎｔｒｏｌ  ｆｕｎｃｔｉｏｎ、ＰＣＦ）、ユーザプレーン機能（ｕｓｅｒ  ｐｌａｎｅ  ｆｕｎｃｔｉｏｎ、ＵＰＦ）、エボルブドＮｏｄｅＢ（ｅｖｏｌｖｅｄ  ｎｏｄｅＢ、ｅＮＢ）又は５Ｇ基地局（新無線（ｎｅｗ  ｒａｄｉｏ、ＮＲ）ｎｏｄｅＢ、ｇＮＢ）、アクセス及びモビリティ管理機能（ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）、ネットワークリポジトリ機能（ｎｅｔｗｏｒｋ  ｒｅｐｏｓｉｔｏｒｙ  ｆｕｎｃｔｉｏｎ、ＮＲＦ）などを含み得る。ＳＭＦは、セッション管理サービスを提供するように構成されている。ＰＣＦは、ポリシー制御サービスを提供するように構成されている。ＵＰＦは、ユーザプレーンサービスを提供するように構成されている。ＡＭＦは、アクセス及びモビリティ管理サービスを提供するように構成されている。ｅＮＢ又はｇＮＢ（ｅＮＢは、以降での記述のための例として利用されている）は、無線アクセスサービスを提供するように構成されている。ＮＲＦは、サービスディスカバリを提供するように構成されている。ネットワーク機能は、専用ハードウェアによって実施され得るし、又は専用ハードウェア上でソフトウェアを稼働させることによって実施され得るし、又は汎用ハードウェアプラットフォーム上で仮想機能の形態で実施され得る。従って、実施の観点からは、ネットワーク機能は、物理ネットワーク機能（ｐｈｙｓｉｃａｌ  ｎｅｔｗｏｒｋ  ｆｕｎｃｔｉｏｎ、ＰＮＦ）及び仮想化ネットワーク機能（ｖｉｒｔｕａｌｉｚｅｄ  ｎｅｔｗｏｒｋ  ｆｕｎｃｔｉｏｎ、ＶＮＦ）へと分類され得る。利用の観点からは、ネットワーク機能は、専用ネットワーク機能及び共有ネットワーク機能へと分類され得る。具体的には、複数の（サブ）ネットワークスライスインスタンスが、異なるネットワーク機能を独立して利用し得るし、そのようなネットワーク機能は、専用ネットワーク機能と呼ばれ、又は複数の（サブ）ネットワークスライスインスタンスが、同じネットワーク機能を共有し得るし、そのようなネットワーク機能は、共有ネットワーク機能と呼ばれる。物理ネットワーク機能及び／又は仮想ネットワーク機能は、以降ではネットワーク機能と総称される。
【００６９】
ネットワーク機能仮想化インフラストラクチャ（ｎｅｔｗｏｒｋ  ｆｕｎｃｔｉｏｎｓ  ｖｉｒｔｕａｌｉｚａｔｉｏｎ  ｉｎｆｒａｓｔｒｕｃｔｕｒｅ、ＮＦＶＩ）は、クラウドコンピューティングの観点からのリソースプールである。ＮＦＶＩを物理的なインフラストラクチャにマップすることは、高速通信ネットワークを通じた複数の地理的に分散したデータセンタ（ｄａｔａ  ｃｅｎｔｅｒ、ＤＣ）の接続を意味する。ＮＦＶＩは、仮想化を通じて物理的なコンピューティング／ストレージ／スイッチングリソースを仮想のコンピューティング／ストレージ／スイッチングリソースプールへと変換する必要がある。
【００７０】
管理及びオーケストレーション（ｍａｎａｇｅｍｅｎｔ  ａｎｄ  ｏｒｃｈｅｓｔｒａｔｉｏｎ、ＭＡＮＯ）は、ＮＦＶＩリソース全体の管理及びオーケストレーションを担当し、サービスネットワークとＮＦＶＩリソースとの間におけるマッピング及び関連付けを担当し、オペレーションサポートシステム（Ｏｐｅｒａｔｉｏｎ  Ｓｕｐｐｏｒｔ  Ｓｙｓｔｅｍ、ＯＳＳ）のサービスリソース手順を実施することを担当する。
【００７１】
ネットワークスライス及びネットワークスライスサブネットのインスタンス化及び展開に関して、ＭＡＮＯは、ネットワークサービス（ｎｅｔｗｏｒｋ  ｓｅｒｖｉｃｅ、ＮＳ）のインスタンス化を完了する必要がある。ネットワークサービスのインスタンス化は、ネットワークスライス又はネットワークスライスサブネットのインスタンス化に必要とされる仮想リソースに関するＮＦＶＩに主として当てはまることになる。
【００７２】
ネットワークサービス記述子（ｎｅｔｗｏｒｋ  ｓｅｒｖｉｃｅ  ｄｅｓｃｒｉｐｔｏｒ、ＮＳＤ）は、ネットワークサービスをインスタンス化するのに利用されるネットワークトポロジ及び必要とされるリソース情報を記述するために利用される。ＭＡＮＯは、ＮＳＤに基づいてネットワークサービスをインスタンス化し得る。
【００７３】
要素管理システム（ｅｌｅｍｅｎｔ  ｍａｎａｇｅｍｅｎｔ  ｓｙｓｔｅｍ、ＥＭＳ）は、ネットワーク機能の要素管理システムであり、ネットワーク機能のサービス構成をネットワーク機能へ配信するように構成されている。
【００７４】
図１は、本出願の実施形態が適用されるネットワークアーキテクチャの概略図である。このネットワークアーキテクチャは、通信サービス管理機能（ｃｏｍｍｕｎｉｃａｔｉｏｎ  ｓｅｒｖｉｃｅ  ｍａｎａｇｅｍｅｎｔ  ｆｕｎｃｔｉｏｎ、ＣＳＭＦ）、ネットワークスライス管理機能（ｎｅｔｗｏｒｋ  ｓｌｉｃｅ  ｍａｎａｇｅｍｅｎｔ  ｆｕｎｃｔｉｏｎ、ＮＳＭＦ）、及びネットワークスライスサブネット管理機能（ｎｅｔｗｏｒｋ  ｓｌｉｃｅ  ｓｕｂｎｅｔ  ｍａｎａｇｅｍｅｎｔ  ｆｕｎｃｔｉｏｎ、ＮＳＳＭＦ）を含む。このネットワークアーキテクチャに含まれるＣＳＭＦ、ＮＳＭＦ、及びＮＳＳＭＦの数量は、図１において示されている数量には限定されないということに留意されたい。実際の適用においては、複数のＣＳＭＦ、複数のＮＳＭＦ、及び複数のＮＳＳＭＦがあり得る。前述の３つの管理機能は、その他の名称を利用することによって記述され得るということに留意されたい。これは、本出願のこの実施形態においては限定されない。本出願のこの実施形態において提供されているソリューションによれば、オペレータは、特定の通信サービス、例えば高精細度ビデオをユーザに提供するために、ネットワークスライスインスタンスをユーザに提供し得る。
【００７５】
具体的には、ユーザは、対応する通信サービス要件、例えば、ネットワークサービスによって必要とされるカバレッジ範囲、ユーザの数量、ユーザの分布、モビリティ要件、待ち時間要件、及び、ネットワークスライスが別のネットワークスライスから分離される必要があるかどうかを、オペレータとのネゴシエーションを通じて決定し得る。
【００７６】
ＣＳＭＦは、オペレータ及び／又はサードパーティ顧客の通信サービス要件をネットワークスライス要件情報へと変換することであって、ネットワークスライス要件情報は、ネットワークスライスタイプ／スライステンプレート識別子ＩＤ及びネットワークスライス展開要件情報（例えば、ネットワークキャパシティ及びサービス品質ＱｏＳ要件）を含む、変換することと、ＣＳＭＦとＮＳＭＦとの間におけるインターフェースを通じてＮＳＭＦへネットワークスライス要件情報を送信することと、ＮＳＭＦからネットワークスライスの管理データ（例えば、パフォーマンスデータ及び障害データ）を取得することと、ネットワークスライスインスタンス上で稼働している通信サービスの管理データを生成することと、ネットワークスライスの管理データ及び／又は通信サービスの管理データに関するオペレータ及び／又はサードパーティ顧客のサブスクリプション要件を受信することとを主として担当する。
【００７７】
ＮＳＭＦは、ＣＳＭＦによって送信されたネットワークスライス要件情報を受信することと、ネットワークスライスインスタンスのライフサイクル、パフォーマンス、障害などを管理すること（ライフサイクル、パフォーマンス、障害の管理は、以降では管理と呼ばれる）と、ネットワークスライスインスタンスの構成を結集することと、ネットワークスライス要件情報を各ネットワークスライスサブネットインスタンス及び／又はネットワーク機能の要件情報、並びにトランスポートネットワーク（ｔｒａｎｓｐｏｒｔ  ｎｅｔｗｏｒｋ、ＴＮ）要件へと分解することと、ネットワークスライスサブネットインスタンス化要求を各ＮＳＳＭＦへ送信することと、トランスポートネットワーク要件をトランスポートネットワークマネージャ（ＴＮマネージャ）へ送信することとを主として担当する。
【００７８】
ＮＳＳＭＦは、ＮＳＭＦによって送信されたネットワークスライスサブネット要件を受信することと、ネットワークスライスサブネットインスタンスを管理することと、ネットワークスライスサブネットインスタンスの構成を結集することと、ネットワークスライスサブネットインスタンスの要件を各ネットワーク機能及び／又はネストされたネットワークスライスサブネットインスタンスの要件へと分解することとを主として担当し、ネストされたネットワークスライスサブネットインスタンス化要求を別のＮＳＳＭＦへ送信し得るし、ネストされたネットワークスライスサブネットインスタンスなどを管理し得る。
【００７９】
ネットワーク機能管理エンティティ、ネットワーク機能管理、及びＮＳＭＦは、本出願の実施形態においては言い換え可能であるということに留意されたい。これらの３つの用語は全て、ＣＳＭＦによって送信されたネットワークスライス要件を受信することを担当するエンティティを記述するために利用され、本出願の実施形態上のいかなる限定を構成するものでもない。これは、ＮＳＳＭＦ及びＣＳＭＦにも適用される。
【００８０】
現在のネットワークスライス管理プロセスに基づくと、ネットワークスライスに関する自動的な管理をどのようにして実施するかが、解決されるべき差し迫った問題である。これを考慮して、本出願の実施形態は、ネットワークスライスに関する自動的な管理を実施するために、ネットワークスライステンプレートを利用することによってネットワークスライス要件情報が分解されるようなネットワークスライス管理方法及び装置を提供する。
【００８１】
図２Ａ及び図２Ｂは、本出願の実施形態によるネットワークスライス管理方法の概略フローチャートである。この方法は、ＮＳＭＦ、ＮＳＳＭＦ、及びＴＮマネージャの間における対話という観点から記述されている。ＴＮマネージャは、ネットワークスライスサブネットノード間における、及びネットワークスライスサブネットノードにおける異なるネットワーク機能の間におけるトランスポートネットワークのインスタンス化の管理を担当する。図２Ａ及び図２Ｂにおいて示されている方法においては、ネットワークスライスインスタンスが２つのネットワークスライスサブネットインスタンスを含み、ＮＳＳＭＦ  １がインスタンス化されてネットワークスライスサブネットインスタンス１（ＮＳＳＩ−１）を取得し得るようにし、ＮＳＳＭＦ  ２がインスタンス化されてネットワークスライスサブネットインスタンス２（ＮＳＳＩ−２）を取得し得るような例が利用されている。図２Ａ及び図２Ｂにおいて示されている方法は、下記のステップを含み得るが、それらには限定されない。
【００８２】
ステップＳ２００：  ネットワークスライステンプレートを生成する。
【００８３】
ＮＳＭＦがネットワークスライスインスタンス化要求を受信する前に、スライス設計者（例えば、スライスプロバイダ）は、ネットワークスライステンプレートを設計し、ネットワークスライステンプレートを生成し、ネットワークスライステンプレートをＮＳＭＦにオンボード（オンボーディング）する。ＮＳＭＦは、ネットワークスライステンプレートとネットワークスライス要件情報との間における対応を記録及び格納し得るし、ネットワークスライス要件情報は、ネットワークスライスサブネットテンプレート識別子又はネットワークスライスタイプを含む。ネットワークスライスタイプは、スライスによって提供されるネットワークサービスのタイプ、例えば、高精細度ビデオサービスタイプ又はインターネットオブビークルタイプを表すために利用される。ネットワークスライステンプレートをＮＳＭＦにオンボードすることは、本出願のこの実施形態の実施のための前提条件である。
【００８４】
ネットワークスライステンプレートの概略構成図に関しては、図３を参照されたい。ネットワークスライステンプレートは、ネットワークスライスインスタンス化に必要とされるコンポーネント情報を記述するために利用され、この情報は、ネットワークスライスに含まれるノードのノード記述情報と、ノード間における接続記述情報とを含む。ノードは、ネットワークスライスサブネットノード又はネットワーク機能ノードであり得る。
【００８５】
ネットワークスライスインスタンスがネットワークスライスサブネットインスタンスを含む場合には、ノード記述情報は、ネットワークスライスサブネットノード記述子（ＮＳＳ  ｎｏｄｅ  ｄｅｓｃｒｉｐｔｏｒ）と、ネットワークスライスサブネットノードのネットワーク接続ポイント記述子（ｎｅｔｗｏｒｋ  ｃｏｎｎｅｃｔｉｏｎ  ｐｏｉｎｔ  ｄｅｓｃｒｉｐｔｏｒ）と、ネットワークスライスサブネットノードのサービスアクセスポイント記述子（ｓｅｒｖｉｃｅ  ａｃｃｅｓｓ  ｐｏｉｎｔ  ｄｅｓｃｒｉｐｔｏｒ）とを含み、接続記述情報は、ネットワークスライスサブネットノード間におけるサービス接続記述子（ｓｅｒｖｉｃｅ  ｃｏｎｎｅｃｔｉｏｎ  ｄｅｓｃｒｉｐｔｏｒ）と、ネットワークスライスサブネットノード間におけるネットワーク接続記述子（ｎｅｔｗｏｒｋ  ｃｏｎｎｅｃｔｉｏｎ  ｄｅｓｃｒｉｐｔｏｒ）とを含む。
【００８６】
ネットワークスライスインスタンスがネットワーク機能を含み得る場合には、ノード記述情報は、ネットワーク機能ノード記述子（ＮＦ  ｎｏｄｅ  ｄｅｓｃｒｉｐｔｏｒ）と、ネットワーク機能ノードのネットワーク接続ポイント記述子と、ネットワーク機能ノードのサービスアクセスポイント記述子とを含み、接続記述情報は、異なるネットワーク機能ノードの間におけるネットワーク接続記述子と、ネットワーク機能ノード間におけるサービス接続記述子とを含む。ネットワーク機能ノードは、仮想化ネットワーク機能ノード（ＶＮＦノード）であり得るし、又は物理ネットワーク機能ノード（ＰＮＦノード）であり得る。
【００８７】
ネットワークスライスが２つのネットワークスライスサブネットを含むと想定すると、それらの２つのネットワークスライスサブネットに対応するノードは、アクセスネットワーク（ａｃｃｅｓｓ  ｎｅｔｗｏｒｋ、ＡＮ）ノード及びコアネットワーク（ｃｏｒｅ  ｎｅｔｗｏｒｋ、ＣＮ）ノードであり、アクセスネットワークノード（ＡＮノード）とコアネットワークノード（ＣＮノード）との間にはネットワーク接続及びサービス接続がある。ネットワーク接続は、２つのノードの間における物理的な接続を記述するために利用され、即ち、２つのノードは物理的に接続される。２つのノードの間におけるサービス対話（例えば、相互のサービスパケット伝送）が実施される必要がある場合には、サービス接続が実施される必要がある。
【００８８】
図４は、この想定に基づくネットワーク接続及びサービス接続の概略図である。ノード上のグレーのポイントは、サービスアクセスポイントであり、黒色のポイントは、ネットワーク接続ポイントである。ＡＮノードのネットワーク接続ポイント１は、実線を利用することによってＣＮノードのネットワーク接続ポイント１に接続されており、ＡＮノードとＣＮノードとの間にネットワーク接続が存在するということを示している。具体的には、図４において示されている実線は、ＡＮノードとＣＮノードとの間におけるネットワーク接続を示しており、ネットワーク接続は、ＡＮとＣＮとの間におけるネットワーク接続情報を搬送するために利用される。ＡＮノードのサービスアクセスポイント１は、長破線を利用することによってＣＮノードのサービスアクセスポイント１に接続されており、ＡＮノードとＣＮノードとの間にサービス接続が存在するということを示している。具体的には、図４において示されている長破線は、ＡＮノードとＣＮノードとの間におけるサービス接続を示しており、サービス接続は、ＡＮとＣＮとの間におけるサービス相互作用情報を搬送するために利用される。
【００８９】
ＡＮノードのサービスアクセスポイントは、ＡＮノードのネットワーク接続ポイントに依存し、ＣＮノードのサービスアクセスポイントは、ＣＮノードのネットワーク接続ポイントに依存する。図４において示されている１つのノード上には１つのネットワーク接続ポイント及び１つのサービスアクセスポイントがあり、これは、本出願のこの実施形態上のいかなる限定を構成するものでもないということに留意されたい。実際の適用においては、１つのノード上に複数のネットワーク接続ポイント及び複数のサービスアクセスポイントがある。
【００９０】
ノードのネットワーク接続ポイントは、別のノードのネットワーク接続ポイントへのネットワーク接続を実行し得る。言い換えれば、ネットワークスライスサブネットノードのネットワーク接続ポイントは、別のネットワークスライスサブネットノードのネットワーク接続ポイントへのネットワーク接続を実行し得るし、又はアプリケーションサーバ若しくはアプリケーションソフトウェアのネットワーク接続ポイントへのネットワーク接続を実行し得る。
【００９１】
任意選択で、ネットワークスライスインスタンスにおける異なるノードは、それらのノードの間におけるネットワーク接続を実施するために、ネットワーク接続ポイントを利用することによって接続されるネットワークに接続され得る。
【００９２】
ノードのサービスアクセスポイントは、別のノードのサービスアクセスポイントへのサービス接続を実行し得る。言い換えれば、ネットワークスライスサブネットノードのサービスアクセスポイントは、別のネットワークスライスサブネットノードのサービスアクセスポイントへのサービス接続を実行し得るし、又はアプリケーションサーバ若しくはアプリケーションソフトウェアのサービスアクセスポイントへのサービス接続を実行し得る。
【００９３】
ネットワークスライスサブネットノード記述子は、ネットワークスライスサブネットインスタンス化に必要とされるコンポーネント情報を含む。ネットワークスライスサブネットインスタンス化に必要とされるコンポーネント情報は、ネットワークスライスサブネットに含まれるネットワーク機能ノードのノード記述子と、ネットワーク機能ノードのネットワーク接続ポイント記述子と、ネットワーク機能ノードのサービスアクセスポイント記述子と、ネットワーク機能ノード間におけるネットワーク接続記述子と、ネットワーク機能ノード間におけるサービス接続記述子とを含む。ネットワークスライスサブネットノード記述子は、ネットワークスライスサブネットインスタンス化に必要とされる情報を記述するために利用されるということが理解され得る。
【００９４】
ネットワークスライスサブネットノード間におけるサービス接続記述子は、図４におけるＡＮノードとＣＮノードとの間におけるサービス接続情報を記述するために利用され、即ち、ネットワークスライスサブネットノード間におけるサービス接続情報を記述するために利用される。サービス接続情報は、サービス接続プロトコル及びサービス接続関連パラメータなどの情報を含み得る。ネットワークスライスサブネットノード間におけるサービス接続記述子は、ネットワークスライスサブネットノード間におけるサービス接続のために利用される特定のサービス接続プロトコル及び特定のサービス接続関連パラメータなどの情報を記述するために利用されるということが理解され得る。
【００９５】
ネットワークスライスサブネットノード間におけるネットワーク接続記述子は、図４におけるＡＮノードとＣＮノードとの間におけるネットワーク接続情報を記述するために利用され、即ち、ネットワークスライスサブネットノード間におけるネットワーク接続情報を記述するために利用される。ネットワーク接続情報は、ネットワークプレーンのものであるサービス品質（ｑｕａｌｉｔｙ  ｏｆ  ｓｅｒｖｉｃｅ、ＱｏＳ）情報及びインターネットプロトコル（Ｉｎｔｅｒｎｅｔ  ｐｒｏｔｏｃｏｌ、ＩＰ）タイプなどの情報を含み得る。ネットワークスライスサブネットノード間におけるネットワーク接続記述子は、ネットワークスライスサブネットノード間におけるネットワーク接続のために利用される特定のネットワーク接続情報を記述するために利用されるということが理解され得る。
【００９６】
ネットワークスライスサブネットノードのサービスアクセスポイント記述子は、ネットワークスライスサブネットノードのサービスアクセスポイント情報を記述するために利用される。サービスアクセスポイント情報は、ネットワークスライスサブネットノードと、ネットワークスライスの外部のデバイスとの間におけるサービス接続を実行するためのサービスアクセスポイントに関する情報であり得るし、又はネットワークスライスサブネットノードと、アプリケーションサーバ若しくはアプリケーションソフトウェアとの間におけるサービス接続を実行するためのサービスアクセスポイントに関する情報であり得る。サービスアクセスポイント情報は、サービスアクセスポイントのサービスＩＰアドレスなどの情報を含み得る。ネットワークスライスサブネットノード上に複数のサービスアクセスポイントがある場合には、各サービスアクセスポイントは、１つのサービスアクセスポイント記述子に対応し得る。
【００９７】
ネットワークスライスサブネットノードのネットワーク接続ポイント記述子は、ネットワークスライスサブネットノードのネットワーク接続ポイント情報を記述するために利用される。ネットワーク接続ポイント情報は、ネットワークスライスサブネットノードと別のネットワークスライスサブネットノードとの間におけるネットワーク接続のためのネットワーク接続ポイントに関する情報であり得るし、又はネットワークスライスサブネットノードと、ネットワークスライスの外部のデバイスとの間におけるネットワーク接続のためのネットワーク接続ポイントに関する情報であり得る。ネットワーク接続ポイント情報は、ネットワーク接続ポイントの物理的なＩＰアドレスなどの情報を含み得る。ネットワークスライスサブネットノード上に複数のネットワーク接続ポイントがある場合には、各ネットワーク接続ポイントは、１つのネットワーク接続ポイント記述子に対応し得る。
【００９８】
ネットワークスライスサブネットノードは、ネットワークスライスに含まれるネットワークスライスサブネットのノードである。
【００９９】
物理的なＩＰアドレスは、物理インターフェースのＩＰアドレスとして理解され得るし、サービスＩＰアドレスは、別のネットワーク要素とのサービス対話のためのＩＰアドレスである。しかし、サービスＩＰパケットは、物理インターフェースから送信される必要がある。
【０１００】
ネットワークスライスインスタンスがネットワークスライスサブネットインスタンスを含むシナリオにおいては、ノード記述情報は、ネットワークスライスサブネットインスタンス化に必要とされるコンポーネント情報と、ネットワークスライスサブネットノードのネットワーク接続ポイント記述子と、ネットワークスライスサブネットノードのサービスアクセスポイント記述子とを含み、接続記述情報は、ネットワークスライスサブネットノード間におけるネットワーク接続記述子と、ネットワークスライスサブネットノード間におけるサービス接続記述子とを含むということが理解され得る。
【０１０１】
ネットワークスライスインスタンスがネットワーク機能を含み得るシナリオにおいては、ノード記述情報は、図３において破線ブロックで示されているネットワーク機能ノード記述子と、ネットワーク機能ノードのネットワーク接続ポイント記述子と、ネットワーク機能ノードのサービスアクセスポイント記述子とを含み得るし、接続記述情報は、ネットワーク機能ノード間におけるネットワーク接続記述子と、ネットワーク機能ノード間におけるサービス記述子とを含み得る。ネットワーク機能ノード記述子は、ネットワーク機能サブネットインスタンス化に必要とされる情報を記述するために利用される。ネットワーク機能ノードのネットワーク接続ポイント記述子、ネットワーク機能ノードのサービスアクセスポイント記述子、ネットワーク機能ノード間におけるネットワーク接続記述子、及びネットワーク機能ノード間におけるサービスアクセスポイント記述子はそれぞれ、ネットワークスライスサブネットノードのネットワーク接続ポイント記述子、ネットワークスライスサブネットノードのサービスアクセスポイント記述子、ネットワークスライスサブネットノード間におけるネットワーク接続記述子、及びネットワークスライスサブネットノード間におけるサービスアクセスポイント記述子に類似している。詳細がここで再び記述されることはない。
【０１０２】
ネットワークスライスインスタンスがネットワーク機能を含み得るシナリオにおいては、ネットワークスライステンプレートは、図３において破線ブロックで示されているサービス構成ファイルを含み得るし、サービス構成ファイルは、ネットワーク機能のサービス構成のために利用される。サービス構成ファイルは、ネットワーク機能によって実施される必要がある特定のサービス機能を示すということが理解され得る。
【０１０３】
ネットワークスライスインスタンスが仮想化ネットワーク機能を含み得る場合には、ネットワークスライステンプレートは、図３において破線ブロックで示されているネットワークサービス記述子（ＮＳＤ）インデックスファイルを含み得るし、ＮＳＤ  ＩＤであり得る。ネットワークサービス記述子は、関連付けられているネットワーク機能の仮想リソースの展開をインスタンス化するために利用され、関連付けられているネットワーク機能は、ネットワークスライスに含まれる仮想ネットワーク機能である。ＭＡＮＯが、このケースにおいては、ネットワークサービス記述子ＩＤインデックスに対応するＮＳＤファイルに基づいて、関連付けられているネットワーク機能の仮想リソースの展開を完了し得るということが理解され得る。仮想リソースは、仮想メモリリソース、仮想中央処理装置（ｃｅｎｔｒａｌ  ｐｒｏｃｅｓｓｉｎｇ  ｕｎｉｔ、ＣＰＵ）などを含み得る。
【０１０４】
ステップＳ２０１：  ＮＳＭＦは、ネットワークスライスインスタンス化要求を受信し、ネットワークスライスインスタンス化要求は、ネットワークスライス要件情報を含み、ネットワークスライス要件情報は、ネットワークスライステンプレート識別子又はネットワークスライスタイプを含む。
【０１０５】
ネットワークスライスサブスクライバ、例えば、オペレータ又はサードパーティ顧客は、ビジネスサポートシステム（ｂｕｓｉｎｅｓｓ  ｓｕｐｐｏｒｔ  ｓｙｓｔｅｍ、ＢＳＳ）の操作インターフェースにおいてネットワークスライスにサブスクライブし得るし、即ち、ＢＳＳの操作インターフェースにおいてサービス要件を入力し得る。サービス要件は、サービスタイプを含み得るし、サービスレベルアグリーメント（ｓｅｒｖｉｃｅ−ｌｅｖｅｌ  ａｇｒｅｅｍｅｎｔ、ＳＬＡ）要件をさらに含み得る。ＳＬＡは、ネットワークサービスプロバイダと顧客との間における契約である。ＳＬＡ要件は、ユーザの数量、バンド幅要件、待ち時間保証要件などを含み得る。サービス要件は、サービスタイプ及びＳＬＡ要件を含むということが理解され得る。
【０１０６】
サービス要件を受信した場合には、ＣＳＭＦ（又はＢＳＳ−ＣＳＭＦ）は、サービス要件をネットワークスライス要件情報へと変換し、その変換は、具体的にはサービスタイプ変換及びＳＬＡ要件変換を含む。サービスタイプ変換は、サービス要件におけるサービスタイプをネットワークスライスタイプへと変換すること、例えば、サービスタイプをｅＭＢＢネットワークスライス、ＵＲＬＬＣネットワークスライス、又はｍＭＴＣネットワークスライスへと変換することを意味する。任意選択で、このケースにおいては、ＣＳＭＦは、ネットワークスライスタイプに基づいて、ネットワークスライスタイプに対応するネットワークスライステンプレート識別子（ＮＳＴ  ＩＤ）をさらに探索し得る。ＳＬＡ要件変換は、ＳＬＡ要件をネットワークスライス展開要件情報へと変換することを意味する。ネットワークスライス展開要件情報は、ユーザの数量、バンド幅、及び待ち時間などの要件を含み得る。言い換えれば、ネットワークスライス展開要件情報は、ユーザの数量、バンド幅、及び待ち時間などの要件情報を記述するために利用される。
【０１０７】
ネットワークスライス要件情報は、ネットワークスライスタイプ及びネットワークスライス展開要件情報を含み、ネットワークスライスタイプは、ネットワークスライスのタイプを示すために利用され、ネットワークスライステンプレート識別子は、ネットワークスライスタイプに基づいて決定され得るということが理解され得る。代替として、ネットワークスライス要件情報は、ネットワークスライステンプレート識別子及びネットワークスライス展開要件情報を含み、ネットワークスライステンプレート識別子は、ネットワークスライステンプレートを示すために利用される。
【０１０８】
ネットワークスライス要件情報は、ネットワークスライスインスタンス化のための入力パラメータを提供し得るということが理解され得る。
【０１０９】
ＣＳＭＦは、ネットワークスライスインスタンス化要求をＮＳＭＦへ送信し、ネットワークスライスインスタンス化要求は、ネットワークスライス要件情報を含み、ネットワークスライス要件情報は、ネットワークスライステンプレート識別子又はネットワークスライスタイプ、及びネットワークスライス展開要件情報を含む。それに対応して、ＮＳＭＦは、ＣＳＭＦからネットワークスライスインスタンス化要求を受信し、ネットワークスライスインスタンス化要求は、最初のインスタンス化要求であり得るし、具体的には、現在のシステムに存在しないネットワークスライスインスタンスがインスタンス化されることを要求され得る。
【０１１０】
ステップＳ２０２：  ＮＳＭＦは、ネットワークスライステンプレート識別子又はネットワークスライスタイプに基づいてネットワークスライステンプレートを取得する。
【０１１１】
実装においては、ＮＳＭＦは、ネットワークスライステンプレート識別子に基づいて、ネットワークスライステンプレート識別子に対応するネットワークスライステンプレートを取得する。１つのネットワークスライステンプレート識別子は、１つのネットワークスライステンプレートに対応する。
【０１１２】
実装においては、ＮＳＭＦは、ネットワークスライスタイプに基づいて、ネットワークスライスタイプに対応するネットワークスライステンプレートを取得する。１つのネットワークスライスタイプは、１つのネットワークスライステンプレートに対応する。具体的には、ＮＳＭＦは、ネットワークスライスタイプに基づいて、ネットワークスライスタイプに対応するネットワークスライステンプレート識別子を探索し、次いでネットワークスライステンプレート識別子に基づいてネットワークスライステンプレートを取得する。
【０１１３】
このケースにおいては、ＮＳＭＦは、ネットワークスライステンプレートに対応するネットワークスライスインスタンスに識別子をさらに割り当て得るし、即ち、ネットワークスライスインスタンス識別子（ＮＳＩ  ＩＤ）を割り当て得る。１つのネットワークスライスインスタンスは、１つのネットワークスライステンプレートを一度インスタンス化することによって取得されることが可能である。
【０１１４】
ステップＳ２０３：  ＮＳＭＦは、ネットワークスライステンプレートに基づいて、ネットワークスライス要件情報を、ネットワークスライスサブネット要件情報１、ネットワークスライスサブネット要件情報２、及びトランスポートネットワーク要件情報へと分解する。
【０１１５】
ＮＳＭＦは、ネットワークスライステンプレートに含まれるコンテンツに基づいてネットワークスライス要件情報を分解して、ノード記述情報に対応するネットワークスライスサブネット要件情報、及び接続記述情報に対応するトランスポートネットワーク要件情報を取得する。ノード記述情報に対応するネットワークスライスサブネット要件情報は、ネットワークスライスサブネットノード１のノード記述情報に対応するネットワークスライスサブネット要件情報１、及びネットワークスライスサブネットノード２のノード記述情報に対応するネットワークスライスサブネット要件情報２を含む。
【０１１６】
ネットワークスライスサブネット要件情報１は、ネットワークスライスサブネットテンプレート識別子（ＮＳＳＴ  ＩＤ）と、ネットワークスライスサブネット１のインスタンス化に必要とされる入力パラメータと、ネットワークスライスサブネットノード１のネットワーク接続ポイント情報と、ネットワークスライスサブネットノード１のサービスアクセスポイント情報とを含む。トランスポートネットワーク要件情報は、ネットワークスライスサブネットノード１とネットワークスライスサブネットノード２との間におけるネットワーク接続情報を含む。ネットワークスライスサブネット要件情報２は、ネットワークスライスサブネットテンプレート識別子（ＮＳＳＴ  ＩＤ）と、ネットワークスライスサブネット２のインスタンス化に必要とされる入力パラメータと、ネットワークスライスサブネットノード２のネットワーク接続ポイント情報と、ネットワークスライスサブネットノード２のサービスアクセスポイント情報とを含む。
【０１１７】
ネットワークスライスサブネット要件情報は、ネットワークスライスサブネットのインスタンス化のための入力パラメータを提供すること、ネットワークスライスサブネットノードのネットワーク接続ポイントに関するネットワーク接続ポイント情報を提供すること、及びネットワークスライスサブネットノードのサービスアクセスポイントに関するサービスアクセスポイント情報を提供することを含めて、ネットワークスライスサブネットのインスタンス化のための入力パラメータを提供し、トランスポートネットワーク要件情報は、ネットワークスライスサブネットノード間におけるネットワーク接続のためのネットワーク接続入力パラメータを提供することを含めて、トランスポートネットワークのインスタンス化のための入力パラメータを提供するということが理解され得る。
【０１１８】
ネットワークスライステンプレートは、ネットワークスライスインスタンス化に必要とされるコンポーネントと、それらのコンポーネントによって必要とされる入力パラメータとを定義するということが理解され得る。ネットワークスライス要件情報は、入力パラメータを提供し得る。ＮＳＭＦは、ネットワークスライステンプレートに基づいてネットワークスライス要件情報を分解し得るし、具体的には、コンポーネントによって必要とされる入力パラメータに基づいて、それらのコンポーネントに関する対応する入力パラメータを提供し得る。
【０１１９】
分解の後に、ＮＳＭＦは、ネットワークスライス要件情報に基づいてＮＳＳＩ−１及びＮＳＳＩ−２の展開エリアを決定する、即ち、各ＮＳＳＩの展開ロケーションを決定する。この方法においては、ＭＡＮＯは、正しいエリアにおけるデータセンタ（ＤＣ）において、ネットワークスライスサブネットインスタンスに対応するネットワーク機能を後で展開することが可能である。
【０１２０】
ネットワークスライスインスタンスがネットワーク機能を含む場合には、ＮＳＭＦは、ネットワークスライステンプレートに基づいて、ネットワークスライス要件情報を、ネットワークスライスにおけるネットワーク機能のサービス構成要件情報、ネットワークサービス要件情報、及びトランスポートネットワーク要件情報へと分解する。それらの３片の情報に関しては、図６において示されている実施形態における記述を参照されたい。
【０１２１】
ステップＳ２０４ａ：  ＮＳＭＦは、ネットワークスライスサブネットインスタンス化要求１をＮＳＳＭＦ１へ送信し、ネットワークスライスサブネットインスタンス化要求１は、ネットワークスライスサブネット要件情報１を含み、それに対応してＮＳＳＭＦ１は、ＮＳＭＦからネットワークスライスサブネットインスタンス化要求１を受信する。
【０１２２】
ステップＳ２０４ｂ：  ＮＳＭＦは、ネットワークスライスサブネットインスタンス化要求２をＮＳＳＭＦ２へ送信し、ネットワークスライスサブネットインスタンス化要求２は、ネットワークスライスサブネット要件情報２を含み、それに対応してＮＳＳＭＦ２は、ＮＳＭＦからネットワークスライスサブネットインスタンス化要求２を受信する。
【０１２３】
具体的には、ＮＳＭＦは、ネットワークスライスサブネットインスタンス化要求を各ＮＳＳＭＦへ送信し、ネットワークスライスサブネットインスタンス化要求は、対応するネットワークスライスサブネット要件情報を搬送する。例えば、ネットワークスライスは、ネットワークスライスサブネット１及びネットワークスライスサブネット２を含み、ＮＳＭＦは、ネットワークスライスサブネットインスタンス化要求１をＮＳＳＭＦ１へ送信し、要求１は、ネットワークスライスサブネット１の要件情報を搬送し、ＮＳＭＦは、ネットワークスライスサブネットインスタンス化要求２をＮＳＳＭＦ２へ送信し、要求２は、ネットワークスライスサブネット２の要件情報を搬送する。
【０１２４】
ＮＳＳＭＦ１は、ＮＳＳＴ１に基づいてネットワークスライスサブネット１の要件情報を分解して、ネットワークサービス要件情報１、サービス構成要件情報１、及びトランスポートネットワーク要件情報１を取得し、ネットワークサービス要件情報１をＭＡＮＯへ送信し、サービス構成要件情報１を、ＮＳＳＭＦ１に対応するＥＭＳ１へ送信し、トランスポートネットワーク要件情報１をＴＮマネージャへ送信する。ＮＳＳＭＦ２は、ＮＳＳＴ２に基づいてネットワークスライスサブネット２の要件情報を分解して、ネットワークサービス要件情報２、サービス構成要件情報２、及びトランスポートネットワーク要件情報２を取得し、ネットワークサービス要件情報２をＭＡＮＯへ送信し、サービス構成要件情報２を、ＮＳＳＭＦ２に対応するＥＭＳ２へ送信し、トランスポートネットワーク要件情報２をＴＮマネージャへ送信する。
【０１２５】
ネットワークスライスサブネットインスタンス化要求は、対応するネットワークスライスサブネットインスタンスの展開エリアをさらに含み、それによってＭＡＮＯは、正しいエリアにおけるＤＣにおいて、ネットワークスライスサブネットインスタンスに対応するネットワーク機能を後で展開することが可能である。例えば、ネットワークスライスサブネットインスタンス化要求１は、ＮＳＳＩ−１の展開エリアをさらに含み、ネットワークスライスサブネットインスタンス化要求は、ＮＳＳＩ−２の展開エリアをさらに含む。
【０１２６】
ネットワークスライスサブネットインスタンス要求は、ネットワークスライスに対応するネットワークスライスインスタンス識別子（ＮＳＩ  ＩＤ）をさらに含み得る。
【０１２７】
ネットワークスライスサブネット要件情報は、対応するネットワークスライスサブネットテンプレート識別子又はネットワークスライスタイプをさらに含み得る。
【０１２８】
ステップＳ２０５ａ：  ＮＳＳＭＦ１は、ネットワークスライスサブネットインスタンス化応答１をＮＳＭＦへ送信し、ネットワークスライスサブネットインスタンス化応答１は、インスタンス化情報１を含み、それに対応してＮＳＭＦは、ＮＳＳＭＦ１からネットワークスライスサブネットインスタンス化応答１を受信する。
【０１２９】
ステップＳ２０５ｂ：  ＮＳＳＭＦ２は、ネットワークスライスサブネットインスタンス化応答２をＮＳＭＦへ送信し、ネットワークスライスサブネットインスタンス化応答２は、インスタンス化情報２を含み、それに対応してＮＳＭＦは、ＮＳＳＭＦ２からネットワークスライスサブネットインスタンス化応答２を受信する。
【０１３０】
ネットワークサービス１のインスタンス化を完了した後に、ＮＳＳＭＦ１は、インスタンス化情報１をＮＳＭＦへ送信する。ネットワークサービス２のインスタンス化を完了した後に、ＮＳＳＭＦ２は、インスタンス化情報２をＮＳＭＦへ送信する。
【０１３１】
インスタンス化情報１は、ネットワークスライスサブネットインスタンス１識別子（ＮＳＳＩ−１  ＩＤ）、ネットワークスライスサブネットインスタンス１のネットワーク接続ポイントインスタンス化情報、及びネットワークスライスサブネットインスタンス１のサービスアクセスポイントインスタンス化情報を含む。
【０１３２】
ＮＳＳＩ−１のネットワーク接続ポイントインスタンス化情報は、ＮＳＳＩ−１とＮＳＳＩ−２との間における相互接続のためのネットワーク接続ポイントのローカルＩＰアドレスなどの情報を含み、ＮＳＳＩ−１と外部アクセスデバイスとの間における相互接続のためのネットワーク接続ポイントのＩＰアドレスなどの情報をさらに含む。同様に、ＮＳＳＩ−２のネットワーク接続ポイントインスタンス化情報が定義され得る。
【０１３３】
ＮＳＳＩ−１のサービスアクセスポイントインスタンス化情報は、ＮＳＳＩ−１とＮＳＳＩ−２との間における相互接続のためのサービスアクセスポイントのローカルＩＰアドレスを含み、ＮＳＳＩ−１と外部アクセスデバイスとの間における相互接続のためのサービスアクセスポイントのＩＰアドレスなどの情報をさらに含む。同様に、ＮＳＳＩ−２のサービスアクセスポイントインスタンス化情報が定義され得る。
【０１３４】
アクセスデバイス情報は、ネットワークスライスサブネットインスタンスが展開されているＤＣにおけるゲートウェイルータと、伝送スイッチとの間における相互接続に関する情報であり得るし、アクセスデバイス識別子、ポート識別子などを含む。
【０１３５】
ＮＳＳＩ１に関しては、ローカルＩＰアドレスは、ＮＳＳＩ−１のＩＰアドレスであり、ピアＩＰアドレスは、ＮＳＳＩ−２のＩＰアドレスである。
【０１３６】
ＮＳＭＦは、各ＮＳＳＭＦによって送信されたインスタンス化情報を記録及び格納し得る。
【０１３７】
ステップＳ２０４ａ及びステップＳ２０５ａ、並びにステップＳ２０４ｂ及びステップＳ２０５ｂはそれぞれ、ネットワークスライスサブネットインスタンス化の手順であるということに留意されたい。詳細に関しては、図５Ａ及び図５Ｂにおける記述を参照されたい。
【０１３８】
ステップＳ２０６ａ：  ＮＳＭＦは、サービスアクセス要求１をＮＳＳＭＦ１へ送信し、それに対応してＮＳＳＭＦ１は、ＮＳＭＦからサービスアクセス要求１を受信する。
【０１３９】
ステップＳ２０６ｂ：  ＮＳＭＦは、サービスアクセス要求２をＮＳＳＭＦ２へ送信し、それに対応してＮＳＳＭＦ２は、ＮＳＭＦからサービスアクセス要求２を受信する。
【０１４０】
ステップＳ２０６ａ及びステップＳ２０６ｂは、ステップＳ２０５ａ及びステップＳ２０５ｂの後に実行される。
【０１４１】
サービスアクセス要求は、ネットワークスライスインスタンス識別子、ネットワークスライスサブネットテンプレート識別子、及びサービスアクセスポイント情報を含む。サービスアクセスポイントインスタンス化情報は、ネットワークスライスサブネットインスタンスと別のネットワークスライスサブネットインスタンスとの間における相互接続のためのサービスアクセスポイントのローカルＩＰアドレス及びピアＩＰアドレス、並びにゲートウェイルータのＩＰアドレスなどの情報を含む。ゲートウェイルータのＩＰアドレスは、ネクストホップルータのＩＰアドレスである。例えば、ＮＳＳＩ−１のサービスアクセスポイントは、ＮＳＳＩ−２のサービスアクセスポイントに相互接続される。ＮＳＳＩ−１に関しては、ローカルＩＰアドレスは、ＮＳＳＩ−１のサービスアクセスポイントのＩＰアドレスであり、ピアＩＰアドレスは、ＮＳＳＩ−２のサービスアクセスポイントのＩＰアドレスである。
【０１４２】
インスタンス化情報１及びインスタンス化情報２を受信した後に、ＮＳＭＦは、サービスアクセス要求１をＮＳＳＭＦ１へ送信する。サービスアクセス要求１は、ネットワークスライスインスタンス識別子と、ネットワークスライスサブネットインスタンス１に対応するネットワークスライスサブネットテンプレート識別子と、サービスアクセスポイント情報１とを搬送する。
【０１４３】
インスタンス化情報１及びインスタンス化情報２を受信した後に、ＮＳＭＦは、サービスアクセス要求２をＮＳＳＭＦ２へ送信する。サービスアクセス要求２は、ネットワークスライスインスタンス識別子と、ネットワークスライスサブネットインスタンス２に対応するネットワークスライスサブネットテンプレート識別子と、サービスアクセスポイント情報２とを搬送する。
【０１４４】
ステップＳ２０７ａ：  ＮＳＳＭＦ１は、サービスアクセス承認メッセージ１をＮＳＭＦへ送信し、それに対応してＮＳＭＦは、ＮＳＳＭＦ１からサービスアクセス承認メッセージ１を受信する。
【０１４５】
ステップＳ２０７ｂ：  ＮＳＳＭＦ２は、サービスアクセス承認メッセージ２をＮＳＭＦへ送信し、それに対応してＮＳＭＦは、ＮＳＳＭＦ２からサービスアクセス承認メッセージ２を受信する。
【０１４６】
ＥＭＳがサービス構成を完了した後に、ＮＳＳＭＦは、サービスアクセス承認メッセージをＮＳＭＦへ送信し、サービスアクセス承認メッセージは、ネットワークスライスサブネットインスタンス識別子を搬送して、対応するネットワークスライスサブネットインスタンスがサービスにアクセスしているということをＮＳＭＦに通知する。例えば、サービスアクセス承認メッセージ１は、ＮＳＳＩ−１がサービスにアクセスしているということを通知するために利用され、サービスアクセス承認メッセージ２は、ＮＳＳＩ−２がサービスにアクセスしているということを通知するために利用される。
【０１４７】
ステップＳ２０６ａ及びステップＳ２０７ａ、並びにステップＳ２０６ｂ及びステップＳ２０７ｂはそれぞれ、サービスアクセスインスタンス化の手順であるということに留意されたい。詳細に関しては、図７における記述を参照されたい。
【０１４８】
ステップＳ２０８：  ＮＳＭＦは、トランスポートネットワークインスタンス化要求をＴＮマネージャへ送信し、それに対応してＴＮマネージャは、ＮＳＭＦからトランスポートネットワークインスタンス化要求を受信する。
【０１４９】
ステップＳ２０８は、ステップＳ２０５ａ及びステップＳ２０５ｂの後に実行され、ステップＳ２０８は、ステップＳ２０６ａ及びステップＳ２０６ｂと同時に実行され得るということに留意されたい。
【０１５０】
ＮＳＭＦは、各ＮＳＳＭＦによって送信されたインスタンス化情報に基づいてネットワークスライスサブネットインスタンス間におけるトランスポートネットワークインスタンス化要求を作成し、例えば、ＮＳＳＩ−１とＮＳＳＩ−２との間におけるトランスポートネットワークインスタンス化要求を作成する。
【０１５１】
２つのネットワークスライスサブネットインスタンスが、例として利用されている。トランスポートネットワークインスタンス化要求は、ＮＳＳＩ−１とＮＳＳＩ−２との間におけるネットワーク接続のためのＩＰアドレス（即ち、２つの終端のＩＰアドレス）などの情報（即ち、ネットワークスライスサブネットノード１とネットワークスライスサブネットノード２との間における相互接続のためのネットワーク接続ＩＰアドレスなどの情報）、及びＮＳＳＩ−１ネットワークスライスサブネットインスタンス１とＮＳＳＩ−２ネットワークスライスサブネットインスタンス２との間におけるネットワーク接続に関するＱｏＳ情報（即ち、ネットワークスライスサブネットノード１とネットワークスライスサブネットノード２との間におけるネットワーク接続に関するＱｏＳ情報）を含む。トランスポートネットワークインスタンス化要求は、ＮＳＳＩ−１ネットワークスライスサブネットインスタンス１とＮＳＳＩ−２ネットワークスライスサブネットインスタンス２との間における相互接続のためのアクセスデバイスに関する情報をさらに含む。アクセスデバイスに関する情報は、ネットワークスライスサブネットインスタンスが展開されているＤＣにおけるゲートウェイルータと、伝送スイッチとの間における相互接続に関する情報であり得るし、アクセスデバイス識別子、ポート識別子などを含む。
【０１５２】
ＮＳＭＦは、インポートされたネットワークワイドデータセンタ及びインポートされたトランスポートネットワークトポロジに基づいて、展開ロケーションに対応するアクセスデバイスに関する情報を探索することが可能である。
【０１５３】
ステップＳ２０９：  ＴＮマネージャは、トランスポートネットワークインスタンス化要求に基づいてトランスポートネットワークインスタンス化を実行する。
【０１５４】
トランスポートネットワークインスタンス化要求を受信した場合には、ＴＮマネージャは、トランスポートネットワーク要件情報に基づいてトランスポートネットワークインスタンス化を実行し、ネットワークスライスサブネットインスタンス間におけるネットワーク接続を確立し、ネットワークスライスサブネットインスタンスとアクセスデバイスとの間におけるネットワーク接続をさらに確立し得る。
【０１５５】
ステップＳ２１０：  ＴＮマネージャは、承認メッセージをＮＳＭＦへ送信する。
【０１５６】
トランスポートネットワークインスタンス化を完了した後に、ＴＮマネージャは、承認メッセージをＮＳＭＦへフィードバックして、トランスポートネットワークインスタンス化が完了されているということをＮＳＭＦに通知する。
【０１５７】
図２Ａ及び図２Ｂにおいて示されているこの実施形態においては、ＮＳＭＦは、ネットワークスライステンプレートを利用することによってネットワークスライス要件情報をネットワークスライスサブネット要件情報及びトランスポートネットワーク要件情報へと分解し、それによってＮＳＳＭＦは、ネットワークサービスインスタンス化及びサービス接続インスタンス化を実行し、ＴＮマネージャは、トランスポートネットワークインスタンス化を実行する。
【０１５８】
図５Ａ及び図５Ｂは、本出願の実施形態によるネットワークスライスサブネットインスタンス化の概略フローチャートである。この手順は、ＮＳＭＦ、ＮＳＳＭＦ、及びＭＡＮＯの間における対話という観点から記述されている。１つのＮＳＳＭＦが、記述のための例として利用されている。図５Ａ及び図５Ｂにおいて示されている手順は、下記のステップを含み得るが、それらには限定されない。
【０１５９】
ステップＳ３００：  ネットワークスライスサブネットテンプレートを生成する。
【０１６０】
スライスに関連した人（例えば、スライスプロバイダ）が、ネットワークスライスサブネットテンプレートを設計し、ネットワークスライスサブネットテンプレートを生成し、ネットワークスライスサブネットテンプレートをＮＳＳＭＦにオンボードする。ＮＳＳＭＦは、ネットワークスライスサブネットテンプレートとネットワークスライスサブネット要件情報との間における対応を記録及び格納し得るし、ネットワークスライスサブネット要件情報は、ネットワークスライスサブネットテンプレート識別子又はネットワークスライスタイプを含む。ネットワークスライスタイプは、スライスによって提供されるネットワークサービスのタイプ、例えば、高精細度ビデオサービスタイプ又はインターネットオブビークルタイプを表すために利用される。
【０１６１】
ネットワークスライスサブネットテンプレートの概略構成図に関しては、図６を参照されたい。ネットワークスライスサブネットテンプレートは、ネットワークスライスサブネットインスタンス化に必要とされるコンポーネント情報を記述するために利用され、ネットワークスライスサブネットに含まれるネットワーク機能ノードのノード記述情報と、ネットワーク機能ノード間における接続記述情報とを含み、具体的には、各ネットワーク機能ノードのノード記述情報と、それらのノードの間における接続記述情報とを含む。
【０１６２】
ネットワーク機能ノードのノード記述情報は、ネットワーク機能ノード記述子と、ネットワーク機能ノードのネットワーク接続ポイント記述子と、ネットワーク機能ノードのサービスアクセスポイント記述子とを含む。接続記述情報は、ネットワーク機能ノード間におけるサービス接続記述子と、ネットワーク機能ノード間におけるネットワーク接続記述子とを含む。
【０１６３】
ネットワーク機能ノード記述子は、ネットワーク機能サブネットインスタンス化に必要とされる入力パラメータを記述するために利用される。
【０１６４】
ネットワーク機能ノードのネットワーク接続ポイント記述子、ネットワーク機能ノードのサービスアクセスポイント記述子、ネットワーク機能ノード間におけるサービス接続記述子、ネットワーク機能ノード間におけるネットワーク接続記述子、ネットワークスライスサブネットノードのネットワーク接続ポイント記述子、ネットワークスライスサブネットノードのサービスアクセスポイント記述子、ネットワークスライスサブネットノード間におけるサービス接続記述子、及びネットワークスライスサブネットノード間におけるネットワーク接続記述子のタイプに関しては、前述の記述を参照されたい。詳細がここで再び記述されることはない。
【０１６５】
ネットワークスライスサブネットテンプレートは、図６において破線のブロックで示されているサービス構成ファイルを含み得るし、サービス構成ファイルは、ネットワーク機能のサービス構成のために利用される。サービス構成ファイルは、ネットワーク機能によって実施される必要があるサービス機能を示すということが理解され得る。
【０１６６】
ネットワークスライスサブネットテンプレートは、図６において破線ブロックで示されているネットワークサービス記述子インデックスファイルを含み得るし、ＮＳＤ  ＩＤであり得る。ネットワークサービス記述子は、ネットワーク機能の仮想リソースの展開をインスタンス化するために利用され、そのネットワーク機能は、ネットワークスライスサブネットに含まれるネットワーク機能である。ＭＡＮＯは、このケースにおいては、ネットワークサービス記述子ＩＤインデックスに対応するＮＳＤファイルに基づいて、ネットワーク機能の仮想リソースの展開を完了し得るということが理解され得る。仮想リソースは、仮想メモリリソース、仮想ＣＰＵなどを含み得る。
【０１６７】
ネットワークスライスサブネットインスタンスが、図６において示されているコンテンツに加えて、別のネットワークスライスサブネットインスタンスをネストし得る場合には、ネットワークスライスサブネットテンプレートは、ネストされるネットワークスライスサブネットインスタンスに対応するネットワークスライスサブネットテンプレートをさらに含み得る。
【０１６８】
ステップＳ３０１：  ＮＳＳＭＦは、ネットワークスライスサブネットインスタンス化要求を受信し、ネットワークスライスサブネットインスタンス化要求は、ネットワークスライスサブネット要件情報を含む。
【０１６９】
ネットワークスライスサブネット要件情報は、ＮＳＭＦによってＮＳＳＭＦに提供される入力パラメータであり、それによってＮＳＳＭＦは、ネットワークスライスサブネットをインスタンス化するということが理解され得る。
【０１７０】
ネットワークスライスサブネットインスタンス化要求は、ネットワークスライスサブネットインスタンスの展開エリアをさらに含み、それによってインスタンス化プロセスにおいて、ＭＡＮＯは、正しいエリアにおけるＤＣにおいて、ネットワークスライスサブネットインスタンスに対応するネットワーク機能を展開することが可能である。
【０１７１】
ネットワークスライスサブネットインスタンス化要求は、ネットワークスライスインスタンス識別子をさらに含み、それによってＮＳＳＭＦは、ネットワークスライスサブネット要件情報が属するネットワークスライスインスタンスを管理する。
【０１７２】
ステップＳ３０１は、図２Ａ及び図２Ｂにおいて示されている実施形態におけるステップＳ２０４ａ及びステップＳ２０４ｂに対応するということに留意されたい。
【０１７３】
ステップＳ３０２：  ＮＳＳＭＦは、ネットワークスライスサブネットテンプレートを取得する。
【０１７４】
実装においては、ＮＳＳＭＦは、ネットワークスライスサブネットテンプレート識別子に基づいて、ネットワークスライスサブネットテンプレート識別子に対応するネットワークスライスサブネットテンプレートを取得する。１つのネットワークスライスサブネットテンプレート識別子は、１つのネットワークスライスサブネットテンプレートに対応する。
【０１７５】
実装においては、ＮＳＳＭＦは、ネットワークスライスタイプに基づいて、ネットワークスライスタイプに対応するネットワークスライステンプレートを取得する。１つのネットワークスライスタイプは、１つのネットワークスライスサブネットテンプレートに対応する。具体的には、ＮＳＳＭＦは、ネットワークスライスタイプに基づいて、ネットワークスライスタイプに対応するネットワークスライスサブネットテンプレート識別子を探索し、次いでネットワークスライスサブネットテンプレート識別子に基づいてネットワークスライスサブネットテンプレートを取得する。
【０１７６】
このケースにおいては、ＮＳＳＭＦは、ネットワークスライスサブネットテンプレートに対応するネットワークスライスサブネットインスタンスに識別子をさらに割り当て得るし、即ち、ネットワークスライスサブネットインスタンス識別子（ＮＳＳＩ  ＩＤ）を割り当て得る。１つのネットワークスライスサブネットインスタンスは、一度インスタンス化を通じて１つのネットワークスライスサブネットテンプレートを利用することによって取得されることが可能である。
【０１７７】
ステップＳ３０３：  ＮＳＳＭＦは、ネットワークスライスサブネットテンプレートに基づいて、ネットワークスライスサブネット要件情報を、ネットワークスライスサブネットにおけるネットワークサービス要件情報、サービス構成要件情報、及びトランスポートネットワーク要件情報へと分解する。
【０１７８】
ＮＳＳＭＦは、ネットワークスライスサブネットテンプレートに基づいてネットワークスライスサブネット要件情報から、ネットワーク機能サブネットインスタンス化に必要とされる入力パラメータと、ネットワーク機能ノードのネットワーク接続ポイント情報と、ネットワーク機能ノードのサービスアクセスポイント情報と、ネットワーク機能ノード間におけるネットワーク接続情報と、ネットワーク機能ノード間におけるサービス接続情報とを取得する。
【０１７９】
ネットワークスライスサブネットインスタンス化に必要とされるコンポーネント情報が、ネットワークスライスサブネットインスタンスに含まれる仮想化ネットワーク機能に対応するネットワークサービス記述子のインデックス情報をさらに含む場合、即ち、ＮＳＳＴが、ＮＳＳＩに含まれるＶＮＦに対応するＮＳＤインデックスファイルを含む場合には、ＮＳＳＭＦは、取得された５つのタイプの情報に基づいてＮＳＤのインスタンス化入力パラメータを生成する、即ち、ＮＳインスタンス化に必要とされる入力パラメータを生成する。このケースにおいては、ネットワークサービス要件情報は、ＮＳＤのインスタンス化入力パラメータである。
【０１８０】
ネットワークスライスサブネットインスタンス化に必要とされるコンポーネント情報が、ネットワークスライスサブネットインスタンスに含まれる仮想化ネットワーク機能に対応するネットワークサービス記述子のインデックス情報を含まない場合、即ち、ＮＳＳＴが、ＮＳＳＩに含まれるＶＮＦに対応するＮＳＤインデックスファイルを含まない場合には、ＮＳＳＭＦは、取得された５つのタイプの情報に基づいて、ＮＳＳＩに含まれるＶＮＦに対応するＮＳＤファイルを生成する。このケースにおいては、ネットワークサービス要件情報は、生成されたＮＳＤファイルである。
【０１８１】
ネットワークスライスサブネットインスタンス化に必要とされるコンポーネント情報が、第１のサービス構成ファイルのインデックス情報をさらに含む場合、即ち、ＮＳＳＴが、第１のサービス構成ファイルのインデックス情報を含む場合には、ＮＳＳＭＦは、前述の取得された５つのタイプの情報に基づいて第１のサービス構成ファイルの入力パラメータを生成する。このケースにおいては、サービス構成要件情報は、第１のサービス構成ファイルの入力パラメータである。
【０１８２】
ネットワークスライスサブネットインスタンス化に必要とされるコンポーネント情報が、第１のサービス構成ファイルのインデックス情報を含まない場合、即ち、ＮＳＳＴが、第１のサービス構成ファイルのインデックス情報を含まない場合には、ＮＳＳＭＦは、前述の取得された５つのタイプの情報に基づいて第１のサービス構成ファイルを生成し、サービス構成要件情報は、第１のサービス構成ファイルである。
【０１８３】
第１のサービス構成ファイルは、ネットワークスライスサブネットインスタンスの非サービスアクセスポイント構成ファイルであり、即ち、ネットワークスライスサブネットインスタンスと別のネットワークスライスサブネットインスタンスとの間における相互接続のためのサービスアクセスポイント構成ファイルを含まない。
【０１８４】
トランスポートネットワーク要件情報は、ネットワーク機能ノード間におけるネットワーク接続のためのネットワーク接続入力パラメータを提供することを含めて、トランスポートネットワークインスタンス化のための入力パラメータを提供する。
【０１８５】
ステップＳ３０４：  ＮＳＳＭＦは、ネットワークサービスインスタンス化要求をＭＡＮＯへ送信し、ネットワークサービスインスタンス化要求は、ネットワークサービス要件情報を含む。
【０１８６】
ネットワークサービスインスタンス化要求は、ネットワークスライスサブネットテンプレート識別子をさらに含む。
【０１８７】
ネットワークスライスサブネットインスタンス化要求が、ネットワークスライスサブネットインスタンスの展開エリアを含む場合には、ネットワークサービスインスタンス化要求は、ネットワークスライスサブネットインスタンスの展開エリアをさらに含む。
【０１８８】
ネットワークサービスインスタンス化要求は、ネットワークサービス記述子識別子（ＮＳＤ  ＩＤ）をさらに含み、それによってＭＡＮＯは、ＮＳＤ  ＩＤに対応するＮＳをインスタンス化する。
【０１８９】
ステップＳ３０５：  ＭＡＮＯは、ネットワークサービス要件情報に基づいてネットワークサービスインスタンス化を実行する。
【０１９０】
ＭＡＮＯは、ネットワーク機能の詳細なロケーションを展開することを含めて、ネットワークサービス要件情報に基づいてネットワークサービスをインスタンス化する。
【０１９１】
ネットワークサービス要件情報がＮＳＤのインスタンス化要件情報である場合には、ＭＡＮＯは、ＮＳＤのインスタンス化要件情報に基づいてネットワークサービスをインスタンス化する。ネットワークサービス要件情報がＮＳＤファイルである場合には、ＭＡＮＯは、ＮＳＤファイルに基づいてネットワークサービスをインスタンス化する。
【０１９２】
ステップＳ３０６：  ＭＡＮＯは、ネットワークサービスインスタンス化応答をＮＳＳＭＦへ送信する。
【０１９３】
ネットワークサービスインスタンス化を完了した場合には、ＭＡＮＯは、ネットワークサービスインスタンス化応答をＮＳＳＭＦへ送信し、ネットワークサービスインスタンス化応答は、ネットワークスライスサブネットインスタンス識別子（ＮＳＳＩ  ＩＤ）と、ネットワークスライスサブネットインスタンスに含まれるネットワーク機能の展開ロケーション情報と、ＶＮＦに対応するネットワーク接続ポイントのネットワーク接続ポイントインスタンス化情報とを含む。ネットワーク接続ポイントインスタンス化情報は、ＩＰアドレスなどの情報を含む。
【０１９４】
ステップＳ３０７：  ＮＳＳＭＦは、サービス構成要求を、ＮＳＳＭＦに対応するＥＭＳへ送信し、サービス構成要求は、サービス構成要件情報を含む。
【０１９５】
サービス構成要件情報は、第１のサービス構成ファイル、又は第１のサービス構成ファイルの要件情報である。
【０１９６】
ステップＳ３０８：  ＮＳＳＭＦは、トランスポートネットワークインスタンス化要求をＴＮマネージャへ送信し、トランスポートネットワークインスタンス化要求は、トランスポートネットワーク要件情報を含む。
【０１９７】
ステップＳ３０８は、図２Ｂにおいて示されている実施形態におけるステップＳ２０８に類似しており、ステップＳ２０８は、ネットワークスライスサブネットノードを含むトランスポートネットワークのためのものであり、ステップＳ３０８は、ネットワーク機能を含むトランスポートネットワークのためのものであるという点に相違がある。
【０１９８】
ステップＳ３０９：  ＴＮマネージャは、トランスポートネットワークインスタンス化要求に基づいてトランスポートネットワークインスタンス化を実行する。
【０１９９】
トランスポートネットワークインスタンス化要求を受信した場合には、ＴＮマネージャは、トランスポートネットワークインスタンス化要求に基づいてトランスポートネットワークインスタンス化を実行して、ネットワーク機能間におけるネットワーク接続を確立する。
【０２００】
ステップＳ３１０：  ＴＮマネージャは、承認メッセージをＮＳＳＭＦへ送信する。
【０２０１】
トランスポートネットワークインスタンス化を完了した後に、ＴＮマネージャは、承認メッセージをＮＳＳＭＦへフィードバックして、トランスポートネットワークインスタンス化が完了されているということをＮＳＳＭＦに通知する。
【０２０２】
ステップＳ３１１：  ＮＳＳＭＦは、ネットワークスライスサブネットテンプレートに基づいて、ネットワークスライスサブネットインスタンス及び別のネットワークスライスサブネットインスタンスのネットワーク接続ポイント情報、並びにネットワークスライスサブネットインスタンス及び別のネットワークスライスサブネットインスタンスのネットワーク接続ポイント情報に対応するサービスアクセスポイント情報を取得する。
【０２０３】
ネットワークスライスサブネットノードのネットワーク接続ポイント記述子は、ネットワークスライスサブネットノードと別のネットワークスライスサブネットノードとの間におけるネットワーク接続のために利用されるネットワーク接続ポイント情報を記述する。従ってＮＳＳＭＦは、ネットワークスライスサブネット要件情報を参照してネットワークスライスサブネットノードのネットワーク接続ポイント記述子に基づいてネットワークスライスサブネットインスタンス及び別のネットワークスライスサブネットインスタンスのネットワーク接続ポイント情報を取得し得る。
【０２０４】
ネットワークスライスサブネットノードのサービスアクセスポイント記述子は、ネットワークスライスサブネットノードと別のネットワークスライスサブネットノードとの間におけるサービス接続のために利用されるサービスアクセスポイント情報を記述する。従ってＮＳＳＭＦは、ネットワークスライスサブネット要件情報を参照してネットワークスライスサブネットノードのサービスアクセスポイント記述子に基づいてネットワークスライスサブネットインスタンス及び別のネットワークスライスサブネットインスタンスのサービスアクセスポイント情報を取得し得る。
【０２０５】
ステップＳ３１２：  ＮＳＳＭＦは、インスタンス化情報をＮＳＭＦへ送信する。
【０２０６】
インスタンス化情報は、ネットワークスライスサブネットインスタンス識別子と、ネットワークスライスサブネットインスタンスのネットワーク接続ポイントインスタンス化情報と、ネットワークスライスサブネットインスタンスのサービスアクセスポイントインスタンス化情報とを含む。
【０２０７】
ネットワークスライスサブネットインスタンスのネットワーク接続ポイントインスタンス化情報は、ネットワークスライスサブネットインスタンスと別のネットワークスライスサブネットインスタンスとの間における相互接続のためのネットワーク接続ポイントのローカルＩＰアドレスを含み、ネットワークスライスサブネットインスタンスと、アプリケーションサーバ又は外部アクセスデバイスとの間における相互接続のためのネットワーク接続ポイントに関する情報をさらに含む。
【０２０８】
ネットワークスライスサブネットインスタンスのサービスアクセスポイントインスタンス化情報は、ネットワークスライスサブネットインスタンスと別のネットワークスライスサブネットインスタンスとの間における相互接続のためのサービスアクセスポイントのローカルＩＰアドレスを含み、ネットワークスライスサブネットインスタンスと、アプリケーションサーバ又は外部アクセスデバイスとの間における相互接続のサービスアクセスポイント情報をさらに含む。
【０２０９】
ＮＳＳＩ−１がＮＳＳＩ  ２に相互接続されると想定すると、ＮＳＳＩ−１に関しては、ローカルＩＰアドレスは、ＮＳＳＩ−１のＩＰアドレスであり、ピアＩＰアドレスは、ＮＳＳＩ−２のＩＰアドレスである。
【０２１０】
ＮＳＭＦは、各ＮＳＳＭＦによって送信されたインスタンス化情報を記録及び格納し得る。
【０２１１】
ステップＳ３１２は、図２Ａ及び図２Ｂにおいて示されている実施形態におけるステップＳ２０５ａ及びステップＳ２０５ｂに対応するということに留意されたい。
【０２１２】
ステップＳ３０４、ステップＳ３０７、及びステップＳ３０８の実行シーケンスは、図５Ａ及び図５Ｂにおいて示されている実行シーケンスに限定されず、それらの３つのステップは、同時に実行され得るということに留意されたい。
【０２１３】
図５Ａ及び図５Ｂにおいて示されている手順におけるＮＳＳＭＦは、任意のＮＳＳＭＦであり得る。ネットワークスライスインスタンスが、複数のネットワークスライスサブネットインスタンスを含む場合には、複数のＮＳＳＭＦがあり、各ＮＳＳＭＦに関するネットワークスライスサブネットインスタンス化の手順は、前述の手順に基づいて実行され得る。
【０２１４】
図７は、本出願の実施形態によるサービス接続インスタンス化の概略フローチャートである。この手順は、ＮＳＭＦ、ＮＳＳＭＦ、及びＥＭＳの間における対話という観点から記述されている。図７において示されている手順は、下記のステップを含み得るが、それらには限定されない。
【０２１５】
ステップＳ４００：  ＮＳＭＦは、ＮＳＳＭＦによって送信されたインスタンス化情報を記録する。
【０２１６】
ステップＳ４０１：  ＮＳＭＦは、サービスアクセス要求をＮＳＳＭＦへ送信し、サービスアクセス要求は、ネットワークスライスインスタンス識別子、ネットワークスライスサブネットテンプレート識別子、及びサービスアクセスポイント情報を含む。
【０２１７】
サービスアクセスポイントインスタンス化情報は、ネットワークスライスサブネットインスタンスと別のネットワークスライスサブネットインスタンスとの間における相互接続のためのサービスアクセスポイントのローカルアドレス情報及びピアアドレス情報と、ゲートウェイルータのアドレス情報とを含む。ゲートウェイルータのＩＰアドレスは、ネクストホップルータのＩＰアドレスである。例えば、ＮＳＳＩ１のサービスアクセスポイント及びＮＳＳＩ２のサービスアクセスポイントは、互いに相互接続される。ＮＳＳＩ１に関しては、ローカルＩＰアドレスは、ＮＳＳＩ１のサービスアクセスポイントのＩＰアドレスであり、ピアＩＰアドレスは、ＮＳＳＩ２のサービスアクセスポイントのＩＰアドレスである。
【０２１８】
ネットワークスライスサブネットインスタンス１及びネットワークスライスサブネットインスタンス２のインスタンス化情報を受信した後に、ＮＳＭＦは、サービスアクセス要求をＮＳＳＭＦ１へ送信し、サービスアクセス要求は、ネットワークスライスインスタンス識別子と、ネットワークスライスサブネットインスタンス１に対応するネットワークスライスサブネットテンプレート識別子と、サービスアクセスポイント情報１とを搬送する。
【０２１９】
ネットワークスライスサブネットインスタンス１及びネットワークスライスサブネットインスタンス２のインスタンス化情報を受信した後に、ＮＳＭＦは、サービスアクセス要求をＮＳＳＭＦ２へ送信し、サービスアクセス要求は、ネットワークスライスインスタンス識別子と、ネットワークスライスサブネットインスタンス２に対応するネットワークスライスサブネットテンプレート識別子と、サービスアクセスポイント情報２とを搬送する。
【０２２０】
ステップＳ４０１は、図２Ｂにおいて示されている実施形態におけるステップＳ２０６ａ及びステップＳ２０６ｂに対応するということに留意されたい。
【０２２１】
ステップＳ４０２：  ＮＳＳＭＦは、ネットワークスライスサブネットテンプレート及びサービスアクセスポイント情報に基づいて第２のサービス構成ファイルを生成し、第２のサービス構成ファイルは、ネットワークスライスサブネットインスタンスと別のネットワークスライスサブネットインスタンスとの間における相互接続のために利用されるサービス構成ファイルである。
【０２２２】
ステップＳ４０３：  ＮＳＳＭＦは、第２のサービス構成ファイルを、ＮＳＳＭＦに対応するＥＭＳへ送信する。
【０２２３】
ステップＳ４０４：  ＥＭＳは、第１のサービス構成ファイル及び第２のサービス構成ファイルに基づいてサービス構成を完了する。
【０２２４】
ＮＳＳＭＦ１に対応するＥＭＳ１が、第１のサービス構成ファイル及び第２のサービス構成ファイルに基づいてサービス構成を完了する、即ち、ネットワークスライスサブネットインスタンスのサービス構成展開を完了し、それによってＮＳＳＩ１は、サービス機能を実施するためのサービスにアクセスすることが可能である。
【０２２５】
第１のサービス構成ファイルについての記述に関しては、図５Ａにおいて示されている実施形態におけるステップＳ３０３の記述を参照されたい。
【０２２６】
ステップＳ４０５：  ＮＳＳＭＦは、サービスアクセス承認メッセージをＮＳＭＦへ送信し、サービスアクセス承認メッセージは、ネットワークスライスサブネットインスタンス識別子を含む。
【０２２７】
ＥＭＳがサービス構成を完了した後に、ＮＳＳＭＦは、サービスアクセス承認メッセージをＮＳＭＦへ送信し、サービスアクセス承認メッセージは、ネットワークスライスサブネットインスタンス識別子を搬送して、対応するネットワークスライスサブネットインスタンスがサービスにアクセスしているということ、例えば、ＮＳＳＩ１がサービスにアクセスしているということをＮＳＭＦに通知する。
【０２２８】
ステップＳ４０５は、図２Ｂにおいて示されている実施形態におけるステップＳ２０７ａ及びステップＳ２０７ｂに対応するということに留意されたい。
【０２２９】
図７において示されている手順におけるＮＳＳＭＦは、任意のＮＳＳＭＦであり得る。ネットワークスライスインスタンスが、複数のネットワークスライスサブネットインスタンスを含む場合には、複数のＮＳＳＭＦがあり、各ＮＳＳＭＦに関するサービスアクセスインスタンス化の手順は、前述の手順に基づいて実行され得る。
【０２３０】
前述の内容は、本出願の実施形態における方法を詳細に記述しており、以降では、本出願の実施形態における装置を提供する。
【０２３１】
図８は、本出願の実施形態によるデバイスの論理構造の概略図である。デバイス４０は、処理ユニット４０１及びトランシーバユニット４０２を含み得る。デバイス４０は、図２Ａ及び図２Ｂ、図５Ａ及び図５Ｂ、並びに図７において示されている実施形態におけるＮＳＭＦ、ＮＳＳＭＦ、又はＴＮマネージャであり得る。
【０２３２】
デバイス４０が、図２Ａ及び図２Ｂ、図５Ａ及び図５Ｂ、並びに図７において示されている実施形態におけるＮＳＭＦである場合には、トランシーバユニット４０２は、ＣＳＭＦ、ＮＳＳＭＦ、及びＴＮマネージャと通信し、例えば、図２Ａ及び図２Ｂにおいて示されている実施形態におけるステップＳ２０１、ステップＳ２０４（ａ又はｂ）、ステップＳ２０５（ａ又はｂ）、ステップＳ２０６（ａ又はｂ）、ステップＳ２０７（ａ又はｂ）、ステップＳ２０９、及びステップＳ２１０を実行し、図５Ｂにおいて示されている実施形態におけるステップＳ３１２を実行し、図７において示されている実施形態におけるステップＳ４０５を実行するように構成され得る。処理ユニット４０１は、ＮＳＭＦを制御するオペレーションを実行するように、例えば、図２Ａにおいて示されている実施形態におけるステップＳ２０２及びステップＳ２０３を実行するように構成され得る。詳細に関しては、図２Ａ及び図２Ｂ、図５Ａ及び図５Ｂ、並びに図７において示されている実施形態における対応する記述を参照されたい。詳細がここで再び記述されることはない。
【０２３３】
デバイス４０が、図２Ａ及び図２Ｂ、図５Ａ及び図５Ｂ、並びに図７において示されている実施形態におけるＮＳＳＭＦである場合には、トランシーバユニット４０２は、ＮＳＭＦ、ＴＮマネージャ、ＭＡＮＯ、及びＥＭＳと通信し、例えば、図２Ａ及び図２Ｂにおいて示されている実施形態におけるステップＳ２０４（ａ又はｂ）、ステップＳ２０５（ａ又はｂ）、ステップＳ２０６（ａ又はｂ）、及びステップＳ２０７（ａ又はｂ）を実行し、図５Ａ及び図５Ｂにおいて示されている実施形態におけるステップＳ３０１、ステップＳ３０４、ステップＳ３０６、ステップＳ３０７、ステップＳ３０８、及びステップＳ３１０を実行し、図７において示されている実施形態におけるステップＳ４０１、ステップＳ４０３、及びステップＳ４０５を実行するように構成され得る。処理ユニット４０１は、ＮＳＳＭＦを制御するオペレーションを実行するように、例えば、図５Ａ及び図５Ｂにおいて示されている実施形態におけるステップＳ３０２、ステップＳ３０３、及びステップＳ３１１を実行し、図７において示されている実施形態におけるステップＳ４０２を実行するように構成され得る。詳細に関しては、図２Ａ及び図２Ｂ、図５Ａ及び図５Ｂ、並びに図７において示されている実施形態における対応する記述を参照されたい。詳細がここで再び記述されることはない。
【０２３４】
デバイス４０が、図２Ａ及び図２Ｂ、図５Ａ及び図５Ｂ、並びに図７において示されている実施形態におけるＴＮマネージャである場合には、トランシーバユニット４０２は、ＮＳＭＦ及びＮＳＳＭＦと通信し、例えば、図２Ｂにおいて示されている実施形態におけるステップＳ２０８を実行し、図５Ｂにおいて示されている実施形態におけるステップＳ３０８を実行するように構成され得る。処理ユニット４０１は、ＴＮマネージャを制御するオペレーションを実行するように、例えば、図２Ｂにおいて示されている実施形態におけるステップＳ２０９を実行し、図５Ｂにおいて示されている実施形態におけるステップＳ３０９を実行するように構成され得る。詳細に関しては、図２Ａ及び図２Ｂ、図５Ａ及び図５Ｂ、並びに図７において示されている実施形態における対応する記述を参照されたい。詳細がここで再び記述されることはない。
【０２３５】
図９は、本出願の実施形態によるデバイスのエンティティ構造の簡略化された概略図である。デバイス５０は、図２Ａ及び図２Ｂ、図５Ａ及び図５Ｂ、並びに図７において示されている実施形態におけるＮＳＭＦ、ＮＳＳＭＦ、又はＴＮマネージャであり得る。デバイス５０は、トランシーバ５０１、プロセッサ５０２、及びメモリ５０３を含む。トランシーバ５０１、プロセッサ５０２、及びメモリ５０３は、バス５０４を利用することによって互いに接続され得るし、又は別の様式で互いに接続され得る。図８において示されている処理ユニット４０１によって実施される関連した機能は、１つ又は複数のプロセッサ５０２によって実施され得る。図８において示されているトランシーバユニット４０２によって実施される関連した機能は、トランシーバ５０１によって実施され得る。
【０２３６】
メモリ５０３は、ランダムアクセスメモリ（ｒａｎｄｏｍ  ａｃｃｅｓｓ  ｍｅｍｏｒｙ、ＲＡＭ）、読み取り専用メモリ（ｒｅａｄ−ｏｎｌｙ  ｍｅｍｏｒｙ、ＲＯＭ）、消去可能プログラム可能読み取り専用メモリ（ｅｒａｓａｂｌｅ  ｐｒｏｇｒａｍｍａｂｌｅ  ｒｅａｄ  ｏｎｌｙ  ｍｅｍｏｒｙ、ＥＰＲＯＭ）、又はポータブル読み取り専用メモリ（ｃｏｍｐａｃｔ  ｄｉｓｃ  ｒｅａｄ−ｏｎｌｙ  ｍｅｍｏｒｙ、ＣＤ−ＲＯＭ）を含むが、それらには限定されない。メモリ５０３は、関連した命令及び関連したデータを格納するように構成されている。
【０２３７】
トランシーバ５０１は、データ及び／又はシグナリングを送信するように、並びにデータ及び／又はシグナリングを受信するように構成されている。
【０２３８】
プロセッサ５０２は、１つ又は複数のプロセッサを含み得るし、例えば、１つ又は複数の中央処理装置（ｃｅｎｔｒａｌ  ｐｒｏｃｅｓｓｉｎｇ  ｕｎｉｔ、ＣＰＵ）を含み得る。プロセッサ５０２が１つのＣＰＵである場合には、そのＣＰＵは、シングルコアＣＰＵであり得るし、又はマルチコアＣＰＵであり得る。
【０２３９】
デバイス５０がＮＳＭＦである場合には、プロセッサ５０２は、図２Ａにおいて示されている実施形態におけるステップＳ２０２及びステップＳ２０３を実行する際にＮＳＭＦをサポートするように構成されている。
【０２４０】
デバイス５０がＮＳＳＭＦである場合には、プロセッサ５０２は、図５Ａ及び図５Ｂにおいて示されている実施形態におけるステップＳ３０２、ステップＳ３０３、及びステップＳ３１１を実行する際に、並びに図７において示されている実施形態におけるステップＳ４０２を実行する際にＮＳＳＭＦをサポートするように構成されている。
【０２４１】
デバイス５０がＴＮマネージャである場合には、プロセッサ５０２は、図２Ｂにおいて示されている実施形態におけるステップＳ２０６ａ及びステップＳ２０６ｂを実行する際に、並びに図５Ｂにおいて示されている実施形態におけるステップＳ３０９を実行する際にＴＮマネージャをサポートするように構成されている。
【０２４２】
メモリ５０３は、デバイス５０のプログラムコード及びデータを格納するように構成されている。
【０２４３】
トランシーバ５０１は、別のデバイスと通信するように構成されている。デバイス５０がＣＳＭＦである場合には、トランシーバ５０１は、ＮＳＭＦエンティティ、オペレータ、又はサードパーティ顧客と通信するように構成されている。デバイスがＮＳＭＦである場合には、トランシーバ５０１は、ＣＳＭＦ、ＮＳＳＭＦ、及びＴＮマネージャと通信するように構成されている。デバイスがＮＳＳＭＦエンティティである場合には、トランシーバは、ＮＳＭＦ、ＴＮマネージャ、ＭＡＮＯ、及びＥＭＳと通信するように構成されている。
【０２４４】
プロセッサ５０２及びトランシーバ５０１によって実行されるステップの詳細に関しては、図２Ａ及び図２Ｂ、図５Ａ及び図５Ｂ、並びに図７において示されている実施形態における記述を参照されたい。詳細がここで再び記述されることはない。
【０２４５】
図９は、デバイスの簡略化された設計を示しているにすぎないということが理解され得る。実際の適用においては、デバイスは、任意の数量のトランシーバ、プロセッサ、コントローラ、メモリ、及び通信ユニットを含むがそれらには限定されないその他の必要なコンポーネントをさらに含み得る。本出願を実施することが可能な全てのデバイスが、本出願の保護範囲内に収まる。
【０２４６】
本出願の実施形態は、ネットワークスライス管理システムをさらに提供し、このネットワークスライス管理システムは、図１において示されているＮＳＭＦ、ＮＳＳＭＦ、及びＣＳＭＦを含み、図２Ａ及び図２Ｂ、図５Ａ及び図５Ｂ、並びに図７において示されている実施形態におけるＴＮマネージャ、ＭＡＮＯ、ＥＭＳなどをさらに含む。
【０２４７】
実施形態における方法のプロセスのうちの全て又はいくつかは、関連するハードウェアに指示するコンピュータプログラムによって完了され得るということを当技術分野における標準的な技術者なら理解し得る。そのプログラムは、コンピュータ可読ストレージメディアに格納され得る。そのプログラムが実行されたときに、前述の方法実施形態のプロセスが実行される。前述のストレージメディアは、ＲＯＭ、ランダムアクセスメモリＲＡＭ、磁気ディスク、又は光ディスクなど、プログラムコードを格納することが可能である任意のメディアを含む。従って、本出願の別の実施形態は、コンピュータ可読ストレージメディアを提供する。このコンピュータ可読ストレージメディアは、命令を格納しており、その命令がコンピュータ上で稼働されたときに、コンピュータは、前述の態様における方法を実行することを可能にされる。
【０２４８】
本出願のさらに別の実施形態は、命令を含むコンピュータプログラム製品をさらに提供し、そのコンピュータプログラム製品がコンピュータ上で稼働されたときに、コンピュータは、前述の態様における方法を実行することを可能にされる。
【０２４９】
本出願において開示されている実施形態において記述されている例に関連して、電子ハードウェア、又はコンピュータソフトウェアと電子ハードウェアとの組合せによって、ユニット及びアルゴリズムステップが実施され得るということを当技術分野における標準的な技術者なら認識し得る。機能がハードウェアによって実行されるか、又はソフトウェアによって実行されるかは、技術的なソリューションの個別の用途及び設計制約条件に依存する。当業者なら、記述されている機能をそれぞれの個別の用途のために実施する目的で様々な方法を利用し得るが、その実施は本出願の範囲を超えるものとみなされるべきではない。
【０２５０】
便利で簡単な記述の目的のために、前述のシステム、装置、及びユニットの詳細な機能プロセスに関しては、前述の方法実施形態における対応するプロセスを参照されたいということが当業者によって明らかに理解され得るし、詳細がここで再び記述されることはない。
【０２５１】
本出願において提供されているいくつかの実施形態においては、開示されているシステム、装置、及び方法が別の様式で実施され得るということを理解されたい。例えば、記述されている装置実施形態は、例にすぎない。例えば、ユニットへの区分は、論理的な機能区分にすぎず、実際の実施においてはその他の区分であってもよい。例えば、複数のユニット若しくはコンポーネントが組み合わされて若しくは統合されて別のシステムになってもよく、又はいくつかの機能が無視されてもよく、若しくは実行されなくてもよい。加えて、表示されている又は論じられている相互の結合又は直接の結合又は通信接続は、いくつかのインターフェースを通じて実施され得る。装置間又はユニット間における間接的な結合又は通信接続は、電子的な形態、機械的な形態、又はその他の形態で実施され得る。
【０２５２】
別々の部分として記述されているユニットは、物理的に別々であってもよく、又は物理的に別々でなくてもよく、ユニットとして表示されている部分は、物理的なユニットであってもよく、又は物理的なユニットでなくてもよく、１つのロケーションに配置されてもよく、又は複数のネットワークユニット上に分散されてもよい。ユニットのうちのいくつか又は全ては、実施形態におけるソリューションの目的を達成するために実際の要件に応じて選択され得る。
【０２５３】
加えて、本出願の実施形態における機能ユニットが統合されて１つの処理ユニットになってもよく、又はそれらのユニットのそれぞれが物理的に単独で存在してもよく、又は２つ以上のユニットが統合されて１つのユニットになる。
【０２５４】
前述の実施形態のうちの全て又はいくつかは、前述の実施形態においてソフトウェア、ハードウェア、ファームウェア、又はそれらの任意の組合せを利用することによって実装され得る。実施形態を実装するためにソフトウェアが利用される場合には、実施形態のうちの全て又はいくつかは、コンピュータプログラム製品の形態で実装され得る。コンピュータプログラム製品は、１つ又は複数のコンピュータ命令を含む。コンピュータプログラム命令がコンピュータ上にロードされて実行されたときに、本発明の実施形態による手順又は機能が全て又は部分的に生成される。コンピュータは、汎用コンピュータ、専用コンピュータ、コンピュータネットワーク、又は別のプログラム可能な装置であり得る。コンピュータ命令は、コンピュータ可読ストレージメディアに格納され得るし、又はコンピュータ可読ストレージメディアを利用することによって伝送され得る。コンピュータ命令は、ウェブサイト、コンピュータ、サーバ、又はデータセンタから、別のウェブサイト、コンピュータ、サーバ、又はデータセンタへ、有線（例えば、同軸ケーブル、光ファイバ、若しくはデジタルサブスクライバライン（ｄｉｇｉｔａｌ  ｓｕｂｓｃｒｉｂｅｒ  ｌｉｎｅ、ＤＳＬ））の様式で、又はワイヤレス（例えば、赤外線、ラジオ波、若しくはマイクロ波）の様式で伝送され得る。コンピュータ可読ストレージメディアは、１つ又は複数の利用可能なメディアによって統合されているサーバ及びデータセンタなど、コンピュータ、又はデータストレージデバイスによってアクセス可能な任意の利用可能なメディアであり得る。利用可能なメディアは、磁気メディア（例えば、フロッピーディスク、ハードディスク、又は磁気テープ）、光メディア（例えば、ＤＶＤ）、半導体メディア（例えば、ソリッドステートディスク（Ｓｏｌｉｄ  Ｓｔａｔｅ  Ｄｉｓｋ、ＳＳＤ））などであり得る。
【図１】
2020536434.tif 000003
【図２Ａ】
2020536434.tif 000004
【図２Ｂ】
2020536434.tif 000005
【図３】
2020536434.tif 000006
【図４】
2020536434.tif 000007
【図５Ａ】
2020536434.tif 000008
【図５Ｂ】
2020536434.tif 000009
【図６】
2020536434.tif 000010
【図７】
2020536434.tif 000011
【図８】
2020536434.tif 000012
【図９】
2020536434.tif 000013
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
ネットワークスライス管理機能エンティティによって、ネットワークスライスインスタンス化要求を受信するステップであって、前記ネットワークスライスインスタンス化要求は、ネットワークスライス要件情報を含み、前記ネットワークスライス要件情報は、ネットワークスライステンプレート識別子又はネットワークスライスタイフ゜と、ネットワークスライス展開要件情報とを含む、ステップと、
前記ネットワークスライス管理機能エンティティによって、前記ネットワークスライステンプレート識別子又は前記ネットワークスライスタイフ゜に基づいて、ネットワークスライステンプレートを取得するステップと、
前記ネットワークスライス管理機能エンティティによって、前記ネットワークスライステンプレートに基づいて、前記ネットワークスライス要件情報を、前記ネットワークスライステンプレートに含まれるネットワークスライスサブネットのネットワークスライスサブネット要件情報と、ネットワークスライスにおけるトランスポートネットワーク要件情報とに分解するステップと、
前記ネットワークスライスに含まれる各ネットワークスライスサブネットについて、前記ネットワークスライス管理機能エンティティによって、ネットワークスライスサブネットインスタンス化要求をネットワークスライスサブネット管理機能エンティティに送信するステップであって、前記ネットワークスライスサブネットインスタンス化要求は、前記ネットワークスライスサブネット要件情報を含む、ステップと、
前記ネットワークスライスサブネット管理機能エンティティによって送信されたネットワークスライスサブネットインスタンス化応答を、前記ネットワークスライス管理機能エンティティによって受信するステップであって、前記ネットワークスライスサブネットインスタンス化応答は、ネットワークスライスサブネットインスタンス化情報を含み、前記ネットワークスライスサブネットインスタンス化情報は、ネットワークスライスサブネットインスタンス識別子と、ネットワークスライスサブネットインスタンスのサービスアクセスポイントインスタンス化情報と、前記ネットワークスライスサブネットインスタンスのネットワーク接続ポイントインスタンス化情報とを含む、ステップと、
前記ネットワークスライス管理機能エンティティによって、トランスポートネットワークインスタンス化要求をトランスポートネットワークマネージャに送信するステップであって、前記トランスポートネットワークインスタンス化要求は、前記ネットワークスライスにおける前記トランスポートネットワーク要件情報と、全てのネットワークスライスサブネットインスタンスのネットワーク接続ポイント情報とを含む、ステップと、
前記ネットワークスライス管理機能エンティティによって、各ネットワークスライスサブネットのインスタンス化後に取得されるサービスアクセスポイント情報に基づいて、各ネットワークスライスサブネットインスタンスのサービス接続の確立をトリガするステップと、
を含む、ネットワークスライス管理方法。
【請求項２】
前記ネットワークスライステンプレートは、ネットワークスライスサブネットテンプレート識別子と、ネットワークスライスサブネットノードのネットワーク接続ポイント記述子と、前記ネットワークスライスサブネットノードのサービスアクセスポイント記述子と、ネットワークスライスサブネットノード間のネットワーク接続記述子と、前記ネットワークスライスサブネットノード間のサービス接続記述子とを含み、
前記ネットワークスライスサブネットノードの前記ネットワーク接続ポイント記述子は、前記ネットワークスライスサブネットノードのネットワーク接続ポイント情報を記述するために利用され、
前記ネットワークスライスサブネットノードの前記サービスアクセスポイント記述子は、前記ネットワークスライスサブネットノードのサービスアクセスポイント情報を記述するために利用され、
前記ネットワークスライスサブネットノード間の前記ネットワーク接続記述子は、前記ネットワークスライスサブネットノード間のネットワーク接続情報を記述するために利用され、
前記ネットワークスライスサブネットノード間の前記サービス接続記述子は、前記ネットワークスライスサブネットノード間のサービス接続情報を記述するために利用される、
請求項１に記載の方法。
【請求項３】
前記ネットワークスライスサブネットテンプレート識別子に対応するネットワークスライスサブネットテンプレートは、前記ネットワークスライスサブネットにおけるネットワーク機能ノードのノード記述子と、前記ネットワーク機能ノードのネットワーク接続ポイント記述子と、前記ネットワーク機能ノードのサービスアクセスポイント記述子と、前記ネットワーク機能ノード間のネットワーク接続記述子と、前記ネットワーク機能ノード間のサービス接続記述子とを含む、
請求項２に記載の方法。
【請求項４】
前記ネットワークスライステンプレートは、ネットワーク機能サブネットインスタンス化のために要求される情報と、ネットワーク機能ノードのネットワーク接続ポイント記述子と、前記ネットワーク機能ノードのサービスアクセスポイント記述子と、接続記述情報とを含み、前記接続記述情報は、前記ネットワーク機能ノード間のネットワーク接続記述子と、前記ネットワーク機能ノード間のサービス接続記述子とを含む、
請求項１に記載の方法。
【請求項５】
前記ネットワークスライステンプレートを利用することによって実行されるネットワークスライスインスタンス化のために要求されるコンポーネント情報は、前記ネットワークスライスに含まれる仮想化されたネットワーク機能に対応するネットワークサービス記述子インデックスファイルをさらに含み、
前記ネットワークサービス記述子インデックスファイルは、前記仮想化されたネットワーク機能の仮想リソース展開をインスタンス化するために利用される、
請求項１〜３のいずれか１項に記載の方法。
【請求項６】
前記ネットワークスライステンプレートは、サービス構成ファイルをさらに含み、前記サービス構成ファイルは、ネットワーク機能のサービス構成のために利用される、
請求項４に記載の方法。
【請求項７】
前記ネットワークスライスサブネットインスタンス化要求は、前記ネットワークスライスサブネットインスタンスの展開エリアをさらに含み、前記ネットワークスライスサブネットインスタンスは、前記ネットワークスライスサブネットに対応するインスタンスであり、
前記ネットワークスライス管理機能エンティティによって、ネットワークスライスサブネットインスタンス化要求をネットワークスライスサブネット管理機能エンティティに送信する前記ステップの前に、前記方法は、
前記ネットワークスライス管理機能エンティティによって、前記ネットワークスライス要件情報に基づいて、前記ネットワークスライスサブネットインスタンスの前記展開エリアを決定するステップをさらに含む、
請求項１〜３のいずれか１項に記載の方法。
【請求項８】
前記ネットワークスライスサブネットインスタンス化要求は、前記ネットワークスライスに対応するネットワークスライスインスタンス識別子をさらに含む、
請求項７に記載の方法。
【請求項９】
前記ネットワークスライスサブネット要件情報は、ネットワークスライスサブネットテンプレート識別子又は前記ネットワークスライスタイフ゜をさらに含む、
請求項７に記載の方法。
【請求項１０】
前記ネットワークスライス管理機能エンティティによって、トランスポートネットワークインスタンス化要求をトランスポートネットワークマネージャに送信する前記ステップは、
前記ネットワークスライス管理機能エンティティによって、各ネットワークスライスサブネット管理機能エンティティによって送信されたインスタンス化応答に基づいて、前記トランスポートネットワークインスタンス化要求を構築するステップと、前記トランスポートネットワークインスタンス化要求を前記トランスポートネットワークマネージャに送信するステップとを含む、
請求項１に記載の方法。
【請求項１１】
前記ネットワークスライス管理機能エンティティによって、各ネットワークスライスサブネットのインスタンス化後に取得されるサービスアクセスポイント情報に基づいて、各ネットワークスライスサブネットインスタンスのサービス接続の確立をトリガする前記ステップは、
前記ネットワークスライス管理機能エンティティによって、各ネットワークスライスサブネットのインスタンス化後に取得される前記サービスアクセスポイント情報に基づいて、サービスアクセス要求を、対応するネットワークスライスサブネット管理機能エンティティに送信するステップであって、前記サービスアクセス要求は、ネットワークスライスインスタンス識別子と、対応するネットワークスライスサブネットテンプレート識別子と、対応するサービスアクセスポイント情報とを含み、前記サービスアクセス要求は、対応するネットワークスライスサブネット関連機能エンティティがサービス接続を確立することをトリガするために利用される、ステップを含む、
請求項１に記載の方法。
【請求項１２】
ネットワークスライスサブネット管理機能エンティティによって、ネットワークスライスサブネットインスタンス化要求を受信するステップであって、前記ネットワークスライスサブネットインスタンス化要求は、ネットワークスライスサブネット要件情報を含む、ステップと、
前記ネットワークスライスサブネット管理機能エンティティによって、ネットワークスライスサブネットテンプレートを取得するステップと、
前記ネットワークスライスサブネット管理機能エンティティによって、前記ネットワークスライスサブネットテンプレートに基づいて、前記ネットワークスライスサブネット要件情報を、前記ネットワークスライスサブネットテンプレートに含まれるネットワーク機能のネットワークサービス要件情報と、サービス構成要件情報と、ネットワークスライスサブネットにおけるトランスポートネットワーク要件情報とに分解するステップと、
前記ネットワークスライスサブネット管理機能エンティティによって、ネットワークスライスサブネットインスタンス化応答をネットワークスライス管理機能エンティティに送信するステップであって、前記ネットワークスライスサブネットインスタンス化応答は、ネットワークスライスサブネットインスタンス化情報を含み、前記ネットワークスライスサブネットインスタンス化情報は、ネットワークスライスサブネットインスタンス化識別子と、ネットワークスライスサブネットインスタンスのサービスアクセスポイントインスタンス化情報と、前記ネットワークスライスサブネットインスタンスのネットワーク接続ポイントインスタンス化情報とを含む、ステップと、
前記ネットワークスライスサブネット管理機能エンティティによって、ネットワークサービスインスタンス化要求を管理及びオーケストレーションに送信するステップであって、前記ネットワークサービスインスタンス化要求は、前記ネットワークサービス要件情報を含む、ステップと、
前記ネットワークスライスサブネット管理機能エンティティによって、サービス構成要求を、前記ネットワークスライスサブネット管理機能エンティティに対応するエレメント管理システムに送信するステップであって、前記サービス構成要求は、前記サービス構成要件情報を含む、ステップと、
前記ネットワークスライスサブネット管理機能エンティティによって、トランスポートネットワークインスタンス化要求をトランスポートネットワークマネージャに送信するステップであって、前記トランスポートネットワークインスタンス化要求は、前記ネットワークスライスサブネットにおける前記トランスポートネットワーク要件情報を含む、ステップと、
を含む、ネットワークスライス管理方法。
【請求項１３】
前記ネットワークスライスサブネットテンプレートは、前記ネットワークスライスサブネットに含まれるネットワーク機能ノードのノード記述子と、前記ネットワーク機能ノードのネットワーク接続ポイント記述子と、前記ネットワーク機能ノードのサービスアクセスポイント記述子と、ネットワーク機能ノード間の接続記述情報とを含み、
ネットワーク機能ノード間の前記接続記述情報は、前記ネットワーク機能ノード間のネットワーク接続記述子と、前記ネットワーク機能ノード間のサービス接続記述子とを含み、
前記ネットワーク機能ノードの前記ノード記述子は、ネットワーク機能サブネットインスタンス化のために要求される情報を記述するために利用され、
前記ネットワーク機能ノードの前記ネットワーク接続ポイント記述子は、前記ネットワーク機能ノードのネットワーク接続ポイント情報を記述するために利用され、
前記ネットワーク機能ノードの前記サービスアクセスポイント記述子は、前記ネットワーク機能ノードのサービスアクセスポイント情報を記述するために利用され、
前記ネットワーク機能ノード間の前記ネットワーク接続記述子は、前記ネットワーク機能ノード間のネットワーク接続情報を記述するために利用され、
前記ネットワーク機能ノード間の前記サービス接続記述子は、前記ネットワーク機能ノード間のサービス接続情報を記述するために利用される、
請求項１２に記載の方法。
【請求項１４】
前記ネットワークスライスサブネットテンプレートは、前記ネットワークスライスサブネットに含まれる仮想化されたネットワーク機能に対応するネットワークサービス記述子インデックスファイルをさらに含み、前記ネットワークサービス記述子インデックスファイルは、前記仮想化されたネットワーク機能の仮想リソース展開をインスタンス化するために利用される、
請求項１２又は１３に記載の方法。
【請求項１５】
前記ネットワークスライスサブネットテンプレートは、第１のサービス構成ファイルをさらに含み、前記第１のサービス構成ファイルは、前記ネットワーク機能のサービス展開のために利用され、前記第１のサービス構成ファイルは、前記ネットワークスライスサブネットインスタンスの非サービスアクセスポイント構成ファイルである、
請求項１２又は１３に記載の方法。
【請求項１６】
前記ネットワークサービス要件情報は、ネットワークサービス記述子のインスタンス化入力パラメータである、
請求項１４に記載の方法。
【請求項１７】
前記ネットワークサービス要件情報は、前記ネットワークスライスサブネットインスタンスに含まれる仮想化されたネットワーク機能に対応するネットワークサービス記述子ファイルである、
請求項１２又は１３に記載の方法。
【請求項１８】
前記サービス構成要件情報は、前記第１のサービス構成ファイルの入力パラメータであり、前記第１のサービス構成ファイルは、前記ネットワークスライスサブネットインスタンスの非サービスアクセスポイント構成ファイルである、
請求項１５に記載の方法。
【請求項１９】
前記サービス構成要件情報は、第１のサービス構成ファイルであり、前記第１のサービス構成ファイルは、前記ネットワーク機能のサービス展開のために利用され、前記第１のサービス構成ファイルは、前記ネットワークスライスサブネットインスタンスの非サービスアクセスポイント構成ファイルである、
請求項１２又は１３に記載の方法。
【請求項２０】
前記ネットワークスライスサブネット管理機能エンティティによって、前記ネットワークスライスサブネットテンプレートに基づいて、前記ネットワークスライスサブネット要件情報を、サービス構成要件情報と、ネットワークサービス要件情報と、トランスポートネットワーク要件情報とに分解する前記ステップの後に、前記方法は、
前記ネットワークスライスサブネット管理機能エンティティによって、前記ネットワークスライスサブネットテンプレートに基づいて、前記ネットワークスライスサブネットインスタンス及び他のネットワークスライスサブネットインスタンスのネットワーク接続ポイント情報と、前記ネットワークスライスサブネットインスタンス及び前記他のネットワークスライスサブネットインスタンスのサービスアクセスポイント情報とを取得するステップをさらに含む、
請求項１８又は１９に記載の方法。
【請求項２１】
前記ネットワークスライスサブネット管理機能エンティティによって、ネットワークスライスサブネットインスタンス化応答をネットワークスライス管理機能エンティティに送信する前記ステップの後に、前記方法は、
前記ネットワークスライスサブネット管理機能エンティティによって、サービスアクセス要求を前記ネットワークスライス管理機能エンティティから受信するステップであって、前記サービスアクセス要求は、ネットワークスライスサブネットテンプレート識別子と、ネットワークスライスインスタンス識別子と、サービスアクセスポイントインスタンス化情報とを含み、前記サービスアクセスポイントインスタンス化情報は、前記ネットワークスライスサブネットインスタンスと前記他のネットワークスライスサブネットインスタンスとの間の相互接続のためのサービスアクセスポイントのローカルアドレス情報及びピアアドレス情報と、ゲートウェイルータのアドレス情報とを含む、ステップと、
前記ネットワークスライスサブネット管理機能エンティティによって、前記ネットワークスライスサブネットテンプレート及び前記サービスアクセスポイントインスタンス化情報に基づいて、第２のサービス構成ファイルを生成するステップであって、前記第２のサービス構成ファイルは、前記ネットワークスライスサブネットインスタンスと前記他のネットワークスライスサブネットインスタンスとの間の相互接続のために利用されるサービス構成ファイルである、ステップとをさらに含む、
請求項２０に記載の方法。
【請求項２２】
前記ネットワークスライスサブネットインスタンス化要求は、前記ネットワークスライスサブネットインスタンスの展開エリアをさらに含み、前記ネットワークサービスインスタンス化要求は、前記ネットワークスライスサブネットインスタンスの前記展開エリアをさらに含む、
請求項１２に記載の方法。
【請求項２３】
前記ネットワークスライスサブネット要件情報は、ネットワークスライスサブネットテンプレート識別子又はネットワークスライスタイフ゜を含み、
前記ネットワークスライスサブネット管理機能エンティティによって、ネットワークスライスサブネットテンプレートを取得する前記ステップは、
前記ネットワークスライスサブネット管理機能エンティティによって、前記ネットワークスライスサブネットテンプレート識別子又は前記ネットワークスライスタイフ゜に基づいて、前記ネットワークスライスサブネットテンプレートを取得するステップを含む、
請求項１２に記載の方法。
【請求項２４】
管理及びオーケストレーションによって、トランスポートネットワークインスタンス化要求を受信するステップであって、前記トランスポートネットワークインスタンス化要求は、トランスポートネットワーク要件情報を含む、ステップと、
前記管理及びオーケストレーションによって、前記トランスポートネットワーク要件情報に基づいて、トランスポートネットワークインスタンス化を実行するステップと、
前記管理及びオーケストレーションによって、トランスポートネットワークインスタンス化応答を送信するステップと
を含む、ネットワークスライス管理方法。
【請求項２５】
プロセッサと、トランシーバと、メモリとを備えるネットワークスライス管理機能エンティティであって、前記メモリは、プログラムコードのセットを格納し、前記プロセッサは、前記メモリに格納された前記プログラムコードを読み出して、以下の動作、即ち、
ネットワークスライスインスタンス化要求を受信することであって、前記ネットワークスライスインスタンス化要求は、ネットワークスライス要件情報を含み、前記ネットワークスライス要件情報は、ネットワークスライステンプレート識別子又はネットワークスライスタイフ゜と、ネットワークスライス展開要件情報とを含む、ことと、
前記ネットワークスライステンプレート識別子又は前記ネットワークスライスタイフ゜に基づいて、ネットワークスライステンプレートを取得することと、
前記ネットワークスライス管理機能エンティティによって、前記ネットワークスライステンプレートに基づいて、前記ネットワークスライス要件情報を、前記ネットワークスライステンプレートに含まれるネットワークスライスサブネットのネットワークスライスサブネット要件情報と、ネットワークスライスにおけるトランスポートネットワーク要件情報とに分解することと、
前記ネットワークスライスに含まれる各ネットワークスライスサブネットについて、ネットワークスライスサブネットインスタンス化要求をネットワークスライスサブネット管理機能エンティティに送信することであって、前記ネットワークスライスサブネットインスタンス化要求は、前記ネットワークスライスサブネット要件情報を含む、ことと、
前記ネットワークスライスサブネット管理機能エンティティによって送信されたネットワークスライスサブネットインスタンス化応答を受信することであって、前記ネットワークスライスサブネットインスタンス化応答は、ネットワークスライスサブネットインスタンス化情報を含み、前記ネットワークスライスサブネットインスタンス化情報は、ネットワークスライスサブネットインスタンス識別子と、ネットワークスライスサブネットインスタンスのサービスアクセスポイントインスタンス化情報と、前記ネットワークスライスサブネットインスタンスのネットワーク接続ポイントインスタンス化情報とを含む、ことと、
トランスポートネットワークインスタンス化要求をトランスポートネットワークマネージャに送信することであって、前記トランスポートネットワークインスタンス化要求は、前記ネットワークスライスにおける前記トランスポートネットワーク要件情報と、全てのネットワークスライスサブネットインスタンスのネットワーク接続ポイント情報とを含む、ことと、
各ネットワークスライスサブネットのインスタンス化後に取得されるサービスアクセスポイント情報に基づいて、各ネットワークスライスサブネットインスタンスのサービス接続の確立をトリガすることと、
を実行するように構成されている、ネットワークスライス管理機能エンティティ。
【請求項２６】
プロセッサと、トランシーバと、メモリとを備えるネットワークスライスサブネット管理機能エンティティであって、前記メモリは、プログラムコードのセットを格納し、前記プロセッサは、前記メモリに格納された前記プログラムコードを読み出して、以下の動作、即ち、
ネットワークスライスサブネットインスタンス化要求を受信することであって、前記ネットワークスライスサブネットインスタンス化要求は、ネットワークスライスサブネット要件情報を含む、ことと、
ネットワークスライスサブネットテンプレートを取得することと、
前記ネットワークスライスサブネットテンプレートに基づいて、前記ネットワークスライスサブネット要件情報を、前記ネットワークスライスサブネットテンプレートに含まれるネットワーク機能のネットワークサービス要件情報と、サービス構成要件情報と、ネットワークスライスサブネットにおけるトランスポートネットワーク要件情報とに分解することと、
ネットワークスライスサブネットインスタンス化応答をネットワークスライス管理機能エンティティに送信することであって、前記ネットワークスライスサブネットインスタンス化応答は、ネットワークスライスサブネットインスタンス化情報を含み、前記ネットワークスライスサブネットインスタンス化情報は、ネットワークスライスサブネットインスタンス識別子と、ネットワークスライスサブネットインスタンスのサービスアクセスポイントインスタンス化情報と、前記ネットワークスライスサブネットインスタンスのネットワーク接続ポイントインスタンス化情報とを含む、ことと、
ネットワークサービスインスタンス化要求を管理及びオーケストレーションに送信することであって、前記ネットワークサービスインスタンス化要求は、前記ネットワークサービス要件情報を含む、ことと、
サービス構成要求を、前記ネットワークスライスサブネット管理機能エンティティに対応するエレメント管理システムに送信することであって、前記サービス構成要求は、前記サービス構成要件情報を含む、ことと、
トランスポートネットワークインスタンス化要求をトランスポートネットワークマネージャに送信することであって、前記トランスポートネットワークインスタンス化要求は、前記ネットワークスライスサブネットにおける前記トランスポートネットワーク要件情報を含む、ことと
を実行するように構成されている、ネットワークスライスサブネット管理機能エンティティ。
【請求項２７】
プロセッサと、トランシーバと、メモリとを備えるトランスポートネットワークマネージャであって、前記メモリは、プログラムコードのセットを格納し、前記プロセッサは、前記メモリに格納された前記プログラムコードを読み出して、以下の動作、即ち、
トランスポートネットワークインスタンス化要求を受信することであって、前記トランスポートネットワークインスタンス化要求は、トランスポートネットワーク要件情報を含む、ことと、
前記トランスポートネットワーク要件情報に基づいて、トランスポートネットワークインスタンス化を実行することと、
トランスポートネットワークインスタンス化応答を送信することと
を実行するように構成されている、トランスポートネットワークマネージャ。
【請求項２８】
請求項２５に記載の前記ネットワークスライス管理機能エンティティと、
請求項２６に記載の前記ネットワークスライスサブネット管理機能エンティティと、
請求項２７に記載の前記トランスポートネットワークマネージャとを含む、
ネットワークスライス管理システム。
【請求項２９】
請求項１〜２４のいずれか１項に記載の前記方法を実行するためのエンティティ。
【請求項３０】
命令を含むコンピュータ可読記録媒体であって、前記命令がコンピュータ上で実行されるとき、前記コンピュータに、請求項１〜２４のいずれか１項に記載の前記方法を実行させる、コンピュータ可読記録媒体。
【手続補正２】
【補正対象書類名】明細書
【補正対象項目名】全文
【補正方法】変更
【補正の内容】
【発明の詳細な説明】
【技術分野】
【０００１】
本出願の実施形態は、通信テクノロジの分野に関し、詳細には、ネットワークスライス管理方法及び装置に関する。
【背景技術】
【０００２】
本出願は、その全体が参照によって本明細書に組み込まれている、２０１７年９月３０日に中国国家知的財産局に出願された「ＮＥＴＷＯＲＫ  ＳＬＩＣＥ  ＭＡＮＡＧＥＭＥＮＴ  ＭＥＴＨＯＤ  ＡＮＤ  ＡＰＰＡＲＡＴＵＳ」と題されている中国特許出願第２０１７１０９２８２１２．Ｘ号に対する優先権を主張するものである。
【０００３】
種々の通信サービスが継続的に出現しているので、ネットワークパフォーマンスに対する様々な通信サービスの要件は大きく異なっている。ネットワークパフォーマンスに対する様々な通信サービスの異なる要件を満たすために、ネットワークスライス（ｎｅｔｗｏｒｋ  ｓｌｉｃｅ、ＮＳ）というコンセプトが、第５世代（ｔｈｅ  ５ｔｈ  ｇｅｎｅｒａｔｉｏｎ、５Ｇ）モバイル通信システムに導入されている。
【０００４】
ネットワークスライシングとは、異なるサービス要件に基づき物理的な又は仮想のネットワークインフラストラクチャ上で異なる論理ネットワークのカスタマイゼーションを行うことを指す。ネットワークスライスは、端末デバイスと、アクセスネットワークと、トランスポートネットワークと、コアネットワークと、アプリケーションサーバとを含む完全なエンドツーエンドネットワークであり得る。ネットワークスライスは、完全な通信サービスを提供することが可能であり、ネットワーク能力を有する。ネットワークスライスは、代替として、端末デバイス、アクセスネットワーク、トランスポートネットワーク、コアネットワーク、及びアプリケーションサーバの任意の組合せであり得る。
【０００５】
ネットワークスライスインスタンス（ｎｅｔｗｏｒｋ  ｓｌｉｃｅ  ｉｎｓｔａｎｃｅ、ＮＳＩ）は、動作する現実の論理ネットワークであり、ネットワーク特徴又はサービス要件を満たすことが可能である。ネットワークスライスインスタンスは、ネットワークスライステンプレート（ｎｅｔｗｏｒｋ  ｓｌｉｃｅ  ｔｅｍｐｌａｔｅ、ＮＳＴ）を利用することによるインスタンス化を通じて取得され得る。完全なネットワークスライスインスタンスは、完全なエンドツーエンドネットワークサービスを提供することが可能であり、ネットワークスライスインスタンスは、いくつかのネットワークスライスサブネットインスタンス（ｎｅｔｗｏｒｋ  ｓｌｉｃｅ  ｓｕｂｎｅｔ  ｉｎｓｔａｎｃｅ、ＮＳＳＩ）及び／又はいくつかのネットワーク機能（ｎｅｔｗｏｒｋ  ｆｕｎｃｔｉｏｎ、ＮＦ）を含み得る。ＮＳＳＩは、ネットワークスライスサブネットテンプレート（ｎｅｔｗｏｒｋ  ｓｌｉｃｅ  ｓｕｂｎｅｔ  ｔｅｍｐｌａｔｅ、ＮＳＳＴ）を利用することによるインスタンス化を通じて取得され得る。
【０００６】
ネットワークスライス管理プロセスは、次の通りである。通信サービス管理機能（ｃｏｍｍｕｎｉｃａｔｉｏｎ  ｓｅｒｖｉｃｅ  ｍａｎａｇｅｍｅｎｔ  ｆｕｎｃｔｉｏｎ、ＣＳＭＦ）が、顧客のサービス要件を受信し、サービス要件をネットワークスライス要件へと変換し、ネットワークスライス要件をネットワークスライス管理機能（ｎｅｔｗｏｒｋ  ｓｌｉｃｅ  ｍａｎａｇｅｍｅｎｔ  ｆｕｎｃｔｉｏｎ、ＮＳＭＦ）へ送信し、ＮＳＭＦは、受信されたネットワークスライス要件をネットワークスライスサブネット要件へと変換し、ネットワークスライスサブネット要件をネットワークスライスサブネット管理機能（ｎｅｔｗｏｒｋ  ｓｌｉｃｅ  ｓｕｂｎｅｔ  ｍａｎａｇｅｍｅｎｔ  ｆｕｎｃｔｉｏｎ、ＮＳＳＭＦ）へ送信し、ＮＳＳＭＦは、ネットワークスライスサブネット要件をネットワーク機能要件へと変換し、ネットワーク機能要件を管理及びオーケストレーション（ｍａｎａｇｅｍｅｎｔ  ａｎｄ  ｏｒｃｈｅｓｔｒａｔｉｏｎ、ＭＡＮＯ）へ送信し、ＭＡＮＯは、ネットワーク機能要件に基づいてネットワークサービスインスタンス化を実行する。この管理プロセスに基づくと、ネットワークスライスに関する自動的な管理をどのようにして実施するかが、解決されるべき差し迫った問題である。
【発明の概要】
【０００７】
本出願の実施形態は、ネットワークスライスに関する自動的な管理を実施するために、ネットワークスライステンプレートを利用することによってネットワークスライス要件情報が分解されるようなネットワークスライス管理方法及び装置を提供する。
【０００８】
本出願の実施形態の第１の態様は、
ネットワークスライス管理機能エンティティによって、ネットワークスライスインスタンス化要求を受信するステップであって、ネットワークスライスインスタンス化要求は、ネットワークスライス要件情報を含み、ネットワークスライス要件情報は、ネットワークスライステンプレート識別子又はネットワークスライスタイプ、及びネットワークスライス展開要件情報を含む、ステップと、
ネットワークスライス管理機能エンティティによって、ネットワークスライステンプレート識別子又はネットワークスライスタイプに基づいてネットワークスライステンプレートを取得するステップと、
ネットワークスライス管理機能エンティティによってネットワークスライステンプレートに基づいて、ネットワークスライス要件情報を、ネットワークスライステンプレートに含まれるネットワークスライスサブネットのネットワークスライスサブネット要件情報、及びネットワークスライスにおけるトランスポートネットワーク要件情報へと分解するステップと、
ネットワークスライスに含まれる各ネットワークスライスサブネットに関して、ネットワークスライス管理機能エンティティによって、ネットワークスライスサブネットインスタンス化要求をネットワークスライスサブネット管理機能エンティティへ送信するステップであって、ネットワークスライスサブネットインスタンス化要求は、ネットワークスライスサブネット要件情報を含む、ステップと、
ネットワークスライス管理機能エンティティによって、ネットワークスライスサブネット管理機能エンティティによって送信されたネットワークスライスサブネットインスタンス化応答を受信するステップであって、ネットワークスライスサブネットインスタンス化応答は、ネットワークスライスサブネットインスタンス化情報を含み、ネットワークスライスサブネットインスタンス化情報は、ネットワークスライスサブネットインスタンス識別子、ネットワークスライスサブネットインスタンスのサービスアクセスポイントインスタンス化情報、及びネットワークスライスサブネットインスタンスのネットワーク接続ポイントインスタンス化情報を含む、ステップと、
ネットワークスライス管理機能エンティティによって、トランスポートネットワークインスタンス化要求をトランスポートネットワークマネージャへ送信するステップであって、トランスポートネットワークインスタンス化要求は、ネットワークスライスにおけるトランスポートネットワーク要件情報、及び全てのネットワークスライスサブネットインスタンスのネットワーク接続ポイント情報を含む、ステップと、
ネットワークスライス管理機能エンティティによって、各ネットワークスライスサブネットのインスタンス化後に取得されたサービスアクセスポイント情報に基づいて、各ネットワークスライスサブネットインスタンスのサービス接続の確立をトリガするステップとを含むネットワークスライス管理方法を提供する。
【０００９】
第２の態様によれば、本出願の実施形態は、第１の態様におけるステップを実行するように構成されているユニット又は手段（ｍｅａｎｓ）を含むネットワークスライス管理機能エンティティを提供する。
【００１０】
第３の態様によれば、本出願の実施形態は、少なくとも１つの処理要素と少なくとも１つのストレージ要素とを含むネットワークスライス管理機能エンティティを提供し、少なくとも１つのストレージ要素は、プログラム及びデータを格納するように構成されており、少なくとも１つの処理要素は、本出願の第１の態様において提供されている方法を実行するように構成されている。
【００１１】
第４の態様によれば、本出願の実施形態は、第１の態様における方法を実行するように構成されている少なくとも１つの処理要素（又はチップ）を含むネットワークスライス管理機能エンティティを提供する。
【００１２】
第５の態様によれば、本出願の実施形態は、プログラムを提供し、このプログラムは、プロセッサによって実行されるときに第１の態様における方法を実行するために利用される。
【００１３】
第６の態様によれば、本出願の実施形態は、第５の態様におけるプログラムを含むプログラム製品、例えば、コンピュータ可読ストレージメディアを提供する。
【００１４】
第１の態様から第６の態様においては、ネットワークスライステンプレートを利用することによってネットワークスライス要件情報が分解され、それによってネットワークスライスに関する自動的な管理が実施可能であると理解されることが可能である。
【００１５】
可能な実装においては、ネットワークスライステンプレートは、ネットワークスライスサブネットテンプレート識別子と、ネットワークスライスサブネットノードのネットワーク接続ポイント記述子と、ネットワークスライスサブネットノードのサービスアクセスポイント記述子と、ネットワークスライスサブネットノード間におけるネットワーク接続記述子と、ネットワークスライスサブネットノード間におけるサービス接続記述子とを含む。
【００１６】
ネットワークスライスサブネットノードのネットワーク接続ポイント記述子は、ネットワークスライスサブネットノードのネットワーク接続ポイント情報を記述するために利用される。ネットワークスライスサブネットノードのサービスアクセスポイント記述子は、ネットワークスライスサブネットノードのサービスアクセスポイント情報を記述するために利用される。ネットワークスライスサブネットノード間におけるネットワーク接続記述子は、ネットワークスライスサブネットノード間におけるネットワーク接続情報を記述するために利用される。ネットワークスライスサブネットノード間におけるサービス接続記述子は、ネットワークスライスサブネットノード間におけるサービス接続情報を記述するために利用される。
【００１７】
ネットワークスライスインスタンスがネットワークスライスサブネットインスタンスを含む場合には、ネットワークスライステンプレートに含まれるコンテンツが記述され、それによってネットワークスライス管理機能エンティティは、ネットワークスライス要件情報に基づいて、各コンポーネントによって必要とされる入力パラメータを決定する。
【００１８】
可能な実装においては、ネットワークスライスサブネットテンプレート識別子に対応するネットワークスライスサブネットテンプレートは、ネットワークスライスサブネットに含まれるネットワーク機能ノードのノード記述子と、ネットワーク機能ノードのネットワーク接続ポイント記述子と、ネットワーク機能ノードのサービスアクセスポイント記述子と、ネットワーク機能ノード間におけるネットワーク接続記述子と、ネットワーク機能ノード間におけるサービス接続記述子とを含む。ネットワークスライスサブネットインスタンス化に必要とされるコンポーネント情報を定義することは、ネットワークスライスサブネットテンプレートに含まれるコンテンツを定義することを意味し、それによってネットワークスライスサブネット管理機能エンティティは、ネットワークスライスサブネット要件情報に基づいて、各コンポーネントによって必要とされる入力パラメータを決定する。
【００１９】
可能な実装においては、ネットワークスライステンプレートは、ネットワーク機能サブネットインスタンス化に必要とされる情報と、ネットワーク機能ノードのネットワーク接続ポイント記述子と、ネットワーク機能ノードのサービスアクセスポイント記述子と、ネットワーク機能ノード間におけるネットワーク接続記述子と、ネットワーク機能ノード間におけるサービス接続記述子とを含む。
【００２０】
ネットワークスライスインスタンスがネットワーク機能を含む場合には、ネットワークスライステンプレートに含まれるコンテンツが記述され、それによってネットワークスライス管理機能エンティティは、ネットワークスライス要件情報に基づいて、各コンポーネントによって必要とされる入力パラメータを決定する。
【００２１】
可能な実装においては、ネットワークスライスインスタンスがネットワーク機能を含む場合には、ネットワークスライステンプレートは、ネットワークスライスに含まれる仮想化ネットワーク機能に対応するネットワークサービス記述子インデックスファイルをさらに含み、ネットワークサービス記述子インデックスファイルは、仮想化ネットワーク機能の仮想リソースの展開をインスタンス化するために利用され、それによってネットワークスライス管理機能エンティティは、ネットワークサービス記述子のインスタンス化入力パラメータを生成する。
【００２２】
可能な実装においては、ネットワークスライスインスタンスがネットワーク機能を含む場合には、ネットワークスライステンプレートは、サービス構成ファイルをさらに含み、サービス構成ファイルは、１つのサービス機能又はいくつかのサービス機能を実施するためにネットワーク機能のサービス構成のために利用される。
【００２３】
可能な実装においては、ネットワークスライス管理機能エンティティがネットワークスライスサブネットインスタンス化要求をネットワークスライスサブネット管理機能エンティティへ送信する前に、ネットワークスライス管理機能エンティティは、ネットワークスライス要件情報に基づいてネットワークスライスサブネットインスタンスの展開エリアを決定する。ネットワークスライスサブネットインスタンス化要求は、ネットワークスライスサブネットインスタンスの展開エリアをさらに含み、それによって管理及びオーケストレーションは、正しいエリアにおけるデータセンタにおいて、ネットワークスライスサブネットインスタンスに対応するネットワーク機能を後で展開することが可能である。
【００２４】
可能な実装においては、ネットワークスライスサブネット要件情報は、ネットワークスライスサブネットテンプレート識別子又はネットワークスライスタイプをさらに含み、それによってネットワークスライスサブネット管理機能エンティティは、ネットワークスライスサブネットテンプレートを取得する。
【００２５】
可能な実装においては、ネットワークスライスサブネットインスタンス化要求は、ネットワークスライスに対応するネットワークスライスインスタンス識別子をさらに含む。
【００２６】
可能な実装においては、ネットワークスライス管理機能エンティティは、各ネットワークスライスサブネット管理機能エンティティによって送信されるインスタンス化応答に基づいてトランスポートネットワークインスタンス化要求を構築し、トランスポートネットワークインスタンス化要求をトランスポートネットワークマネージャへ送信する。
【００２７】
可能な実装においては、ネットワークスライス管理機能エンティティは、各ネットワークスライスサブネットのインスタンス化後に取得されたサービスアクセスポイント情報に基づいて、サービスアクセス要求を、対応するネットワークスライスサブネット管理機能エンティティへ送信し、サービスアクセス要求は、ネットワークスライスインスタンス識別子、対応するネットワークスライスサブネットテンプレート識別子、及び対応するサービスアクセスポイント情報を含み、サービスアクセス要求は、サービス接続を確立する目的で、対応するネットワークスライスサブネット関連付け機能エンティティをトリガするために利用される。
【００２８】
本出願の実施形態の第７の態様は、
ネットワークスライスサブネット管理機能エンティティによって、ネットワークスライスサブネットインスタンス化要求を受信するステップであって、ネットワークスライスサブネットインスタンス化要求は、ネットワークスライスサブネット要件情報を含む、ステップと、
ネットワークスライスサブネット管理機能エンティティによって、ネットワークスライスサブネットテンプレートを取得するステップと、
ネットワークスライスサブネット管理機能エンティティによってネットワークスライスサブネットテンプレートに基づいて、ネットワークスライスサブネット要件情報を、ネットワークスライスサブネットテンプレートに含まれるネットワーク機能のネットワークサービス要件情報、サービス構成要件情報、及びネットワークスライスサブネットにおけるトランスポートネットワーク要件情報へと分解するステップと、
ネットワークスライスサブネット管理機能エンティティによって、ネットワークスライスサブネットインスタンス化応答をネットワークスライス管理機能エンティティへ送信するステップであって、ネットワークスライスサブネットインスタンス化応答は、ネットワークスライスサブネットインスタンス化情報を含み、ネットワークスライスサブネットインスタンス化情報は、ネットワークスライスサブネットインスタンス識別子、ネットワークスライスサブネットインスタンスのサービスアクセスポイントインスタンス化情報、及びネットワークスライスサブネットインスタンスのネットワーク接続ポイントインスタンス化情報を含む、ステップと、
ネットワークスライスサブネット管理機能エンティティによって、ネットワークサービスインスタンス化要求を管理及びオーケストレーションへ送信するステップであって、ネットワークサービスインスタンス化要求は、ネットワークサービス要件情報を含む、ステップと、
ネットワークスライスサブネット管理機能エンティティによって、サービス構成要求を、ネットワークスライスサブネット管理機能エンティティに対応する要素管理システムへ送信するステップであって、サービス構成要求は、サービス構成要件情報を含む、ステップと、
ネットワークスライスサブネット管理機能エンティティによって、トランスポートネットワークインスタンス化要求をトランスポートネットワークマネージャへ送信するステップであって、トランスポートネットワークインスタンス化要求は、ネットワークスライスサブネットにおけるトランスポートネットワーク要件情報を含む、ステップとを含むネットワークスライス管理方法を提供する。
【００２９】
第８の態様によれば、本出願の実施形態は、第７の態様におけるステップを実行するように構成されているユニット又は手段（ｍｅａｎｓ）を含むネットワークスライスサブネット管理機能エンティティを提供する。
【００３０】
第９の態様によれば、本出願の実施形態は、少なくとも１つの処理要素と少なくとも１つのストレージ要素とを含むネットワークスライスサブネット管理機能エンティティを提供し、少なくとも１つのストレージ要素は、プログラム及びデータを格納するように構成されており、少なくとも１つの処理要素は、本出願の第７の態様において提供されている方法を実行するように構成されている。
【００３１】
第１０の態様によれば、本出願の実施形態は、第７の態様における方法を実行するように構成されている少なくとも１つの処理要素（又はチップ）を含むネットワークスライスサブネット管理機能エンティティを提供する。
【００３２】
第１１の態様によれば、本出願の実施形態は、プログラムを提供し、このプログラムは、プロセッサによって実行されているときに第７の態様における方法を実行するために利用される。
【００３３】
第１２の態様によれば、本出願の実施形態は、第１１の態様におけるプログラムを含むプログラム製品、例えば、コンピュータ可読ストレージメディアを提供する。
【００３４】
第７の態様から第１２の態様においては、ネットワークスライスサブネットテンプレートを利用することによってネットワークスライスサブネット要件情報が分解され、それによってネットワークスライスサブネットに関する自動的な管理が実施可能であると理解されることが可能である。
【００３５】
可能な実装においては、ネットワークスライスサブネットテンプレートは、ネットワークスライスサブネットに含まれるネットワーク機能ノードのノード記述子と、ネットワーク機能ノードのネットワーク接続ポイント記述子と、ネットワーク機能ノードのサービスアクセスポイント記述子と、ネットワーク機能ノード間におけるネットワーク接続記述子と、ネットワーク機能ノード間におけるサービス接続記述子とを含む。
【００３６】
ネットワーク機能ノードのノード記述子は、ネットワーク機能サブネットインスタンス化に必要とされる情報を記述するために利用される。ネットワーク機能ノードのネットワーク接続ポイント記述子は、ネットワーク機能ノードのネットワーク接続ポイント情報を記述するために利用される。ネットワーク機能ノードのサービスアクセスポイント記述子は、ネットワーク機能ノードのサービスアクセスポイント情報を記述するために利用される。ネットワーク機能ノード間におけるネットワーク接続記述子は、ネットワーク機能ノード間におけるネットワーク接続情報を記述するために利用される。ネットワーク機能ノード間におけるサービス接続記述子は、ネットワーク機能ノード間におけるサービス接続情報を記述するために利用される。
【００３７】
ネットワークスライスサブネットテンプレートに含まれるコンテンツが記述され、それによってネットワークスライスサブネット管理機能エンティティは、ネットワークスライスサブネット要件情報に基づいて、各コンポーネントによって必要とされる入力パラメータを決定する。
【００３８】
可能な実装においては、ネットワークスライスサブネットテンプレートは、ネットワークスライスサブネットに含まれる仮想化ネットワーク機能に対応するネットワークサービス記述子インデックスファイルをさらに含み、ネットワークサービス記述子インデックスファイルは、仮想化ネットワーク機能の仮想リソースの展開をインスタンス化するために利用される。
【００３９】
可能な実装においては、ネットワークスライスサブネットテンプレートは、第１のネットワーク機能構成パラメータ情報サービス構成ファイルをさらに含み、第１のサービス構成ファイルは、ネットワーク機能のサービス展開のために利用され、第１のサービス構成ファイルは、ネットワークスライスサブネットインスタンスの非サービスアクセスポイント構成ファイルである。
【００４０】
可能な実装においては、ネットワークスライスサブネットテンプレートが、ネットワークスライスサブネットに含まれる仮想化ネットワーク機能に対応するネットワークサービス記述子インデックスファイルを含む場合には、ネットワークスライスサブネット管理機能エンティティは、ネットワークスライスサブネットテンプレートに含まれる全てのコンポーネントの入力パラメータに基づいてネットワークサービス記述子のインスタンス化入力パラメータを生成する。
【００４１】
可能な実装においては、ネットワークスライスサブネットテンプレートが、ネットワークスライスサブネットに含まれる仮想化ネットワーク機能に対応するネットワークサービス記述子インデックスファイルを含まない場合には、ネットワークスライスサブネット管理機能エンティティは、ネットワークスライスサブネットテンプレートに含まれるコンポーネントの入力パラメータに基づいて、ネットワークスライスサブネットインスタンスに含まれる仮想化ネットワーク機能に対応するネットワークサービス記述子ファイルを生成する。
【００４２】
可能な実装においては、ネットワークスライスサブネットテンプレートが第１のネットワーク機能構成パラメータ情報サービス構成ファイルを含む場合には、ネットワークスライスサブネット管理機能エンティティは、ネットワークスライスサブネットテンプレートに含まれるコンポーネントの入力パラメータに基づいて第１のサービス構成ファイルの入力パラメータを生成し、第１のサービス構成ファイルは、ネットワークスライスサブネットインスタンスの非サービスアクセスポイント構成ファイルである。
【００４３】
可能な実装においては、ネットワークスライスサブネットテンプレートが第１のネットワーク機能構成パラメータ情報サービス構成ファイルを含まない場合には、ネットワークスライスサブネット管理機能エンティティは、ネットワークスライスサブネットテンプレートに含まれるコンポーネントの入力パラメータに基づいて第１のサービス構成ファイルを生成し、第１のサービス構成ファイルは、ネットワーク機能のサービス展開のために利用され、第１のサービス構成ファイルは、ネットワークスライスサブネットインスタンスの非サービスアクセスポイント構成ファイルである。
【００４４】
可能な実装においては、ネットワークスライスサブネット管理機能エンティティは、ネットワークスライスサブネットテンプレートに基づいて、ネットワークスライスサブネットインスタンス及び別のネットワークスライスサブネットインスタンスのネットワーク接続ポイント情報、並びにネットワークスライスサブネットインスタンス及び別のネットワークスライスサブネットインスタンスのサービスアクセスポイント情報を取得する。
【００４５】
可能な実装においては、ネットワークスライスサブネットインスタンス化応答をネットワークスライス管理機能エンティティへ送信した後に、ネットワークスライスサブネット管理機能エンティティは、ネットワークスライス管理機能エンティティからサービスアクセス要求を受信する。サービスアクセス要求は、ネットワークスライスサブネットテンプレート識別子、ネットワークスライスインスタンス識別子、及びサービスアクセスポイントインスタンス化情報を含む。サービスアクセスポイントインスタンス化情報は、ネットワークスライスサブネットインスタンスと別のネットワークスライスサブネットインスタンスとの間における相互接続のためのサービスアクセスポイントのローカルアドレス情報及びピアアドレス情報と、ゲートウェイルータのアドレス情報とを含む。ネットワークスライスサブネット管理機能エンティティは、ネットワークスライスサブネットテンプレート及びサービスアクセスポイントインスタンス化情報に基づいて第２のサービス構成ファイルを生成し、第２のサービス構成ファイルは、ネットワークスライスサブネットインスタンスと別のネットワークスライスサブネットインスタンスとの間における相互接続のために利用されるサービス構成ファイルである。
【００４６】
可能な実装においては、ネットワークスライスサブネットインスタンス化要求は、ネットワークスライスサブネットインスタンスの展開エリアをさらに含み、ネットワークサービスインスタンス化要求は、ネットワークスライスサブネットインスタンスの展開エリアをさらに含む。
【００４７】
可能な実装においては、ネットワークスライスサブネット要件情報は、ネットワークスライスサブネットテンプレート識別子又はネットワークスライスタイプを含み、それによってネットワークスライスサブネット管理機能エンティティは、ネットワークスライスサブネットテンプレート識別子又はネットワークスライスタイプに基づいてネットワークスライスサブネットテンプレートを取得する。
【００４８】
本出願の実施形態の第１３の態様は、
管理及びオーケストレーションによって、トランスポートネットワークインスタンス化要求を受信するステップであって、トランスポートネットワークインスタンス化要求は、トランスポートネットワーク要件情報を含む、ステップと、
管理及びオーケストレーションによって、トランスポートネットワーク要件情報に基づいてトランスポートネットワークインスタンス化を実行するステップと、
管理及びオーケストレーションによって、トランスポートネットワークインスタンス化応答を送信するステップとを含むネットワークスライス管理方法を提供する。
【００４９】
第１４の態様によれば、本出願の実施形態は、第１３の態様におけるステップを実行するように構成されているユニット又は手段（ｍｅａｎｓ）を含む管理及びオーケストレーションを提供する。
【００５０】
第１５の態様によれば、本出願の実施形態は、少なくとも１つの処理要素と少なくとも１つのストレージ要素とを含む管理及びオーケストレーションを提供し、少なくとも１つのストレージ要素は、プログラム及びデータを格納するように構成されており、少なくとも１つの処理要素は、本出願の第１３の態様において提供されている方法を実行するように構成されている。
【００５１】
第１６の態様によれば、本出願の実施形態は、第１３の態様における方法を実行するように構成されている少なくとも１つの処理要素（又はチップ）を含む管理及びオーケストレーションを提供する。
【００５２】
第１７の態様によれば、本出願の実施形態は、プログラムを提供し、このプログラムは、プロセッサによって実行されているときに第１３の態様における方法を実行するために利用される。
【００５３】
第１８の態様によれば、本出願の実施形態は、第１７の態様におけるプログラムを含むプログラム製品、例えば、コンピュータ可読ストレージメディアを提供する。
【００５４】
第１３の態様から第１８の態様においては、管理及びオーケストレーションは、受信されたトランスポートネットワーク要件情報に基づいてトランスポートネットワークインスタンス化を実行し得るし、それによって、ネットワークスライスインスタンスに含まれるネットワークスライスサブネットインスタンスを含むトランスポートネットワークのインスタンス化と、ネットワークスライスサブネットインスタンスに含まれるネットワーク機能を含むトランスポートネットワークのインスタンス化との両方が実施可能であると理解されることが可能である。
【００５５】
本出願の実施形態は、ネットワークスライス管理機能エンティティと、ネットワークスライスサブネット管理機能エンティティと、トランスポートネットワークマネージャとを含むネットワークスライス管理システムをさらに提供する。
【図面の簡単な説明】
【００５６】
本出願の実施形態における、又は背景技術における技術的なソリューションをより明確に記述するために、以降では、本出願の実施形態又は背景技術を記述するのに必要とされる添付の図面を簡単に記述する。
【００５７】
【図１】本出願の実施形態が適用されるネットワークアーキテクチャの概略図である。
【図２Ａ】本出願の実施形態によるネットワークスライス管理方法のフローチャートである。
【図２Ｂ】本出願の実施形態によるネットワークスライス管理方法のフローチャートである。
【図３】本出願の実施形態によるネットワークスライステンプレートの概略構成図である。
【図４】本出願の実施形態によるネットワーク接続及びサービス接続の概略図である。
【図５Ａ】本出願の実施形態によるネットワークスライスサブネットインスタンス化の概略フローチャートである。
【図５Ｂ】本出願の実施形態によるネットワークスライスサブネットインスタンス化の概略フローチャートである。
【図６】本出願の実施形態によるネットワークスライスサブネットテンプレートの概略構成図である。
【図７】本出願の実施形態によるサービス接続インスタンス化の概略フローチャートである。
【図８】本出願の実施形態によるデバイスの論理構造の概略図である。
【図９】本出願の実施形態によるデバイスのエンティティ構造の簡略化された概略図である。
【発明を実施するための形態】
【００５８】
５Ｇにおいては、多様なサービス要件が、ネットワークの速度、パフォーマンス、セキュリティ、信頼性、及び待ち時間に関する異なる要件を有する。例えば、拡張モバイルブロードバンド（ｅｎｈａｎｃｅｄ  ｍｏｂｉｌｅ  ｂｒｏａｄｂａｎｄ、ｅＭＢＢ）のシナリオ（例えば、仮想現実のシナリオ又は拡張現実のシナリオ）においては、バンド幅要件が比較的高く、ｘＧｂｐｓレベルのバンド幅が必要とされる。別の例に関しては、マッシブマシンタイプ通信（ｍａｓｓｉｖｅ  ｍａｃｈｉｎｅ  ｔｙｐｅ  ｃｏｍｍｕｎｉｃａｔｉｏｎ、ｍＭＴＣ）のシナリオ（例えば、ウエアラブルのシナリオ又はスマートグリッドのシナリオ）においては、大量のデバイスのアクセスがサポートされる必要があり、例えば、数億個のデバイスによるアクセス、又は数十億個のデバイスによるアクセスがサポートされる必要がある。別の例に関しては、超高信頼低遅延（ｕｌｔｒａ−ｒｅｌｉａｂｌｅ  ａｎｄ  ｌｏｗ−ｌａｔｅｎｃｙ  ｃｏｍｍｕｎｉｃａｔｉｏｎｓ、ＵＲＬＬＣ）のシナリオ（例えば、自動運転のシナリオ、遠隔手術のシナリオ、又は産業制御のシナリオ）においては、１ｍｓの超低遅延がサポートされる必要がある。様々なシナリオの要件、様々な要件、及び究極の経験を満たすためにネットワークスライシングが出現している。５Ｇのシナリオ及び要件に基づいて、様々な特徴を有するネットワークがフレキシブルに構築されることが可能である。
【００５９】
ネットワークスライシングテクノロジは、ネットワークを、互いに分離されている１つ又は複数のネットワークスライスとして論理的に抽象化することになり、各ネットワークスライスは、様々なサービスタイプの分化した要件を適切に満たすために一連の論理ネットワーク機能を含む。
【００６０】
ネットワークスライシングテクノロジは、シナリオ要件に基づいて、５Ｇネットワークの物理的なインフラストラクチャリソースを、互いに独立した複数の並列なネットワークスライスインスタンスとして抽象化することになる。各ネットワークスライスインスタンスにおいては、サービスシナリオ要件及びサービスモデルに基づいて、ネットワーク機能がカスタマイズ及び調整され、対応するネットワーク機能が結集及び管理される。１つのネットワークスライスインスタンスは、１つのインスタンス化された５Ｇネットワークとみなされ得る。そのようなネットワーク構造によれば、オペレータは、ネットワークをユーザのためのサービスとして提供することを可能にされ、様々なユーザの要件を満たすために、速度、キャパシティ、カバレッジ、待ち時間、信頼性、セキュリティ、及び可用性などのインジケータに基づいてエンティティネットワークを自由に組み合わせることが可能である。
【００６１】
異なるネットワークスライスは、異なるネットワーク機能を提供することが可能である。例えば、モバイルインテリジェント端末（例えば、モバイル電話）が通信を実行するシナリオに関しては、独立したネットワークスライスが利用され得る。別の例に関しては、インターネットオブビークルのシナリオにおいては、主として自動運転サービスに関する超低遅延の要件があり、ネットワーク処理の待ち時間及び信頼性上の比較的高い要件があるので、独立したネットワークスライスも利用され得る。別の例に関しては、ｍＭＴＣのシナリオにおいては、比較的多量のアクセスデバイスがあるが、アクセスデバイスによって送信されるパケットは比較的小さく、ネットワーク待ち時間上の要件は比較的低いので、独立したネットワークスライスも利用され得る。異なるネットワークスライスは、異なる機能及び異なるサービス品質要件を提供する必要があるので、異なるネットワーク機能は、異なるネットワークスライス上で展開され得る。
【００６２】
本出願の実施形態において利用されている用語又は名称が、以降に記述されている。
【００６３】
ネットワークスライスは、論理的に分離されているネットワークであり、物理的な又は仮想のインフラストラクチャ上で展開され、特定のネットワーク能力及び特定のネットワーク特徴をサポートするために利用される。ネットワークスライスは、アクセスネットワークと、トランスポートネットワークと、コアネットワークと、アプリケーションサーバとを含む完全なエンドツーエンド（ｅｎｄ  ｔｏ  ｅｎｄ、Ｅ２Ｅ）ネットワークを含み得る。いくつかのネットワーク機能はまた、複数のネットワークスライスによって共有され得る。ネットワークスライスは、第３世代パートナーシッププロジェクト（３ｒｄ  ｇｅｎｅｒａｔｉｏｎ  ｐａｒｔｎｅｒｓｈｉｐ  ｐｒｏｊｅｃｔ、３ＧＰＰ）によって提案されている第５世代（５ｔｈ  ｇｅｎｅｒａｔｉｏｎ、５Ｇ）モバイル通信テクノロジの分化したネットワーク要件を満たすキーテクノロジである。通常、異なるネットワークスライスは、異なるネットワーク特徴を有し、ネットワークスライスは、互いに分離されること、及び互いにインパクトをもたらさないことを必要とされる。例えば、拡張現実（ａｕｇｍｅｎｔｅｄ  ｒｅａｌｉｔｙ、ＡＲ）サービス又は仮想現実（ｖｉｒｔｕａｌ  ｒｅａｌｉｔｙ、ＶＲ）サービスに関するネットワークスライスは、高いバンド幅及び低い待ち時間を必要とする。インターネットオブシングス（ｉｎｔｅｒｎｅｔ  ｏｆ  ｔｈｉｎｇｓ、ＩｏＴ）サービスに関するネットワークスライスは、大量の端末によるアクセスのサポートを必要とするが、低いバンド幅を必要とし、待ち時間上の要件を有さない。ネットワークスライスは、代替として、端末デバイス、アクセスネットワーク、トランスポートネットワーク、コアネットワーク、及びアプリケーションサーバの任意の組合せであり得る。
【００６４】
ネットワークスライスインスタンスは、動作する現実の論理ネットワークであり、ネットワーク特徴又はサービス要件を満たすことが可能である。ネットワークスライスインスタンスは、１つ又は複数のネットワークサービスを提供し得る。ネットワークスライスインスタンスは、ネットワークスライス管理システムによって作成され得る。１つのネットワークスライス管理システムは、複数のネットワークスライスインスタンスを作成し得るし、それらのネットワークスライスインスタンスを中央で管理し得る。ネットワークスライスインスタンスは、ネットワークスライステンプレートを利用することによって作成され得る。
【００６５】
ネットワークスライスインスタンスを作成するために、ネットワークスライステンプレート（ｎｅｔｗｏｒｋ  ｓｌｉｃｅ  ｔｅｍｐｌａｔｅ、ＮＳＴ）が利用される。
【００６６】
完全なネットワークスライスインスタンスは、完全なエンドツーエンドネットワークサービスを提供することが可能であり、ネットワークスライスインスタンスは、ネットワークスライスサブネットインスタンス及び／又はネットワーク機能を含み得る。ネットワークスライスサブネットインスタンスは、完全なエンドツーエンドネットワークサービスを提供する必要はないことがある。ネットワークスライスサブネットインスタンスは、ネットワークスライスインスタンスにおける同じ機器ベンダーのネットワーク機能のセットであり得るし、又はドメイン、例えば、コアネットワークのネットワークスライスサブネットインスタンス、及びアクセスネットワークのネットワークスライスサブネットインスタンスに基づいて分類されたネットワーク機能のセットであり得る。ネットワークスライスサブネットインスタンスは、複数のネットワークスライスインスタンスによって共有され得る。１つのネットワークスライスインスタンスは、複数のネットワークスライスサブネットインスタンスを含み得るし、各ネットワークスライスサブネットインスタンスは、複数のネットワーク機能及び／又はその他のネットワークスライスサブネットインスタンスを含む。１つのネットワークスライスインスタンスは、いくつかのネットワークスライスサブネットインスタンス、及びネットワークスライスサブネットインスタンスへと分類されないネットワーク機能を直接含み得る。１つのネットワークスライスインスタンスは、代替として、いくつかのネットワーク機能のみを含み得る。
【００６７】
ネットワークスライスサブネットインスタンスを作成するために、ネットワークスライスサブネットテンプレート（ｎｅｔｗｏｒｋ  ｓｌｉｃｅ  ｓｕｂｎｅｔ  ｔｅｍｐｌａｔｅ、ＮＳＳＴ）が利用される。
【００６８】
ネットワーク機能は、提供されるネットワークサービスを意味し、機能的挙動及びインターフェースを定義する。例えば、５Ｇネットワークにおいては、ネットワーク機能は、セッション管理機能（ｓｅｓｓｉｏｎ  ｍａｎａｇｅｍｅｎｔ  ｆｕｎｃｔｉｏｎ、ＳＭＦ）、ポリシー制御機能（ｐｏｌｉｃｙ  ｃｏｎｔｒｏｌ  ｆｕｎｃｔｉｏｎ、ＰＣＦ）、ユーザプレーン機能（ｕｓｅｒ  ｐｌａｎｅ  ｆｕｎｃｔｉｏｎ、ＵＰＦ）、エボルブドＮｏｄｅＢ（ｅｖｏｌｖｅｄ  ＮｏｄｅＢ、ｅＮＢ）又は５Ｇ基地局（新無線（ｎｅｗ  ｒａｄｉｏ、ＮＲ）ＮｏｄｅＢ、ｇＮＢ）、アクセス及びモビリティ管理機能（ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）、ネットワークリポジトリ機能（ｎｅｔｗｏｒｋ  ｒｅｐｏｓｉｔｏｒｙ  ｆｕｎｃｔｉｏｎ、ＮＲＦ）などを含み得る。ＳＭＦは、セッション管理サービスを提供するように構成されている。ＰＣＦは、ポリシー制御サービスを提供するように構成されている。ＵＰＦは、ユーザプレーンサービスを提供するように構成されている。ＡＭＦは、アクセス及びモビリティ管理サービスを提供するように構成されている。ｅＮＢ又はｇＮＢ（ｅＮＢは、以降での記述のための例として利用されている）は、無線アクセスサービスを提供するように構成されている。ＮＲＦは、サービスディスカバリを提供するように構成されている。ネットワーク機能は、専用ハードウェアによって実施され得るし、又は専用ハードウェア上でソフトウェアを稼働させることによって実施され得るし、又は汎用ハードウェアプラットフォーム上で仮想機能の形態で実施され得る。従って、実施の観点からは、ネットワーク機能は、物理ネットワーク機能（ｐｈｙｓｉｃａｌ  ｎｅｔｗｏｒｋ  ｆｕｎｃｔｉｏｎ、ＰＮＦ）及び仮想化ネットワーク機能（ｖｉｒｔｕａｌｉｚｅｄ  ｎｅｔｗｏｒｋ  ｆｕｎｃｔｉｏｎ、ＶＮＦ）へと分類され得る。利用の観点からは、ネットワーク機能は、専用ネットワーク機能及び共有ネットワーク機能へと分類され得る。具体的には、複数の（サブ）ネットワークスライスインスタンスが、異なるネットワーク機能を独立して利用し得るし、そのようなネットワーク機能は、専用ネットワーク機能と呼ばれ、又は複数の（サブ）ネットワークスライスインスタンスが、同じネットワーク機能を共有し得るし、そのようなネットワーク機能は、共有ネットワーク機能と呼ばれる。物理ネットワーク機能及び／又は仮想ネットワーク機能は、以降ではネットワーク機能と総称される。
【００６９】
ネットワーク機能仮想化インフラストラクチャ（ｎｅｔｗｏｒｋ  ｆｕｎｃｔｉｏｎｓ  ｖｉｒｔｕａｌｉｚａｔｉｏｎ  ｉｎｆｒａｓｔｒｕｃｔｕｒｅ、ＮＦＶＩ）は、クラウドコンピューティングの観点からのリソースプールである。ＮＦＶＩを物理的なインフラストラクチャにマップすることは、高速通信ネットワークを通じた複数の地理的に分散したデータセンタ（ｄａｔａ  ｃｅｎｔｅｒ、ＤＣ）の接続を意味する。ＮＦＶＩは、仮想化を通じて物理的なコンピューティング／ストレージ／スイッチングリソースを仮想のコンピューティング／ストレージ／スイッチングリソースプールへと変換する必要がある。
【００７０】
管理及びオーケストレーション（ｍａｎａｇｅｍｅｎｔ  ａｎｄ  ｏｒｃｈｅｓｔｒａｔｉｏｎ、ＭＡＮＯ）は、ＮＦＶＩリソース全体の管理及びオーケストレーションを担当し、サービスネットワークとＮＦＶＩリソースとの間におけるマッピング及び関連付けを担当し、オペレーションサポートシステム（Ｏｐｅｒａｔｉｏｎ  Ｓｕｐｐｏｒｔ  Ｓｙｓｔｅｍ、ＯＳＳ）のサービスリソース手順を実施することを担当する。
【００７１】
ネットワークスライス及びネットワークスライスサブネットのインスタンス化及び展開に関して、ＭＡＮＯは、ネットワークサービス（ｎｅｔｗｏｒｋ  ｓｅｒｖｉｃｅ、ＮＳ）のインスタンス化を完了する必要がある。ネットワークサービスのインスタンス化は、ネットワークスライス又はネットワークスライスサブネットのインスタンス化に必要とされる仮想リソースに関するＮＦＶＩに主として当てはまることになる。
【００７２】
ネットワークサービス記述子（ｎｅｔｗｏｒｋ  ｓｅｒｖｉｃｅ  ｄｅｓｃｒｉｐｔｏｒ、ＮＳＤ）は、ネットワークサービスをインスタンス化するのに利用されるネットワークトポロジ及び必要とされるリソース情報を記述するために利用される。ＭＡＮＯは、ＮＳＤに基づいてネットワークサービスをインスタンス化し得る。
【００７３】
要素管理システム（ｅｌｅｍｅｎｔ  ｍａｎａｇｅｍｅｎｔ  ｓｙｓｔｅｍ、ＥＭＳ）は、ネットワーク機能の要素管理システムであり、ネットワーク機能のサービス構成をネットワーク機能へ配信するように構成されている。
【００７４】
図１は、本出願の実施形態が適用されるネットワークアーキテクチャの概略図である。このネットワークアーキテクチャは、通信サービス管理機能（ｃｏｍｍｕｎｉｃａｔｉｏｎ  ｓｅｒｖｉｃｅ  ｍａｎａｇｅｍｅｎｔ  ｆｕｎｃｔｉｏｎ、ＣＳＭＦ）、ネットワークスライス管理機能（ｎｅｔｗｏｒｋ  ｓｌｉｃｅ  ｍａｎａｇｅｍｅｎｔ  ｆｕｎｃｔｉｏｎ、ＮＳＭＦ）、及びネットワークスライスサブネット管理機能（ｎｅｔｗｏｒｋ  ｓｌｉｃｅ  ｓｕｂｎｅｔ  ｍａｎａｇｅｍｅｎｔ  ｆｕｎｃｔｉｏｎ、ＮＳＳＭＦ）を含む。このネットワークアーキテクチャに含まれるＣＳＭＦ、ＮＳＭＦ、及びＮＳＳＭＦの数量は、図１において示されている数量には限定されないということに留意されたい。実際の適用においては、複数のＣＳＭＦ、複数のＮＳＭＦ、及び複数のＮＳＳＭＦがあり得る。前述の３つの管理機能は、その他の名称を利用することによって記述され得るということに留意されたい。これは、本出願のこの実施形態においては限定されない。本出願のこの実施形態において提供されているソリューションによれば、オペレータは、特定の通信サービス、例えば高精細度ビデオをユーザに提供するために、ネットワークスライスインスタンスをユーザに提供し得る。
【００７５】
具体的には、ユーザは、対応する通信サービス要件、例えば、ネットワークサービスによって必要とされるカバレッジ範囲、ユーザの数量、ユーザの分布、モビリティ要件、待ち時間要件、及び、ネットワークスライスが別のネットワークスライスから分離される必要があるかどうかを、オペレータとのネゴシエーションを通じて決定し得る。
【００７６】
ＣＳＭＦは、オペレータ及び／又はサードパーティ顧客の通信サービス要件をネットワークスライス要件情報へと変換することであって、ネットワークスライス要件情報は、ネットワークスライスタイプ／スライステンプレート識別子ＩＤ及びネットワークスライス展開要件情報（例えば、ネットワークキャパシティ及びサービス品質ＱｏＳ要件）を含む、変換することと、ＣＳＭＦとＮＳＭＦとの間におけるインターフェースを通じてＮＳＭＦへネットワークスライス要件情報を送信することと、ＮＳＭＦからネットワークスライスの管理データ（例えば、パフォーマンスデータ及び障害データ）を取得することと、ネットワークスライスインスタンス上で稼働している通信サービスの管理データを生成することと、ネットワークスライスの管理データ及び／又は通信サービスの管理データに関するオペレータ及び／又はサードパーティ顧客のサブスクリプション要件を受信することとを主として担当する。
【００７７】
ＮＳＭＦは、ＣＳＭＦによって送信されたネットワークスライス要件情報を受信することと、ネットワークスライスインスタンスのライフサイクル、パフォーマンス、障害などを管理すること（ライフサイクル、パフォーマンス、障害の管理は、以降では管理と呼ばれる）と、ネットワークスライスインスタンスの構成を結集することと、ネットワークスライス要件情報を各ネットワークスライスサブネットインスタンス及び／又はネットワーク機能の要件情報、並びにトランスポートネットワーク（ｔｒａｎｓｐｏｒｔ  ｎｅｔｗｏｒｋ、ＴＮ）要件へと分解することと、ネットワークスライスサブネットインスタンス化要求を各ＮＳＳＭＦへ送信することと、トランスポートネットワーク要件をトランスポートネットワークマネージャ（ＴＮマネージャ）へ送信することとを主として担当する。
【００７８】
ＮＳＳＭＦは、ＮＳＭＦによって送信されたネットワークスライスサブネット要件を受信することと、ネットワークスライスサブネットインスタンスを管理することと、ネットワークスライスサブネットインスタンスの構成を結集することと、ネットワークスライスサブネットインスタンスの要件を各ネットワーク機能及び／又はネストされたネットワークスライスサブネットインスタンスの要件へと分解することと、ネストされたネットワークスライスサブネットインスタンス化要求を別のＮＳＳＭＦへ送信することと、ネストされたネットワークスライスサブネットインスタンスなどを管理することとを主として担当する。
【００７９】
ネットワーク機能管理エンティティ、ネットワーク機能管理、及びＮＳＭＦは、本出願の実施形態においては言い換え可能であるということに留意されたい。これらの３つの用語は全て、ＣＳＭＦによって送信されたネットワークスライス要件を受信することを担当するエンティティを記述するために利用され、本出願の実施形態上のいかなる限定を構成するものでもない。これは、ＮＳＳＭＦ及びＣＳＭＦにも適用される。
【００８０】
現在のネットワークスライス管理プロセスに基づくと、ネットワークスライスに関する自動的な管理をどのようにして実施するかが、解決されるべき差し迫った問題である。これを考慮して、本出願の実施形態は、ネットワークスライスに関する自動的な管理を実施するために、ネットワークスライステンプレートを利用することによってネットワークスライス要件情報が分解されるようなネットワークスライス管理方法及び装置を提供する。
【００８１】
図２Ａ及び図２Ｂは、本出願の実施形態によるネットワークスライス管理方法の概略フローチャートである。この方法は、ＮＳＭＦ、ＮＳＳＭＦ、及びＴＮマネージャの間における対話という観点から記述されている。ＴＮマネージャは、ネットワークスライスサブネットノード間における、及びネットワークスライスサブネットノードにおける異なるネットワーク機能の間におけるトランスポートネットワークのインスタンス化の管理を担当する。図２Ａ及び図２Ｂにおいて示されている方法においては、ネットワークスライスインスタンスが２つのネットワークスライスサブネットインスタンスを含み、ＮＳＳＭＦ  １がインスタンス化されてネットワークスライスサブネットインスタンス１（ＮＳＳＩ−１）を取得し得るようにし、ＮＳＳＭＦ  ２がインスタンス化されてネットワークスライスサブネットインスタンス２（ＮＳＳＩ−２）を取得し得るような例が利用されている。図２Ａ及び図２Ｂにおいて示されている方法は、下記のステップを含み得るが、それらには限定されない。
【００８２】
ステップＳ２００：  ネットワークスライステンプレートを生成する。
【００８３】
ＮＳＭＦがネットワークスライスインスタンス化要求を受信する前に、スライス設計者（例えば、スライスプロバイダ）は、ネットワークスライステンプレートを設計し、ネットワークスライステンプレートを生成し、ネットワークスライステンプレートをＮＳＭＦにオンボード（オンボーディング）する。ＮＳＭＦは、ネットワークスライステンプレートとネットワークスライス要件情報との間における対応を記録及び格納し得るし、ネットワークスライス要件情報は、ネットワークスライスサブネットテンプレート識別子又はネットワークスライスタイプを含む。ネットワークスライスタイプは、スライスによって提供されるネットワークサービスのタイプ、例えば、高精細度ビデオサービスタイプ又はインターネットオブビークルタイプを表すために利用される。ネットワークスライステンプレートをＮＳＭＦにオンボードすることは、本出願のこの実施形態の実施のための前提条件である。
【００８４】
ネットワークスライステンプレートの概略構成図に関しては、図３を参照されたい。ネットワークスライステンプレートは、ネットワークスライスインスタンス化に必要とされるコンポーネント情報を記述するために利用され、この情報は、ネットワークスライスに含まれるノードのノード記述情報と、ノード間における接続記述情報とを含む。ノードは、ネットワークスライスサブネットノード又はネットワーク機能ノードであり得る。
【００８５】
ネットワークスライスインスタンスがネットワークスライスサブネットインスタンスを含む場合には、ノード記述情報は、ネットワークスライスサブネットノード記述子（ＮＳＳ  ｎｏｄｅ  ｄｅｓｃｒｉｐｔｏｒ）と、ネットワークスライスサブネットノードのネットワーク接続ポイント記述子（ｎｅｔｗｏｒｋ  ｃｏｎｎｅｃｔｉｏｎ  ｐｏｉｎｔ  ｄｅｓｃｒｉｐｔｏｒ）と、ネットワークスライスサブネットノードのサービスアクセスポイント記述子（ｓｅｒｖｉｃｅ  ａｃｃｅｓｓ  ｐｏｉｎｔ  ｄｅｓｃｒｉｐｔｏｒ）とを含み、接続記述情報は、ネットワークスライスサブネットノード間におけるサービス接続記述子（ｓｅｒｖｉｃｅ  ｃｏｎｎｅｃｔｉｏｎ  ｄｅｓｃｒｉｐｔｏｒ）と、ネットワークスライスサブネットノード間におけるネットワーク接続記述子（ｎｅｔｗｏｒｋ  ｃｏｎｎｅｃｔｉｏｎ  ｄｅｓｃｒｉｐｔｏｒ）とを含む。
【００８６】
ネットワークスライスインスタンスがネットワーク機能を含み得る場合には、ノード記述情報は、ネットワーク機能ノード記述子（ＮＦ  ｎｏｄｅ  ｄｅｓｃｒｉｐｔｏｒ）と、ネットワーク機能ノードのネットワーク接続ポイント記述子と、ネットワーク機能ノードのサービスアクセスポイント記述子とを含み、接続記述情報は、異なるネットワーク機能ノードの間におけるネットワーク接続記述子と、ネットワーク機能ノード間におけるサービス接続記述子とを含む。ネットワーク機能ノードは、仮想化ネットワーク機能ノード（ＶＮＦノード）であり得るし、又は物理ネットワーク機能ノード（ＰＮＦノード）であり得る。
【００８７】
ネットワークスライスが２つのネットワークスライスサブネットを含むと想定すると、それらの２つのネットワークスライスサブネットに対応するノードは、アクセスネットワーク（ａｃｃｅｓｓ  ｎｅｔｗｏｒｋ、ＡＮ）ノード及びコアネットワーク（ｃｏｒｅ  ｎｅｔｗｏｒｋ、ＣＮ）ノードであり、アクセスネットワークノード（ＡＮノード）とコアネットワークノード（ＣＮノード）との間にはネットワーク接続及びサービス接続がある。ネットワーク接続は、２つのノードの間における物理的な接続を記述するために利用され、即ち、２つのノードは物理的に接続される。２つのノードの間におけるサービス対話（例えば、相互のサービスパケット伝送）が実施される必要がある場合には、サービス接続が実施される必要がある。
【００８８】
図４は、この想定に基づくネットワーク接続及びサービス接続の概略図である。ノード上のグレーのポイントは、サービスアクセスポイントであり、黒色のポイントは、ネットワーク接続ポイントである。ＡＮノードのネットワーク接続ポイント１は、実線を利用することによってＣＮノードのネットワーク接続ポイント１に接続されており、ＡＮノードとＣＮノードとの間にネットワーク接続が存在するということを示している。具体的には、図４において示されている実線は、ＡＮノードとＣＮノードとの間におけるネットワーク接続を示しており、ネットワーク接続は、ＡＮとＣＮとの間におけるネットワーク接続情報を搬送するために利用される。ＡＮノードのサービスアクセスポイント１は、長破線を利用することによってＣＮノードのサービスアクセスポイント１に接続されており、ＡＮノードとＣＮノードとの間にサービス接続が存在するということを示している。具体的には、図４において示されている長破線は、ＡＮノードとＣＮノードとの間におけるサービス接続を示しており、サービス接続は、ＡＮとＣＮとの間におけるサービス相互作用情報を搬送するために利用される。
【００８９】
ＡＮノードのサービスアクセスポイントは、ＡＮノードのネットワーク接続ポイントに依存し、ＣＮノードのサービスアクセスポイントは、ＣＮノードのネットワーク接続ポイントに依存する。図４において示されている１つのノード上には１つのネットワーク接続ポイント及び１つのサービスアクセスポイントがあり、これは、本出願のこの実施形態上のいかなる限定を構成するものでもないということに留意されたい。実際の適用においては、１つのノード上に複数のネットワーク接続ポイント及び複数のサービスアクセスポイントがある。
【００９０】
ノードのネットワーク接続ポイントは、別のノードのネットワーク接続ポイントへのネットワーク接続を実行し得る。言い換えれば、ネットワークスライスサブネットノードのネットワーク接続ポイントは、別のネットワークスライスサブネットノードのネットワーク接続ポイントへのネットワーク接続を実行し得るし、又はアプリケーションサーバ若しくはアプリケーションソフトウェアのネットワーク接続ポイントへのネットワーク接続を実行し得る。
【００９１】
任意選択で、ネットワークスライスインスタンスにおける異なるノードは、それらのノードの間におけるネットワーク接続を実施するために、ネットワーク接続ポイントを利用することによって接続されるネットワークに接続され得る。
【００９２】
ノードのサービスアクセスポイントは、別のノードのサービスアクセスポイントへのサービス接続を実行し得る。言い換えれば、ネットワークスライスサブネットノードのサービスアクセスポイントは、別のネットワークスライスサブネットノードのサービスアクセスポイントへのサービス接続を実行し得るし、又はアプリケーションサーバ若しくはアプリケーションソフトウェアのサービスアクセスポイントへのサービス接続を実行し得る。
【００９３】
ネットワークスライスサブネットノード記述子は、ネットワークスライスサブネットインスタンス化に必要とされるコンポーネント情報を含む。ネットワークスライスサブネットインスタンス化に必要とされるコンポーネント情報は、ネットワークスライスサブネットに含まれるネットワーク機能ノードのノード記述子と、ネットワーク機能ノードのネットワーク接続ポイント記述子と、ネットワーク機能ノードのサービスアクセスポイント記述子と、ネットワーク機能ノード間におけるネットワーク接続記述子と、ネットワーク機能ノード間におけるサービス接続記述子とを含む。ネットワークスライスサブネットノード記述子は、ネットワークスライスサブネットインスタンス化に必要とされる情報を記述するために利用されるということが理解され得る。
【００９４】
ネットワークスライスサブネットノード間におけるサービス接続記述子は、図４におけるＡＮノードとＣＮノードとの間におけるサービス接続情報を記述するために利用され、即ち、ネットワークスライスサブネットノード間におけるサービス接続情報を記述するために利用される。サービス接続情報は、サービス接続プロトコル及びサービス接続関連パラメータなどの情報を含み得る。ネットワークスライスサブネットノード間におけるサービス接続記述子は、ネットワークスライスサブネットノード間におけるサービス接続のために利用される特定のサービス接続プロトコル及び特定のサービス接続関連パラメータなどの情報を記述するために利用されるということが理解され得る。
【００９５】
ネットワークスライスサブネットノード間におけるネットワーク接続記述子は、図４におけるＡＮノードとＣＮノードとの間におけるネットワーク接続情報を記述するために利用され、即ち、ネットワークスライスサブネットノード間におけるネットワーク接続情報を記述するために利用される。ネットワーク接続情報は、ネットワークプレーンのものであるサービス品質（ｑｕａｌｉｔｙ  ｏｆ  ｓｅｒｖｉｃｅ、ＱｏＳ）情報及びインターネットプロトコル（Ｉｎｔｅｒｎｅｔ  ｐｒｏｔｏｃｏｌ、ＩＰ）タイプなどの情報を含み得る。ネットワークスライスサブネットノード間におけるネットワーク接続記述子は、ネットワークスライスサブネットノード間におけるネットワーク接続のために利用される特定のネットワーク接続情報を記述するために利用されるということが理解され得る。
【００９６】
ネットワークスライスサブネットノードのサービスアクセスポイント記述子は、ネットワークスライスサブネットノードのサービスアクセスポイント情報を記述するために利用される。サービスアクセスポイント情報は、ネットワークスライスサブネットノードと、ネットワークスライスの外部のデバイスとの間におけるサービス接続を実行するためのサービスアクセスポイントに関する情報であり得るし、又はネットワークスライスサブネットノードと、アプリケーションサーバ若しくはアプリケーションソフトウェアとの間におけるサービス接続を実行するためのサービスアクセスポイントに関する情報であり得る。サービスアクセスポイント情報は、サービスアクセスポイントのサービスＩＰアドレスなどの情報を含み得る。ネットワークスライスサブネットノード上に複数のサービスアクセスポイントがある場合には、各サービスアクセスポイントは、１つのサービスアクセスポイント記述子に対応し得る。
【００９７】
ネットワークスライスサブネットノードのネットワーク接続ポイント記述子は、ネットワークスライスサブネットノードのネットワーク接続ポイント情報を記述するために利用される。ネットワーク接続ポイント情報は、ネットワークスライスサブネットノードと別のネットワークスライスサブネットノードとの間におけるネットワーク接続のためのネットワーク接続ポイントに関する情報であり得るし、又はネットワークスライスサブネットノードと、ネットワークスライスの外部のデバイスとの間におけるネットワーク接続のためのネットワーク接続ポイントに関する情報であり得る。ネットワーク接続ポイント情報は、ネットワーク接続ポイントの物理的なＩＰアドレスなどの情報を含み得る。ネットワークスライスサブネットノード上に複数のネットワーク接続ポイントがある場合には、各ネットワーク接続ポイントは、１つのネットワーク接続ポイント記述子に対応し得る。
【００９８】
ネットワークスライスサブネットノードは、ネットワークスライスに含まれるネットワークスライスサブネットのノードである。
【００９９】
物理的なＩＰアドレスは、物理インターフェースのＩＰアドレスとして理解され得るし、サービスＩＰアドレスは、別のネットワーク要素とのサービス対話のためのＩＰアドレスである。しかし、サービスＩＰパケットは、物理インターフェースから送信される必要がある。
【０１００】
ネットワークスライスインスタンスがネットワークスライスサブネットインスタンスを含むシナリオにおいては、ノード記述情報は、ネットワークスライスサブネットインスタンス化に必要とされるコンポーネント情報と、ネットワークスライスサブネットノードのネットワーク接続ポイント記述子と、ネットワークスライスサブネットノードのサービスアクセスポイント記述子とを含み、接続記述情報は、ネットワークスライスサブネットノード間におけるネットワーク接続記述子と、ネットワークスライスサブネットノード間におけるサービス接続記述子とを含むということが理解され得る。
【０１０１】
ネットワークスライスインスタンスがネットワーク機能を含み得るシナリオにおいては、ノード記述情報は、図３において破線ブロックで示されているネットワーク機能ノード記述子と、ネットワーク機能ノードのネットワーク接続ポイント記述子と、ネットワーク機能ノードのサービスアクセスポイント記述子とを含み得るし、接続記述情報は、ネットワーク機能ノード間におけるネットワーク接続記述子と、ネットワーク機能ノード間におけるサービス記述子とを含み得る。ネットワーク機能ノード記述子は、ネットワーク機能サブネットインスタンス化に必要とされる情報を記述するために利用される。ネットワーク機能ノードのネットワーク接続ポイント記述子、ネットワーク機能ノードのサービスアクセスポイント記述子、ネットワーク機能ノード間におけるネットワーク接続記述子、及びネットワーク機能ノード間におけるサービスアクセスポイント記述子はそれぞれ、ネットワークスライスサブネットノードのネットワーク接続ポイント記述子、ネットワークスライスサブネットノードのサービスアクセスポイント記述子、ネットワークスライスサブネットノード間におけるネットワーク接続記述子、及びネットワークスライスサブネットノード間におけるサービスアクセスポイント記述子に類似している。詳細がここで再び記述されることはない。
【０１０２】
ネットワークスライスインスタンスがネットワーク機能を含み得るシナリオにおいては、ネットワークスライステンプレートは、図３において破線ブロックで示されているサービス構成ファイルを含み得るし、サービス構成ファイルは、ネットワーク機能のサービス構成のために利用される。サービス構成ファイルは、ネットワーク機能によって実施される必要がある特定のサービス機能を示すということが理解され得る。
【０１０３】
ネットワークスライスインスタンスが仮想化ネットワーク機能を含み得る場合には、ネットワークスライステンプレートは、図３において破線ブロックで示されているネットワークサービス記述子（ＮＳＤ）インデックスファイルを含み得るし、ＮＳＤ  ＩＤであり得る。ネットワークサービス記述子は、関連付けられているネットワーク機能の仮想リソースの展開をインスタンス化するために利用され、関連付けられているネットワーク機能は、ネットワークスライスに含まれる仮想ネットワーク機能である。ＭＡＮＯが、このケースにおいては、ネットワークサービス記述子ＩＤインデックスに対応するＮＳＤファイルに基づいて、関連付けられているネットワーク機能の仮想リソースの展開を完了し得るということが理解され得る。仮想リソースは、仮想メモリリソース、仮想中央処理装置（ｃｅｎｔｒａｌ  ｐｒｏｃｅｓｓｉｎｇ  ｕｎｉｔ、ＣＰＵ）などを含み得る。
【０１０４】
ステップＳ２０１：  ＮＳＭＦは、ネットワークスライスインスタンス化要求を受信し、ネットワークスライスインスタンス化要求は、ネットワークスライス要件情報を含み、ネットワークスライス要件情報は、ネットワークスライステンプレート識別子又はネットワークスライスタイプを含む。
【０１０５】
ネットワークスライスサブスクライバ、例えば、オペレータ又はサードパーティ顧客は、ビジネスサポートシステム（ｂｕｓｉｎｅｓｓ  ｓｕｐｐｏｒｔ  ｓｙｓｔｅｍ、ＢＳＳ）の操作インターフェースにおいてネットワークスライスにサブスクライブし得るし、即ち、ＢＳＳの操作インターフェースにおいてサービス要件を入力し得る。サービス要件は、サービスタイプを含み得るし、サービスレベルアグリーメント（ｓｅｒｖｉｃｅ−ｌｅｖｅｌ  ａｇｒｅｅｍｅｎｔ、ＳＬＡ）要件をさらに含み得る。ＳＬＡは、ネットワークサービスプロバイダと顧客との間における契約である。ＳＬＡ要件は、ユーザの数量、バンド幅要件、待ち時間保証要件などを含み得る。サービス要件は、サービスタイプ及びＳＬＡ要件を含むということが理解され得る。
【０１０６】
サービス要件を受信した場合には、ＣＳＭＦ（又はＢＳＳ−ＣＳＭＦ）は、サービス要件をネットワークスライス要件情報へと変換し、その変換は、具体的にはサービスタイプ変換及びＳＬＡ要件変換を含む。サービスタイプ変換は、サービス要件におけるサービスタイプをネットワークスライスタイプへと変換すること、例えば、サービスタイプをｅＭＢＢネットワークスライス、ＵＲＬＬＣネットワークスライス、又はｍＭＴＣネットワークスライスへと変換することを意味する。任意選択で、このケースにおいては、ＣＳＭＦは、ネットワークスライスタイプに基づいて、ネットワークスライスタイプに対応するネットワークスライステンプレート識別子（ＮＳＴ  ＩＤ）をさらに探索し得る。ＳＬＡ要件変換は、ＳＬＡ要件をネットワークスライス展開要件情報へと変換することを意味する。ネットワークスライス展開要件情報は、ユーザの数量、バンド幅、及び待ち時間などの要件を含み得る。言い換えれば、ネットワークスライス展開要件情報は、ユーザの数量、バンド幅、及び待ち時間などの要件情報を記述するために利用される。
【０１０７】
ネットワークスライス要件情報は、ネットワークスライスタイプ及びネットワークスライス展開要件情報を含み、ネットワークスライスタイプは、ネットワークスライスのタイプを示すために利用され、ネットワークスライステンプレート識別子は、ネットワークスライスタイプに基づいて決定され得るということが理解され得る。代替として、ネットワークスライス要件情報は、ネットワークスライステンプレート識別子及びネットワークスライス展開要件情報を含み、ネットワークスライステンプレート識別子は、ネットワークスライステンプレートを示すために利用される。
【０１０８】
ネットワークスライス要件情報は、ネットワークスライスインスタンス化のための入力パラメータを提供し得るということが理解され得る。
【０１０９】
ＣＳＭＦは、ネットワークスライスインスタンス化要求をＮＳＭＦへ送信し、ネットワークスライスインスタンス化要求は、ネットワークスライス要件情報を含み、ネットワークスライス要件情報は、ネットワークスライステンプレート識別子又はネットワークスライスタイプ、及びネットワークスライス展開要件情報を含む。それに対応して、ＮＳＭＦは、ＣＳＭＦからネットワークスライスインスタンス化要求を受信し、ネットワークスライスインスタンス化要求は、最初のインスタンス化要求であり得るし、具体的には、現在のシステムに存在しないネットワークスライスインスタンスがインスタンス化されることを要求され得る。
【０１１０】
ステップＳ２０２：  ＮＳＭＦは、ネットワークスライステンプレート識別子又はネットワークスライスタイプに基づいてネットワークスライステンプレートを取得する。
【０１１１】
実装においては、ＮＳＭＦは、ネットワークスライステンプレート識別子に基づいて、ネットワークスライステンプレート識別子に対応するネットワークスライステンプレートを取得する。１つのネットワークスライステンプレート識別子は、１つのネットワークスライステンプレートに対応する。
【０１１２】
実装においては、ＮＳＭＦは、ネットワークスライスタイプに基づいて、ネットワークスライスタイプに対応するネットワークスライステンプレートを取得する。１つのネットワークスライスタイプは、１つのネットワークスライステンプレートに対応する。具体的には、ＮＳＭＦは、ネットワークスライスタイプに基づいて、ネットワークスライスタイプに対応するネットワークスライステンプレート識別子を探索し、次いでネットワークスライステンプレート識別子に基づいてネットワークスライステンプレートを取得する。
【０１１３】
このケースにおいては、ＮＳＭＦは、ネットワークスライステンプレートに対応するネットワークスライスインスタンスに識別子をさらに割り当て得るし、即ち、ネットワークスライスインスタンス識別子（ＮＳＩ  ＩＤ）を割り当て得る。１つのネットワークスライスインスタンスは、１つのネットワークスライステンプレートを一度インスタンス化することによって取得されることが可能である。
【０１１４】
ステップＳ２０３：  ＮＳＭＦは、ネットワークスライステンプレートに基づいて、ネットワークスライス要件情報を、ネットワークスライスサブネット要件情報１、ネットワークスライスサブネット要件情報２、及びトランスポートネットワーク要件情報へと分解する。
【０１１５】
ＮＳＭＦは、ネットワークスライステンプレートに含まれるコンテンツに基づいてネットワークスライス要件情報を分解して、ノード記述情報に対応するネットワークスライスサブネット要件情報、及び接続記述情報に対応するトランスポートネットワーク要件情報を取得する。ノード記述情報に対応するネットワークスライスサブネット要件情報は、ネットワークスライスサブネットノード１のノード記述情報に対応するネットワークスライスサブネット要件情報１、及びネットワークスライスサブネットノード２のノード記述情報に対応するネットワークスライスサブネット要件情報２を含む。
【０１１６】
ネットワークスライスサブネット要件情報１は、ネットワークスライスサブネットテンプレート識別子（ＮＳＳＴ  ＩＤ）と、ネットワークスライスサブネット１のインスタンス化に必要とされる入力パラメータと、ネットワークスライスサブネットノード１のネットワーク接続ポイント情報と、ネットワークスライスサブネットノード１のサービスアクセスポイント情報とを含む。トランスポートネットワーク要件情報は、ネットワークスライスサブネットノード１とネットワークスライスサブネットノード２との間におけるネットワーク接続情報を含む。ネットワークスライスサブネット要件情報２は、ネットワークスライスサブネットテンプレート識別子（ＮＳＳＴ  ＩＤ）と、ネットワークスライスサブネット２のインスタンス化に必要とされる入力パラメータと、ネットワークスライスサブネットノード２のネットワーク接続ポイント情報と、ネットワークスライスサブネットノード２のサービスアクセスポイント情報とを含む。
【０１１７】
ネットワークスライスサブネット要件情報は、ネットワークスライスサブネットのインスタンス化のための入力パラメータを提供すること、ネットワークスライスサブネットノードのネットワーク接続ポイントに関するネットワーク接続ポイント情報を提供すること、及びネットワークスライスサブネットノードのサービスアクセスポイントに関するサービスアクセスポイント情報を提供することを含めて、ネットワークスライスサブネットのインスタンス化のための入力パラメータを提供し、トランスポートネットワーク要件情報は、ネットワークスライスサブネットノード間におけるネットワーク接続のためのネットワーク接続入力パラメータを提供することを含めて、トランスポートネットワークのインスタンス化のための入力パラメータを提供するということが理解され得る。
【０１１８】
ネットワークスライステンプレートは、ネットワークスライスインスタンス化に必要とされるコンポーネントと、それらのコンポーネントによって必要とされる入力パラメータとを定義するということが理解され得る。ネットワークスライス要件情報は、入力パラメータを提供し得る。ＮＳＭＦは、ネットワークスライステンプレートに基づいてネットワークスライス要件情報を分解し得るし、具体的には、コンポーネントによって必要とされる入力パラメータに基づいて、それらのコンポーネントに関する対応する入力パラメータを提供し得る。
【０１１９】
分解の後に、ＮＳＭＦは、ネットワークスライス要件情報に基づいてＮＳＳＩ−１及びＮＳＳＩ−２の展開エリアを決定する、即ち、各ＮＳＳＩの展開ロケーションを決定する。この方法においては、ＭＡＮＯは、正しいエリアにおけるデータセンタ（ＤＣ）において、ネットワークスライスサブネットインスタンスに対応するネットワーク機能を後で展開することが可能である。
【０１２０】
ネットワークスライスインスタンスがネットワーク機能を含む場合には、ＮＳＭＦは、ネットワークスライステンプレートに基づいて、ネットワークスライス要件情報を、ネットワークスライスにおけるネットワーク機能のサービス構成要件情報、ネットワークサービス要件情報、及びトランスポートネットワーク要件情報へと分解する。それらの３片の情報に関しては、図６において示されている実施形態における記述を参照されたい。
【０１２１】
ステップＳ２０４ａ：  ＮＳＭＦは、ネットワークスライスサブネットインスタンス化要求１をＮＳＳＭＦ１へ送信し、ネットワークスライスサブネットインスタンス化要求１は、ネットワークスライスサブネット要件情報１を含み、それに対応してＮＳＳＭＦ１は、ＮＳＭＦからネットワークスライスサブネットインスタンス化要求１を受信する。
【０１２２】
ステップＳ２０４ｂ：  ＮＳＭＦは、ネットワークスライスサブネットインスタンス化要求２をＮＳＳＭＦ２へ送信し、ネットワークスライスサブネットインスタンス化要求２は、ネットワークスライスサブネット要件情報２を含み、それに対応してＮＳＳＭＦ２は、ＮＳＭＦからネットワークスライスサブネットインスタンス化要求２を受信する。
【０１２３】
具体的には、ＮＳＭＦは、ネットワークスライスサブネットインスタンス化要求を各ＮＳＳＭＦへ送信し、ネットワークスライスサブネットインスタンス化要求は、対応するネットワークスライスサブネット要件情報を搬送する。例えば、ネットワークスライスは、ネットワークスライスサブネット１及びネットワークスライスサブネット２を含み、ＮＳＭＦは、ネットワークスライスサブネットインスタンス化要求１をＮＳＳＭＦ１へ送信し、要求１は、ネットワークスライスサブネット１の要件情報を搬送し、ＮＳＭＦは、ネットワークスライスサブネットインスタンス化要求２をＮＳＳＭＦ２へ送信し、要求２は、ネットワークスライスサブネット２の要件情報を搬送する。
【０１２４】
ＮＳＳＭＦ１は、ＮＳＳＴ１に基づいてネットワークスライスサブネット１の要件情報を分解して、ネットワークサービス要件情報１、サービス構成要件情報１、及びトランスポートネットワーク要件情報１を取得し、ネットワークサービス要件情報１をＭＡＮＯへ送信し、サービス構成要件情報１を、ＮＳＳＭＦ１に対応するＥＭＳ１へ送信し、トランスポートネットワーク要件情報１をＴＮマネージャへ送信する。ＮＳＳＭＦ２は、ＮＳＳＴ２に基づいてネットワークスライスサブネット２の要件情報を分解して、ネットワークサービス要件情報２、サービス構成要件情報２、及びトランスポートネットワーク要件情報２を取得し、ネットワークサービス要件情報２をＭＡＮＯへ送信し、サービス構成要件情報２を、ＮＳＳＭＦ２に対応するＥＭＳ２へ送信し、トランスポートネットワーク要件情報２をＴＮマネージャへ送信する。
【０１２５】
ネットワークスライスサブネットインスタンス化要求は、対応するネットワークスライスサブネットインスタンスの展開エリアをさらに含み、それによってＭＡＮＯは、正しいエリアにおけるＤＣにおいて、ネットワークスライスサブネットインスタンスに対応するネットワーク機能を後で展開することが可能である。例えば、ネットワークスライスサブネットインスタンス化要求１は、ＮＳＳＩ−１の展開エリアをさらに含み、ネットワークスライスサブネットインスタンス化要求は、ＮＳＳＩ−２の展開エリアをさらに含む。
【０１２６】
ネットワークスライスサブネットインスタンス要求は、ネットワークスライスに対応するネットワークスライスインスタンス識別子（ＮＳＩ  ＩＤ）をさらに含み得る。
【０１２７】
ネットワークスライスサブネット要件情報は、対応するネットワークスライスサブネットテンプレート識別子又はネットワークスライスタイプをさらに含み得る。
【０１２８】
ステップＳ２０５ａ：  ＮＳＳＭＦ１は、ネットワークスライスサブネットインスタンス化応答１をＮＳＭＦへ送信し、ネットワークスライスサブネットインスタンス化応答１は、インスタンス化情報１を含み、それに対応してＮＳＭＦは、ＮＳＳＭＦ１からネットワークスライスサブネットインスタンス化応答１を受信する。
【０１２９】
ステップＳ２０５ｂ：  ＮＳＳＭＦ２は、ネットワークスライスサブネットインスタンス化応答２をＮＳＭＦへ送信し、ネットワークスライスサブネットインスタンス化応答２は、インスタンス化情報２を含み、それに対応してＮＳＭＦは、ＮＳＳＭＦ２からネットワークスライスサブネットインスタンス化応答２を受信する。
【０１３０】
ネットワークサービス１のインスタンス化を完了した後に、ＮＳＳＭＦ１は、インスタンス化情報１をＮＳＭＦへ送信する。ネットワークサービス２のインスタンス化を完了した後に、ＮＳＳＭＦ２は、インスタンス化情報２をＮＳＭＦへ送信する。
【０１３１】
インスタンス化情報１は、ネットワークスライスサブネットインスタンス１識別子（ＮＳＳＩ−１  ＩＤ）、ネットワークスライスサブネットインスタンス１のネットワーク接続ポイントインスタンス化情報、及びネットワークスライスサブネットインスタンス１のサービスアクセスポイントインスタンス化情報を含む。
【０１３２】
ＮＳＳＩ−１のネットワーク接続ポイントインスタンス化情報は、ＮＳＳＩ−１とＮＳＳＩ−２との間における相互接続のためのネットワーク接続ポイントのローカルＩＰアドレスなどの情報を含み、ＮＳＳＩ−１と外部アクセスデバイスとの間における相互接続のためのネットワーク接続ポイントのＩＰアドレスなどの情報をさらに含む。同様に、ＮＳＳＩ−２のネットワーク接続ポイントインスタンス化情報が定義され得る。
【０１３３】
ＮＳＳＩ−１のサービスアクセスポイントインスタンス化情報は、ＮＳＳＩ−１とＮＳＳＩ−２との間における相互接続のためのサービスアクセスポイントのローカルＩＰアドレスを含み、ＮＳＳＩ−１と外部アクセスデバイスとの間における相互接続のためのサービスアクセスポイントのＩＰアドレスなどの情報をさらに含む。同様に、ＮＳＳＩ−２のサービスアクセスポイントインスタンス化情報が定義され得る。
【０１３４】
アクセスデバイス情報は、ネットワークスライスサブネットインスタンスが展開されているＤＣにおけるゲートウェイルータと、伝送スイッチとの間における相互接続に関する情報であり得るし、アクセスデバイス識別子、ポート識別子などを含む。
【０１３５】
ＮＳＳＩ１に関しては、ローカルＩＰアドレスは、ＮＳＳＩ−１のＩＰアドレスであり、ピアＩＰアドレスは、ＮＳＳＩ−２のＩＰアドレスである。
【０１３６】
ＮＳＭＦは、各ＮＳＳＭＦによって送信されたインスタンス化情報を記録及び格納し得る。
【０１３７】
ステップＳ２０４ａ及びステップＳ２０５ａ、並びにステップＳ２０４ｂ及びステップＳ２０５ｂはそれぞれ、ネットワークスライスサブネットインスタンス化の手順であるということに留意されたい。詳細に関しては、図５Ａ及び図５Ｂにおける記述を参照されたい。
【０１３８】
ステップＳ２０６ａ：  ＮＳＭＦは、サービスアクセス要求１をＮＳＳＭＦ１へ送信し、それに対応してＮＳＳＭＦ１は、ＮＳＭＦからサービスアクセス要求１を受信する。
【０１３９】
ステップＳ２０６ｂ：  ＮＳＭＦは、サービスアクセス要求２をＮＳＳＭＦ２へ送信し、それに対応してＮＳＳＭＦ２は、ＮＳＭＦからサービスアクセス要求２を受信する。
【０１４０】
ステップＳ２０６ａ及びステップＳ２０６ｂは、ステップＳ２０５ａ及びステップＳ２０５ｂの後に実行される。
【０１４１】
サービスアクセス要求は、ネットワークスライスインスタンス識別子、ネットワークスライスサブネットテンプレート識別子、及びサービスアクセスポイント情報を含む。サービスアクセスポイントインスタンス化情報は、ネットワークスライスサブネットインスタンスと別のネットワークスライスサブネットインスタンスとの間における相互接続のためのサービスアクセスポイントのローカルＩＰアドレス及びピアＩＰアドレス、並びにゲートウェイルータのＩＰアドレスなどの情報を含む。ゲートウェイルータのＩＰアドレスは、ネクストホップルータのＩＰアドレスである。例えば、ＮＳＳＩ−１のサービスアクセスポイントは、ＮＳＳＩ−２のサービスアクセスポイントに相互接続される。ＮＳＳＩ−１に関しては、ローカルＩＰアドレスは、ＮＳＳＩ−１のサービスアクセスポイントのＩＰアドレスであり、ピアＩＰアドレスは、ＮＳＳＩ−２のサービスアクセスポイントのＩＰアドレスである。
【０１４２】
インスタンス化情報１及びインスタンス化情報２を受信した後に、ＮＳＭＦは、サービスアクセス要求１をＮＳＳＭＦ１へ送信する。サービスアクセス要求１は、ネットワークスライスインスタンス識別子と、ネットワークスライスサブネットインスタンス１に対応するネットワークスライスサブネットテンプレート識別子と、サービスアクセスポイント情報１とを搬送する。
【０１４３】
インスタンス化情報１及びインスタンス化情報２を受信した後に、ＮＳＭＦは、サービスアクセス要求２をＮＳＳＭＦ２へ送信する。サービスアクセス要求２は、ネットワークスライスインスタンス識別子と、ネットワークスライスサブネットインスタンス２に対応するネットワークスライスサブネットテンプレート識別子と、サービスアクセスポイント情報２とを搬送する。
【０１４４】
ステップＳ２０７ａ：  ＮＳＳＭＦ１は、サービスアクセス承認メッセージ１をＮＳＭＦへ送信し、それに対応してＮＳＭＦは、ＮＳＳＭＦ１からサービスアクセス承認メッセージ１を受信する。
【０１４５】
ステップＳ２０７ｂ：  ＮＳＳＭＦ２は、サービスアクセス承認メッセージ２をＮＳＭＦへ送信し、それに対応してＮＳＭＦは、ＮＳＳＭＦ２からサービスアクセス承認メッセージ２を受信する。
【０１４６】
ＥＭＳがサービス構成を完了した後に、ＮＳＳＭＦは、サービスアクセス承認メッセージをＮＳＭＦへ送信し、サービスアクセス承認メッセージは、ネットワークスライスサブネットインスタンス識別子を搬送して、対応するネットワークスライスサブネットインスタンスがサービスにアクセスしているということをＮＳＭＦに通知する。例えば、サービスアクセス承認メッセージ１は、ＮＳＳＩ−１がサービスにアクセスしているということを通知するために利用され、サービスアクセス承認メッセージ２は、ＮＳＳＩ−２がサービスにアクセスしているということを通知するために利用される。
【０１４７】
ステップＳ２０６ａ及びステップＳ２０７ａ、並びにステップＳ２０６ｂ及びステップＳ２０７ｂはそれぞれ、サービスアクセスインスタンス化の手順であるということに留意されたい。詳細に関しては、図７における記述を参照されたい。
【０１４８】
ステップＳ２０８：  ＮＳＭＦは、トランスポートネットワークインスタンス化要求をＴＮマネージャへ送信し、それに対応してＴＮマネージャは、ＮＳＭＦからトランスポートネットワークインスタンス化要求を受信する。
【０１４９】
ステップＳ２０８は、ステップＳ２０５ａ及びステップＳ２０５ｂの後に実行され、ステップＳ２０８は、ステップＳ２０６ａ及びステップＳ２０６ｂと同時に実行され得るということに留意されたい。
【０１５０】
ＮＳＭＦは、各ＮＳＳＭＦによって送信されたインスタンス化情報に基づいてネットワークスライスサブネットインスタンス間におけるトランスポートネットワークインスタンス化要求を作成し、例えば、ＮＳＳＩ−１とＮＳＳＩ−２との間におけるトランスポートネットワークインスタンス化要求を作成する。
【０１５１】
２つのネットワークスライスサブネットインスタンスが、例として利用されている。トランスポートネットワークインスタンス化要求は、ＮＳＳＩ−１とＮＳＳＩ−２との間におけるネットワーク接続のためのＩＰアドレス（即ち、２つの終端のＩＰアドレス）などの情報（即ち、ネットワークスライスサブネットノード１とネットワークスライスサブネットノード２との間における相互接続のためのネットワーク接続ＩＰアドレスなどの情報）、及びＮＳＳＩ−１ネットワークスライスサブネットインスタンス１とＮＳＳＩ−２ネットワークスライスサブネットインスタンス２との間におけるネットワーク接続に関するＱｏＳ情報（即ち、ネットワークスライスサブネットノード１とネットワークスライスサブネットノード２との間におけるネットワーク接続に関するＱｏＳ情報）を含む。トランスポートネットワークインスタンス化要求は、ＮＳＳＩ−１ネットワークスライスサブネットインスタンス１とＮＳＳＩ−２ネットワークスライスサブネットインスタンス２との間における相互接続のためのアクセスデバイスに関する情報をさらに含む。アクセスデバイスに関する情報は、ネットワークスライスサブネットインスタンスが展開されているＤＣにおけるゲートウェイルータと、伝送スイッチとの間における相互接続に関する情報であり得るし、アクセスデバイス識別子、ポート識別子などを含む。
【０１５２】
ＮＳＭＦは、インポートされたネットワークワイドデータセンタ及びインポートされたトランスポートネットワークトポロジに基づいて、展開ロケーションに対応するアクセスデバイスに関する情報を探索することが可能である。
【０１５３】
ステップＳ２０９：  ＴＮマネージャは、トランスポートネットワークインスタンス化要求に基づいてトランスポートネットワークインスタンス化を実行する。
【０１５４】
トランスポートネットワークインスタンス化要求を受信した場合には、ＴＮマネージャは、トランスポートネットワーク要件情報に基づいてトランスポートネットワークインスタンス化を実行し、ネットワークスライスサブネットインスタンス間におけるネットワーク接続を確立し、ネットワークスライスサブネットインスタンスとアクセスデバイスとの間におけるネットワーク接続をさらに確立し得る。
【０１５５】
ステップＳ２１０：  ＴＮマネージャは、承認メッセージをＮＳＭＦへ送信する。
【０１５６】
トランスポートネットワークインスタンス化を完了した後に、ＴＮマネージャは、承認メッセージをＮＳＭＦへフィードバックして、トランスポートネットワークインスタンス化が完了されているということをＮＳＭＦに通知する。
【０１５７】
図２Ａ及び図２Ｂにおいて示されているこの実施形態においては、ＮＳＭＦは、ネットワークスライステンプレートを利用することによってネットワークスライス要件情報をネットワークスライスサブネット要件情報及びトランスポートネットワーク要件情報へと分解し、それによってＮＳＳＭＦは、ネットワークサービスインスタンス化及びサービス接続インスタンス化を実行し、ＴＮマネージャは、トランスポートネットワークインスタンス化を実行する。
【０１５８】
図５Ａ及び図５Ｂは、本出願の実施形態によるネットワークスライスサブネットインスタンス化の概略フローチャートである。この手順は、ＮＳＭＦ、ＮＳＳＭＦ、及びＭＡＮＯの間における対話という観点から記述されている。１つのＮＳＳＭＦが、記述のための例として利用されている。図５Ａ及び図５Ｂにおいて示されている手順は、下記のステップを含み得るが、それらには限定されない。
【０１５９】
ステップＳ３００：  ネットワークスライスサブネットテンプレートを生成する。
【０１６０】
スライスに関連した人（例えば、スライスプロバイダ）が、ネットワークスライスサブネットテンプレートを設計し、ネットワークスライスサブネットテンプレートを生成し、ネットワークスライスサブネットテンプレートをＮＳＳＭＦにオンボードする。ＮＳＳＭＦは、ネットワークスライスサブネットテンプレートとネットワークスライスサブネット要件情報との間における対応を記録及び格納し得るし、ネットワークスライスサブネット要件情報は、ネットワークスライスサブネットテンプレート識別子又はネットワークスライスタイプを含む。ネットワークスライスタイプは、スライスによって提供されるネットワークサービスのタイプ、例えば、高精細度ビデオサービスタイプ又はインターネットオブビークルタイプを表すために利用される。
【０１６１】
ネットワークスライスサブネットテンプレートの概略構成図に関しては、図６を参照されたい。ネットワークスライスサブネットテンプレートは、ネットワークスライスサブネットインスタンス化に必要とされるコンポーネント情報を記述するために利用され、ネットワークスライスサブネットに含まれるネットワーク機能ノードのノード記述情報と、ネットワーク機能ノード間における接続記述情報とを含み、具体的には、各ネットワーク機能ノードのノード記述情報と、それらのノードの間における接続記述情報とを含む。
【０１６２】
ネットワーク機能ノードのノード記述情報は、ネットワーク機能ノード記述子と、ネットワーク機能ノードのネットワーク接続ポイント記述子と、ネットワーク機能ノードのサービスアクセスポイント記述子とを含む。接続記述情報は、ネットワーク機能ノード間におけるサービス接続記述子と、ネットワーク機能ノード間におけるネットワーク接続記述子とを含む。
【０１６３】
ネットワーク機能ノード記述子は、ネットワーク機能サブネットインスタンス化に必要とされる入力パラメータを記述するために利用される。
【０１６４】
ネットワーク機能ノードのネットワーク接続ポイント記述子、ネットワーク機能ノードのサービスアクセスポイント記述子、ネットワーク機能ノード間におけるサービス接続記述子、ネットワーク機能ノード間におけるネットワーク接続記述子、ネットワークスライスサブネットノードのネットワーク接続ポイント記述子、ネットワークスライスサブネットノードのサービスアクセスポイント記述子、ネットワークスライスサブネットノード間におけるサービス接続記述子、及びネットワークスライスサブネットノード間におけるネットワーク接続記述子のタイプに関しては、前述の記述を参照されたい。詳細がここで再び記述されることはない。
【０１６５】
ネットワークスライスサブネットテンプレートは、図６において破線のブロックで示されているサービス構成ファイルを含み得るし、サービス構成ファイルは、ネットワーク機能のサービス構成のために利用される。サービス構成ファイルは、ネットワーク機能によって実施される必要があるサービス機能を示すということが理解され得る。
【０１６６】
ネットワークスライスサブネットテンプレートは、図６において破線ブロックで示されているネットワークサービス記述子インデックスファイルを含み得るし、ＮＳＤ  ＩＤであり得る。ネットワークサービス記述子は、ネットワーク機能の仮想リソースの展開をインスタンス化するために利用され、そのネットワーク機能は、ネットワークスライスサブネットに含まれるネットワーク機能である。ＭＡＮＯは、このケースにおいては、ネットワークサービス記述子ＩＤインデックスに対応するＮＳＤファイルに基づいて、ネットワーク機能の仮想リソースの展開を完了し得るということが理解され得る。仮想リソースは、仮想メモリリソース、仮想ＣＰＵなどを含み得る。
【０１６７】
ネットワークスライスサブネットインスタンスが、図６において示されているコンテンツに加えて、別のネットワークスライスサブネットインスタンスをネストし得る場合には、ネットワークスライスサブネットテンプレートは、ネストされるネットワークスライスサブネットインスタンスに対応するネットワークスライスサブネットテンプレートをさらに含み得る。
【０１６８】
ステップＳ３０１：  ＮＳＳＭＦは、ネットワークスライスサブネットインスタンス化要求を受信し、ネットワークスライスサブネットインスタンス化要求は、ネットワークスライスサブネット要件情報を含む。
【０１６９】
ネットワークスライスサブネット要件情報は、ＮＳＭＦによってＮＳＳＭＦに提供される入力パラメータであり、それによってＮＳＳＭＦは、ネットワークスライスサブネットをインスタンス化するということが理解され得る。
【０１７０】
ネットワークスライスサブネットインスタンス化要求は、ネットワークスライスサブネットインスタンスの展開エリアをさらに含み、それによってインスタンス化プロセスにおいて、ＭＡＮＯは、正しいエリアにおけるＤＣにおいて、ネットワークスライスサブネットインスタンスに対応するネットワーク機能を展開することが可能である。
【０１７１】
ネットワークスライスサブネットインスタンス化要求は、ネットワークスライスインスタンス識別子をさらに含み、それによってＮＳＳＭＦは、ネットワークスライスサブネット要件情報が属するネットワークスライスインスタンスを管理する。
【０１７２】
ステップＳ３０１は、図２Ａ及び図２Ｂにおいて示されている実施形態におけるステップＳ２０４ａ及びステップＳ２０４ｂに対応するということに留意されたい。
【０１７３】
ステップＳ３０２：  ＮＳＳＭＦは、ネットワークスライスサブネットテンプレートを取得する。
【０１７４】
実装においては、ＮＳＳＭＦは、ネットワークスライスサブネットテンプレート識別子に基づいて、ネットワークスライスサブネットテンプレート識別子に対応するネットワークスライスサブネットテンプレートを取得する。１つのネットワークスライスサブネットテンプレート識別子は、１つのネットワークスライスサブネットテンプレートに対応する。
【０１７５】
実装においては、ＮＳＳＭＦは、ネットワークスライスタイプに基づいて、ネットワークスライスタイプに対応するネットワークスライステンプレートを取得する。１つのネットワークスライスタイプは、１つのネットワークスライスサブネットテンプレートに対応する。具体的には、ＮＳＳＭＦは、ネットワークスライスタイプに基づいて、ネットワークスライスタイプに対応するネットワークスライスサブネットテンプレート識別子を探索し、次いでネットワークスライスサブネットテンプレート識別子に基づいてネットワークスライスサブネットテンプレートを取得する。
【０１７６】
このケースにおいては、ＮＳＳＭＦは、ネットワークスライスサブネットテンプレートに対応するネットワークスライスサブネットインスタンスに識別子をさらに割り当て得るし、即ち、ネットワークスライスサブネットインスタンス識別子（ＮＳＳＩ  ＩＤ）を割り当て得る。１つのネットワークスライスサブネットインスタンスは、一度インスタンス化を通じて１つのネットワークスライスサブネットテンプレートを利用することによって取得されることが可能である。
【０１７７】
ステップＳ３０３：  ＮＳＳＭＦは、ネットワークスライスサブネットテンプレートに基づいて、ネットワークスライスサブネット要件情報を、ネットワークスライスサブネットにおけるネットワークサービス要件情報、サービス構成要件情報、及びトランスポートネットワーク要件情報へと分解する。
【０１７８】
ＮＳＳＭＦは、ネットワークスライスサブネットテンプレートに基づいてネットワークスライスサブネット要件情報から、ネットワーク機能サブネットインスタンス化に必要とされる入力パラメータと、ネットワーク機能ノードのネットワーク接続ポイント情報と、ネットワーク機能ノードのサービスアクセスポイント情報と、ネットワーク機能ノード間におけるネットワーク接続情報と、ネットワーク機能ノード間におけるサービス接続情報とを取得する。
【０１７９】
ネットワークスライスサブネットインスタンス化に必要とされるコンポーネント情報が、ネットワークスライスサブネットインスタンスに含まれる仮想化ネットワーク機能に対応するネットワークサービス記述子のインデックス情報をさらに含む場合、即ち、ＮＳＳＴが、ＮＳＳＩに含まれるＶＮＦに対応するＮＳＤインデックスファイルを含む場合には、ＮＳＳＭＦは、取得された５つのタイプの情報に基づいてＮＳＤのインスタンス化入力パラメータを生成する、即ち、ＮＳインスタンス化に必要とされる入力パラメータを生成する。このケースにおいては、ネットワークサービス要件情報は、ＮＳＤのインスタンス化入力パラメータである。
【０１８０】
ネットワークスライスサブネットインスタンス化に必要とされるコンポーネント情報が、ネットワークスライスサブネットインスタンスに含まれる仮想化ネットワーク機能に対応するネットワークサービス記述子のインデックス情報を含まない場合、即ち、ＮＳＳＴが、ＮＳＳＩに含まれるＶＮＦに対応するＮＳＤインデックスファイルを含まない場合には、ＮＳＳＭＦは、取得された５つのタイプの情報に基づいて、ＮＳＳＩに含まれるＶＮＦに対応するＮＳＤファイルを生成する。このケースにおいては、ネットワークサービス要件情報は、生成されたＮＳＤファイルである。
【０１８１】
ネットワークスライスサブネットインスタンス化に必要とされるコンポーネント情報が、第１のサービス構成ファイルのインデックス情報をさらに含む場合、即ち、ＮＳＳＴが、第１のサービス構成ファイルのインデックス情報を含む場合には、ＮＳＳＭＦは、前述の取得された５つのタイプの情報に基づいて第１のサービス構成ファイルの入力パラメータを生成する。このケースにおいては、サービス構成要件情報は、第１のサービス構成ファイルの入力パラメータである。
【０１８２】
ネットワークスライスサブネットインスタンス化に必要とされるコンポーネント情報が、第１のサービス構成ファイルのインデックス情報を含まない場合、即ち、ＮＳＳＴが、第１のサービス構成ファイルのインデックス情報を含まない場合には、ＮＳＳＭＦは、前述の取得された５つのタイプの情報に基づいて第１のサービス構成ファイルを生成し、サービス構成要件情報は、第１のサービス構成ファイルである。
【０１８３】
第１のサービス構成ファイルは、ネットワークスライスサブネットインスタンスの非サービスアクセスポイント構成ファイルであり、即ち、ネットワークスライスサブネットインスタンスと別のネットワークスライスサブネットインスタンスとの間における相互接続のためのサービスアクセスポイント構成ファイルを含まない。
【０１８４】
トランスポートネットワーク要件情報は、ネットワーク機能ノード間におけるネットワーク接続のためのネットワーク接続入力パラメータを提供することを含めて、トランスポートネットワークインスタンス化のための入力パラメータを提供する。
【０１８５】
ステップＳ３０４：  ＮＳＳＭＦは、ネットワークサービスインスタンス化要求をＭＡＮＯへ送信し、ネットワークサービスインスタンス化要求は、ネットワークサービス要件情報を含む。
【０１８６】
ネットワークサービスインスタンス化要求は、ネットワークスライスサブネットテンプレート識別子をさらに含む。
【０１８７】
ネットワークスライスサブネットインスタンス化要求が、ネットワークスライスサブネットインスタンスの展開エリアを含む場合には、ネットワークサービスインスタンス化要求は、ネットワークスライスサブネットインスタンスの展開エリアをさらに含む。
【０１８８】
ネットワークサービスインスタンス化要求は、ネットワークサービス記述子識別子（ＮＳＤ  ＩＤ）をさらに含み、それによってＭＡＮＯは、ＮＳＤ  ＩＤに対応するＮＳをインスタンス化する。
【０１８９】
ステップＳ３０５：  ＭＡＮＯは、ネットワークサービス要件情報に基づいてネットワークサービスインスタンス化を実行する。
【０１９０】
ＭＡＮＯは、ネットワーク機能の詳細なロケーションを展開することを含めて、ネットワークサービス要件情報に基づいてネットワークサービスをインスタンス化する。
【０１９１】
ネットワークサービス要件情報がＮＳＤのインスタンス化要件情報である場合には、ＭＡＮＯは、ＮＳＤのインスタンス化要件情報に基づいてネットワークサービスをインスタンス化する。ネットワークサービス要件情報がＮＳＤファイルである場合には、ＭＡＮＯは、ＮＳＤファイルに基づいてネットワークサービスをインスタンス化する。
【０１９２】
ステップＳ３０６：  ＭＡＮＯは、ネットワークサービスインスタンス化応答をＮＳＳＭＦへ送信する。
【０１９３】
ネットワークサービスインスタンス化を完了した場合には、ＭＡＮＯは、ネットワークサービスインスタンス化応答をＮＳＳＭＦへ送信し、ネットワークサービスインスタンス化応答は、ネットワークスライスサブネットインスタンス識別子（ＮＳＳＩ  ＩＤ）と、ネットワークスライスサブネットインスタンスに含まれるネットワーク機能の展開ロケーション情報と、ＶＮＦに対応するネットワーク接続ポイントのネットワーク接続ポイントインスタンス化情報とを含む。ネットワーク接続ポイントインスタンス化情報は、ＩＰアドレスなどの情報を含む。
【０１９４】
ステップＳ３０７：  ＮＳＳＭＦは、サービス構成要求を、ＮＳＳＭＦに対応するＥＭＳへ送信し、サービス構成要求は、サービス構成要件情報を含む。
【０１９５】
サービス構成要件情報は、第１のサービス構成ファイル、又は第１のサービス構成ファイルの要件情報である。
【０１９６】
ステップＳ３０８：  ＮＳＳＭＦは、トランスポートネットワークインスタンス化要求をＴＮマネージャへ送信し、トランスポートネットワークインスタンス化要求は、トランスポートネットワーク要件情報を含む。
【０１９７】
ステップＳ３０８は、図２Ｂにおいて示されている実施形態におけるステップＳ２０８に類似しており、ステップＳ２０８は、ネットワークスライスサブネットノードを含むトランスポートネットワークのためのものであり、ステップＳ３０８は、ネットワーク機能を含むトランスポートネットワークのためのものであるという点に相違がある。
【０１９８】
ステップＳ３０９：  ＴＮマネージャは、トランスポートネットワークインスタンス化要求に基づいてトランスポートネットワークインスタンス化を実行する。
【０１９９】
トランスポートネットワークインスタンス化要求を受信した場合には、ＴＮマネージャは、トランスポートネットワークインスタンス化要求に基づいてトランスポートネットワークインスタンス化を実行して、ネットワーク機能間におけるネットワーク接続を確立する。
【０２００】
ステップＳ３１０：  ＴＮマネージャは、承認メッセージをＮＳＳＭＦへ送信する。
【０２０１】
トランスポートネットワークインスタンス化を完了した後に、ＴＮマネージャは、承認メッセージをＮＳＳＭＦへフィードバックして、トランスポートネットワークインスタンス化が完了されているということをＮＳＳＭＦに通知する。
【０２０２】
ステップＳ３１１：  ＮＳＳＭＦは、ネットワークスライスサブネットテンプレートに基づいて、ネットワークスライスサブネットインスタンス及び別のネットワークスライスサブネットインスタンスのネットワーク接続ポイント情報、並びにネットワークスライスサブネットインスタンス及び別のネットワークスライスサブネットインスタンスのネットワーク接続ポイント情報に対応するサービスアクセスポイント情報を取得する。
【０２０３】
ネットワークスライスサブネットノードのネットワーク接続ポイント記述子は、ネットワークスライスサブネットノードと別のネットワークスライスサブネットノードとの間におけるネットワーク接続のために利用されるネットワーク接続ポイント情報を記述する。従ってＮＳＳＭＦは、ネットワークスライスサブネット要件情報を参照してネットワークスライスサブネットノードのネットワーク接続ポイント記述子に基づいてネットワークスライスサブネットインスタンス及び別のネットワークスライスサブネットインスタンスのネットワーク接続ポイント情報を取得し得る。
【０２０４】
ネットワークスライスサブネットノードのサービスアクセスポイント記述子は、ネットワークスライスサブネットノードと別のネットワークスライスサブネットノードとの間におけるサービス接続のために利用されるサービスアクセスポイント情報を記述する。従ってＮＳＳＭＦは、ネットワークスライスサブネット要件情報を参照してネットワークスライスサブネットノードのサービスアクセスポイント記述子に基づいてネットワークスライスサブネットインスタンス及び別のネットワークスライスサブネットインスタンスのサービスアクセスポイント情報を取得し得る。
【０２０５】
ステップＳ３１２：  ＮＳＳＭＦは、インスタンス化情報をＮＳＭＦへ送信する。
【０２０６】
インスタンス化情報は、ネットワークスライスサブネットインスタンス識別子と、ネットワークスライスサブネットインスタンスのネットワーク接続ポイントインスタンス化情報と、ネットワークスライスサブネットインスタンスのサービスアクセスポイントインスタンス化情報とを含む。
【０２０７】
ネットワークスライスサブネットインスタンスのネットワーク接続ポイントインスタンス化情報は、ネットワークスライスサブネットインスタンスと別のネットワークスライスサブネットインスタンスとの間における相互接続のためのネットワーク接続ポイントのローカルＩＰアドレスを含み、ネットワークスライスサブネットインスタンスと、アプリケーションサーバ又は外部アクセスデバイスとの間における相互接続のためのネットワーク接続ポイントに関する情報をさらに含む。
【０２０８】
ネットワークスライスサブネットインスタンスのサービスアクセスポイントインスタンス化情報は、ネットワークスライスサブネットインスタンスと別のネットワークスライスサブネットインスタンスとの間における相互接続のためのサービスアクセスポイントのローカルＩＰアドレスを含み、ネットワークスライスサブネットインスタンスと、アプリケーションサーバ又は外部アクセスデバイスとの間における相互接続のサービスアクセスポイント情報をさらに含む。
【０２０９】
ＮＳＳＩ−１がＮＳＳＩ  ２に相互接続されると想定すると、ＮＳＳＩ−１に関しては、ローカルＩＰアドレスは、ＮＳＳＩ−１のＩＰアドレスであり、ピアＩＰアドレスは、ＮＳＳＩ−２のＩＰアドレスである。
【０２１０】
ＮＳＭＦは、各ＮＳＳＭＦによって送信されたインスタンス化情報を記録及び格納し得る。
【０２１１】
ステップＳ３１２は、図２Ａ及び図２Ｂにおいて示されている実施形態におけるステップＳ２０５ａ及びステップＳ２０５ｂに対応するということに留意されたい。
【０２１２】
ステップＳ３０４、ステップＳ３０７、及びステップＳ３０８の実行シーケンスは、図５Ａ及び図５Ｂにおいて示されている実行シーケンスに限定されず、それらの３つのステップは、同時に実行され得るということに留意されたい。
【０２１３】
図５Ａ及び図５Ｂにおいて示されている手順におけるＮＳＳＭＦは、任意のＮＳＳＭＦであり得る。ネットワークスライスインスタンスが、複数のネットワークスライスサブネットインスタンスを含む場合には、複数のＮＳＳＭＦがあり、各ＮＳＳＭＦに関するネットワークスライスサブネットインスタンス化の手順は、前述の手順に基づいて実行され得る。
【０２１４】
図７は、本出願の実施形態によるサービス接続インスタンス化の概略フローチャートである。この手順は、ＮＳＭＦ、ＮＳＳＭＦ、及びＥＭＳの間における対話という観点から記述されている。図７において示されている手順は、下記のステップを含み得るが、それらには限定されない。
【０２１５】
ステップＳ４００：  ＮＳＭＦは、ＮＳＳＭＦによって送信されたインスタンス化情報を記録する。
【０２１６】
ステップＳ４０１：  ＮＳＭＦは、サービスアクセス要求をＮＳＳＭＦへ送信し、サービスアクセス要求は、ネットワークスライスインスタンス識別子、ネットワークスライスサブネットテンプレート識別子、及びサービスアクセスポイント情報を含む。
【０２１７】
サービスアクセスポイントインスタンス化情報は、ネットワークスライスサブネットインスタンスと別のネットワークスライスサブネットインスタンスとの間における相互接続のためのサービスアクセスポイントのローカルアドレス情報及びピアアドレス情報と、ゲートウェイルータのアドレス情報とを含む。ゲートウェイルータのＩＰアドレスは、ネクストホップルータのＩＰアドレスである。例えば、ＮＳＳＩ１のサービスアクセスポイント及びＮＳＳＩ２のサービスアクセスポイントは、互いに相互接続される。ＮＳＳＩ１に関しては、ローカルＩＰアドレスは、ＮＳＳＩ１のサービスアクセスポイントのＩＰアドレスであり、ピアＩＰアドレスは、ＮＳＳＩ２のサービスアクセスポイントのＩＰアドレスである。
【０２１８】
ネットワークスライスサブネットインスタンス１及びネットワークスライスサブネットインスタンス２のインスタンス化情報を受信した後に、ＮＳＭＦは、サービスアクセス要求をＮＳＳＭＦ１へ送信し、サービスアクセス要求は、ネットワークスライスインスタンス識別子と、ネットワークスライスサブネットインスタンス１に対応するネットワークスライスサブネットテンプレート識別子と、サービスアクセスポイント情報１とを搬送する。
【０２１９】
ネットワークスライスサブネットインスタンス１及びネットワークスライスサブネットインスタンス２のインスタンス化情報を受信した後に、ＮＳＭＦは、サービスアクセス要求をＮＳＳＭＦ２へ送信し、サービスアクセス要求は、ネットワークスライスインスタンス識別子と、ネットワークスライスサブネットインスタンス２に対応するネットワークスライスサブネットテンプレート識別子と、サービスアクセスポイント情報２とを搬送する。
【０２２０】
ステップＳ４０１は、図２Ｂにおいて示されている実施形態におけるステップＳ２０６ａ及びステップＳ２０６ｂに対応するということに留意されたい。
【０２２１】
ステップＳ４０２：  ＮＳＳＭＦは、ネットワークスライスサブネットテンプレート及びサービスアクセスポイント情報に基づいて第２のサービス構成ファイルを生成し、第２のサービス構成ファイルは、ネットワークスライスサブネットインスタンスと別のネットワークスライスサブネットインスタンスとの間における相互接続のために利用されるサービス構成ファイルである。
【０２２２】
ステップＳ４０３：  ＮＳＳＭＦは、第２のサービス構成ファイルを、ＮＳＳＭＦに対応するＥＭＳへ送信する。
【０２２３】
ステップＳ４０４：  ＥＭＳは、第１のサービス構成ファイル及び第２のサービス構成ファイルに基づいてサービス構成を完了する。
【０２２４】
ＮＳＳＭＦ１に対応するＥＭＳ１が、第１のサービス構成ファイル及び第２のサービス構成ファイルに基づいてサービス構成を完了する、即ち、ネットワークスライスサブネットインスタンスのサービス構成展開を完了し、それによってＮＳＳＩ１は、サービス機能を実施するためのサービスにアクセスすることが可能である。
【０２２５】
第１のサービス構成ファイルについての記述に関しては、図５Ａにおいて示されている実施形態におけるステップＳ３０３の記述を参照されたい。
【０２２６】
ステップＳ４０５：  ＮＳＳＭＦは、サービスアクセス承認メッセージをＮＳＭＦへ送信し、サービスアクセス承認メッセージは、ネットワークスライスサブネットインスタンス識別子を含む。
【０２２７】
ＥＭＳがサービス構成を完了した後に、ＮＳＳＭＦは、サービスアクセス承認メッセージをＮＳＭＦへ送信し、サービスアクセス承認メッセージは、ネットワークスライスサブネットインスタンス識別子を搬送して、対応するネットワークスライスサブネットインスタンスがサービスにアクセスしているということ、例えば、ＮＳＳＩ１がサービスにアクセスしているということをＮＳＭＦに通知する。
【０２２８】
ステップＳ４０５は、図２Ｂにおいて示されている実施形態におけるステップＳ２０７ａ及びステップＳ２０７ｂに対応するということに留意されたい。
【０２２９】
図７において示されている手順におけるＮＳＳＭＦは、任意のＮＳＳＭＦであり得る。ネットワークスライスインスタンスが、複数のネットワークスライスサブネットインスタンスを含む場合には、複数のＮＳＳＭＦがあり、各ＮＳＳＭＦに関するサービスアクセスインスタンス化の手順は、前述の手順に基づいて実行され得る。
【０２３０】
前述の内容は、本出願の実施形態における方法を詳細に記述しており、以降では、本出願の実施形態における装置を提供する。
【０２３１】
図８は、本出願の実施形態によるデバイスの論理構造の概略図である。デバイス４０は、処理ユニット４０１及びトランシーバユニット４０２を含み得る。デバイス４０は、図２Ａ及び図２Ｂ、図５Ａ及び図５Ｂ、並びに図７において示されている実施形態におけるＮＳＭＦ、ＮＳＳＭＦ、又はＴＮマネージャであり得る。
【０２３２】
デバイス４０が、図２Ａ及び図２Ｂ、図５Ａ及び図５Ｂ、並びに図７において示されている実施形態におけるＮＳＭＦである場合には、トランシーバユニット４０２は、ＣＳＭＦ、ＮＳＳＭＦ、及びＴＮマネージャと通信し、例えば、図２Ａ及び図２Ｂにおいて示されている実施形態におけるステップＳ２０１、ステップＳ２０４（ａ又はｂ）、ステップＳ２０５（ａ又はｂ）、ステップＳ２０６（ａ又はｂ）、ステップＳ２０７（ａ又はｂ）、ステップＳ２０９、及びステップＳ２１０を実行し、図５Ｂにおいて示されている実施形態におけるステップＳ３１２を実行し、図７において示されている実施形態におけるステップＳ４０５を実行するように構成され得る。処理ユニット４０１は、ＮＳＭＦを制御するオペレーションを実行するように、例えば、図２Ａにおいて示されている実施形態におけるステップＳ２０２及びステップＳ２０３を実行するように構成され得る。詳細に関しては、図２Ａ及び図２Ｂ、図５Ａ及び図５Ｂ、並びに図７において示されている実施形態における対応する記述を参照されたい。詳細がここで再び記述されることはない。
【０２３３】
デバイス４０が、図２Ａ及び図２Ｂ、図５Ａ及び図５Ｂ、並びに図７において示されている実施形態におけるＮＳＳＭＦである場合には、トランシーバユニット４０２は、ＮＳＭＦ、ＴＮマネージャ、ＭＡＮＯ、及びＥＭＳと通信し、例えば、図２Ａ及び図２Ｂにおいて示されている実施形態におけるステップＳ２０４（ａ又はｂ）、ステップＳ２０５（ａ又はｂ）、ステップＳ２０６（ａ又はｂ）、及びステップＳ２０７（ａ又はｂ）を実行し、図５Ａ及び図５Ｂにおいて示されている実施形態におけるステップＳ３０１、ステップＳ３０４、ステップＳ３０６、ステップＳ３０７、ステップＳ３０８、及びステップＳ３１０を実行し、図７において示されている実施形態におけるステップＳ４０１、ステップＳ４０３、及びステップＳ４０５を実行するように構成され得る。処理ユニット４０１は、ＮＳＳＭＦを制御するオペレーションを実行するように、例えば、図５Ａ及び図５Ｂにおいて示されている実施形態におけるステップＳ３０２、ステップＳ３０３、及びステップＳ３１１を実行し、図７において示されている実施形態におけるステップＳ４０２を実行するように構成され得る。詳細に関しては、図２Ａ及び図２Ｂ、図５Ａ及び図５Ｂ、並びに図７において示されている実施形態における対応する記述を参照されたい。詳細がここで再び記述されることはない。
【０２３４】
デバイス４０が、図２Ａ及び図２Ｂ、図５Ａ及び図５Ｂ、並びに図７において示されている実施形態におけるＴＮマネージャである場合には、トランシーバユニット４０２は、ＮＳＭＦ及びＮＳＳＭＦと通信し、例えば、図２Ｂにおいて示されている実施形態におけるステップＳ２０８を実行し、図５Ｂにおいて示されている実施形態におけるステップＳ３０８を実行するように構成され得る。処理ユニット４０１は、ＴＮマネージャを制御するオペレーションを実行するように、例えば、図２Ｂにおいて示されている実施形態におけるステップＳ２０９を実行し、図５Ｂにおいて示されている実施形態におけるステップＳ３０９を実行するように構成され得る。詳細に関しては、図２Ａ及び図２Ｂ、図５Ａ及び図５Ｂ、並びに図７において示されている実施形態における対応する記述を参照されたい。詳細がここで再び記述されることはない。
【０２３５】
図９は、本出願の実施形態によるデバイスのエンティティ構造の簡略化された概略図である。デバイス５０は、図２Ａ及び図２Ｂ、図５Ａ及び図５Ｂ、並びに図７において示されている実施形態におけるＮＳＭＦ、ＮＳＳＭＦ、又はＴＮマネージャであり得る。デバイス５０は、トランシーバ５０１、プロセッサ５０２、及びメモリ５０３を含む。トランシーバ５０１、プロセッサ５０２、及びメモリ５０３は、バス５０４を利用することによって互いに接続され得るし、又は別の様式で互いに接続され得る。図８において示されている処理ユニット４０１によって実施される関連した機能は、１つ又は複数のプロセッサ５０２によって実施され得る。図８において示されているトランシーバユニット４０２によって実施される関連した機能は、トランシーバ５０１によって実施され得る。
【０２３６】
メモリ５０３は、ランダムアクセスメモリ（ｒａｎｄｏｍ  ａｃｃｅｓｓ  ｍｅｍｏｒｙ、ＲＡＭ）、読み取り専用メモリ（ｒｅａｄ−ｏｎｌｙ  ｍｅｍｏｒｙ、ＲＯＭ）、消去可能プログラム可能読み取り専用メモリ（ｅｒａｓａｂｌｅ  ｐｒｏｇｒａｍｍａｂｌｅ  ｒｅａｄ  ｏｎｌｙ  ｍｅｍｏｒｙ、ＥＰＲＯＭ）、又はポータブル読み取り専用メモリ（ｃｏｍｐａｃｔ  ｄｉｓｃ  ｒｅａｄ−ｏｎｌｙ  ｍｅｍｏｒｙ、ＣＤ−ＲＯＭ）を含むが、それらには限定されない。メモリ５０３は、関連した命令及び関連したデータを格納するように構成されている。
【０２３７】
トランシーバ５０１は、データ及び／又はシグナリングを送信するように、並びにデータ及び／又はシグナリングを受信するように構成されている。
【０２３８】
プロセッサ５０２は、１つ又は複数のプロセッサを含み得るし、例えば、１つ又は複数の中央処理装置（ｃｅｎｔｒａｌ  ｐｒｏｃｅｓｓｉｎｇ  ｕｎｉｔ、ＣＰＵ）を含み得る。プロセッサ５０２が１つのＣＰＵである場合には、そのＣＰＵは、シングルコアＣＰＵであり得るし、又はマルチコアＣＰＵであり得る。
【０２３９】
デバイス５０がＮＳＭＦである場合には、プロセッサ５０２は、図２Ａにおいて示されている実施形態におけるステップＳ２０２及びステップＳ２０３を実行する際にＮＳＭＦをサポートするように構成されている。
【０２４０】
デバイス５０がＮＳＳＭＦである場合には、プロセッサ５０２は、図５Ａ及び図５Ｂにおいて示されている実施形態におけるステップＳ３０２、ステップＳ３０３、及びステップＳ３１１を実行する際に、並びに図７において示されている実施形態におけるステップＳ４０２を実行する際にＮＳＳＭＦをサポートするように構成されている。
【０２４１】
デバイス５０がＴＮマネージャである場合には、プロセッサ５０２は、図２Ｂにおいて示されている実施形態におけるステップＳ２０６ａ及びステップＳ２０６ｂを実行する際に、並びに図５Ｂにおいて示されている実施形態におけるステップＳ３０９を実行する際にＴＮマネージャをサポートするように構成されている。
【０２４２】
メモリ５０３は、デバイス５０のプログラムコード及びデータを格納するように構成されている。
【０２４３】
トランシーバ５０１は、別のデバイスと通信するように構成されている。デバイス５０がＣＳＭＦである場合には、トランシーバ５０１は、ＮＳＭＦエンティティ、オペレータ、又はサードパーティ顧客と通信するように構成されている。デバイスがＮＳＭＦである場合には、トランシーバ５０１は、ＣＳＭＦ、ＮＳＳＭＦ、及びＴＮマネージャと通信するように構成されている。デバイスがＮＳＳＭＦエンティティである場合には、トランシーバは、ＮＳＭＦ、ＴＮマネージャ、ＭＡＮＯ、及びＥＭＳと通信するように構成されている。
【０２４４】
プロセッサ５０２及びトランシーバ５０１によって実行されるステップの詳細に関しては、図２Ａ及び図２Ｂ、図５Ａ及び図５Ｂ、並びに図７において示されている実施形態における記述を参照されたい。詳細がここで再び記述されることはない。
【０２４５】
図９は、デバイスの簡略化された設計を示しているにすぎないということが理解され得る。実際の適用においては、デバイスは、任意の数量のトランシーバ、プロセッサ、コントローラ、メモリ、及び通信ユニットを含むがそれらには限定されないその他の必要なコンポーネントをさらに含み得る。本出願を実施することが可能な全てのデバイスが、本出願の保護範囲内に収まる。
【０２４６】
本出願の実施形態は、ネットワークスライス管理システムをさらに提供し、このネットワークスライス管理システムは、図１において示されているＮＳＭＦ、ＮＳＳＭＦ、及びＣＳＭＦを含み、図２Ａ及び図２Ｂ、図５Ａ及び図５Ｂ、並びに図７において示されている実施形態におけるＴＮマネージャ、ＭＡＮＯ、ＥＭＳなどをさらに含む。
【０２４７】
実施形態における方法のプロセスのうちの全て又はいくつかは、関連するハードウェアに指示するコンピュータプログラムによって完了され得るということを当技術分野における標準的な技術者なら理解し得る。そのプログラムは、コンピュータ可読ストレージメディアに格納され得る。そのプログラムが実行されたときに、前述の方法実施形態のプロセスが実行される。前述のストレージメディアは、ＲＯＭ、ランダムアクセスメモリＲＡＭ、磁気ディスク、又は光ディスクなど、プログラムコードを格納することが可能である任意のメディアを含む。従って、本出願の別の実施形態は、コンピュータ可読ストレージメディアを提供する。このコンピュータ可読ストレージメディアは、命令を格納しており、その命令がコンピュータ上で稼働されたときに、コンピュータは、前述の態様における方法を実行することを可能にされる。
【０２４８】
本出願のさらに別の実施形態は、命令を含むコンピュータプログラム製品をさらに提供し、そのコンピュータプログラム製品がコンピュータ上で稼働されたときに、コンピュータは、前述の態様における方法を実行することを可能にされる。
【０２４９】
本出願において開示されている実施形態において記述されている例に関連して、電子ハードウェア、又はコンピュータソフトウェアと電子ハードウェアとの組合せによって、ユニット及びアルゴリズムステップが実施され得るということを当技術分野における標準的な技術者なら認識し得る。機能がハードウェアによって実行されるか、又はソフトウェアによって実行されるかは、技術的なソリューションの個別の用途及び設計制約条件に依存する。当業者なら、記述されている機能をそれぞれの個別の用途のために実施する目的で様々な方法を利用し得るが、その実施は本出願の範囲を超えるものとみなされるべきではない。
【０２５０】
便利で簡単な記述の目的のために、前述のシステム、装置、及びユニットの詳細な機能プロセスに関しては、前述の方法実施形態における対応するプロセスを参照されたいということが当業者によって明らかに理解され得るし、詳細がここで再び記述されることはない。
【０２５１】
本出願において提供されているいくつかの実施形態においては、開示されているシステム、装置、及び方法が別の様式で実施され得るということを理解されたい。例えば、記述されている装置実施形態は、例にすぎない。例えば、ユニットへの区分は、論理的な機能区分にすぎず、実際の実施においてはその他の区分であってもよい。例えば、複数のユニット若しくはコンポーネントが組み合わされて若しくは統合されて別のシステムになってもよく、又はいくつかの機能が無視されてもよく、若しくは実行されなくてもよい。加えて、表示されている又は論じられている相互の結合又は直接の結合又は通信接続は、いくつかのインターフェースを通じて実施され得る。装置間又はユニット間における間接的な結合又は通信接続は、電子的な形態、機械的な形態、又はその他の形態で実施され得る。
【０２５２】
別々の部分として記述されているユニットは、物理的に別々であってもよく、又は物理的に別々でなくてもよく、ユニットとして表示されている部分は、物理的なユニットであってもよく、又は物理的なユニットでなくてもよく、１つのロケーションに配置されてもよく、又は複数のネットワークユニット上に分散されてもよい。ユニットのうちのいくつか又は全ては、実施形態におけるソリューションの目的を達成するために実際の要件に応じて選択され得る。
【０２５３】
加えて、本出願の実施形態における機能ユニットが統合されて１つの処理ユニットになってもよく、又はそれらのユニットのそれぞれが物理的に単独で存在してもよく、又は２つ以上のユニットが統合されて１つのユニットになる。
【０２５４】
前述の実施形態のうちの全て又はいくつかは、前述の実施形態においてソフトウェア、ハードウェア、ファームウェア、又はそれらの任意の組合せを利用することによって実装され得る。実施形態を実装するためにソフトウェアが利用される場合には、実施形態のうちの全て又はいくつかは、コンピュータプログラム製品の形態で実装され得る。コンピュータプログラム製品は、１つ又は複数のコンピュータ命令を含む。コンピュータプログラム命令がコンピュータ上にロードされて実行されたときに、本発明の実施形態による手順又は機能が全て又は部分的に生成される。コンピュータは、汎用コンピュータ、専用コンピュータ、コンピュータネットワーク、又は別のプログラム可能な装置であり得る。コンピュータ命令は、コンピュータ可読ストレージメディアに格納され得るし、又はコンピュータ可読ストレージメディアを利用することによって伝送され得る。コンピュータ命令は、ウェブサイト、コンピュータ、サーバ、又はデータセンタから、別のウェブサイト、コンピュータ、サーバ、又はデータセンタへ、有線（例えば、同軸ケーブル、光ファイバ、若しくはデジタルサブスクライバライン（ｄｉｇｉｔａｌ  ｓｕｂｓｃｒｉｂｅｒ  ｌｉｎｅ、ＤＳＬ））の様式で、又はワイヤレス（例えば、赤外線、ラジオ波、若しくはマイクロ波）の様式で伝送され得る。コンピュータ可読ストレージメディアは、１つ又は複数の利用可能なメディアによって統合されているサーバ及びデータセンタなど、コンピュータ、又はデータストレージデバイスによってアクセス可能な任意の利用可能なメディアであり得る。利用可能なメディアは、磁気メディア（例えば、フロッピーディスク、ハードディスク、又は磁気テープ）、光メディア（例えば、ＤＶＤ）、半導体メディア（例えば、ソリッドステートディスク（Ｓｏｌｉｄ  Ｓｔａｔｅ  Ｄｉｓｋ、ＳＳＤ））などであり得る。
【国際調査報告】
2020536434.tif 000014
2020536434.tif 000015
2020536434.tif 000016
2020536434.tif 000017